(57)【要約】【課題】発光チップに設けられた複数の発光素子に点灯のための電流を供給する点灯配線の電位を制御して、点灯を指示する信号に対応して発光チップが点灯することを許可または阻止することができる発光チップ等を提供する。【解決手段】発光チップＣは、発光サイリスタＬ１、Ｌ２、Ｌ３、…、転送サイリスタＴ１、Ｔ２、Ｔ３、…、設定サイリスタＳＴ、駆動サイリスタＤＴ、電流制限抵抗ＲＣ１、ＲＣ２、ＲＥ１、ＲＥ２、ＲＷ、Ｒｄｔ、ＲＩ、接続抵抗Ｒｇ１、Ｒｇ２、…を備えている。設定サイリスタＳＴはカソード端子Ｋｓｔ、ゲート端子Ｇｓｔ１、Ｇｓｔ２を、駆動サイリスタＤＴはカソード端子Ｋｄｔ、ゲート端子Ｇｄｔ１、Ｇｄｔ２を備え、設定サイリスタＳＴのゲート端子Ｇｄｔ２は点灯信号線７５に接続され、設定サイリスタＳＴのカソード端子Ｋｓｔは、駆動サイリスタＤＴのゲート端子Ｇｄｔ２に接続されている。【選択図】図７
2013151117.tif 000002
【特許請求の範囲】
【請求項１】
それぞれが、基板上に設けられ、アノード端子、カソード端子、ゲート端子を備えるとともに、当該アノード端子または当該カソード端子のいずれか一方に予め定められた電位が共通に供給される複数の発光サイリスタと、
前記複数の発光サイリスタのそれぞれの発光サイリスタのアノード端子またはカソード端子のいずれか他方が共通に接続され、当該発光サイリスタに点灯のための電流が供給される点灯配線と、
前記基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に前記電位が供給されるとともに、当該第２のゲート端子が前記点灯配線に接続され、オフ状態からオン状態に移行することで、前記複数の発光サイリスタにおいて点灯している発光サイリスタを消灯する第１の制御サイリスタと、
前記基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に前記電位が共通に供給されるとともに、当該第２のゲート端子が、前記第１の制御サイリスタのアノード端子またはカソード端子のいずれか他方に接続され、オフ状態からオン状態になることで、当該第１の制御サイリスタをオン状態からオフ状態に移行させる第２の制御サイリスタと、
前記基板上に設けられ、予め定められた抵抗値を有し、前記第２の制御サイリスタの第２のゲート端子に一方の端子が接続され、他方の端子の電位とオフ状態の当該第２の制御サイリスタの第１のゲート端子の電位とで分圧された電位により、前記第１の制御サイリスタをオン状態に維持する制御抵抗と
を備える発光チップ。
【請求項２】
前記第２の制御サイリスタは、オン状態からオフ状態になることで、前記第１の制御サイリスタをオフ状態からオン状態に移行可能な状態に設定することを特徴とする請求項１に記載の発光チップ。
【請求項３】
前記基板上に設けられ、それぞれが、前記複数の発光サイリスタのそれぞれの発光サイリスタに対応して設けられ、順にオン状態になることで、対応する発光サイリスタを点灯可能な状態に設定する複数の転送サイリスタをさらに備えることを特徴とする請求項１または２に記載の発光チップ。
【請求項４】
前記第１の制御サイリスタは、オン状態からオフ状態になることで、前記複数の発光サイリスタにおける前記点灯可能な状態に設定された発光サイリスタをオフ状態からオン状態に移行させることを特徴とする請求項３に記載の発光チップ。
【請求項５】
前記第１の制御サイリスタの前記第２のゲート端子と、前記点灯配線とに一方の端子が接続された他の制御抵抗を備えることを特徴とする請求項１ないし４のいずれか１項に記載の発光チップ。
【請求項６】
それぞれが、基板上に設けられ、アノード端子、カソード端子、ゲート端子を備えるとともに、当該アノード端子または当該カソード端子のいずれか一方に予め定められた電位が共通に供給される複数の発光サイリスタと、当該複数の発光サイリスタのそれぞれの発光サイリスタのアノード端子またはカソード端子のいずれか他方が共通に接続され、当該発光サイリスタに点灯のための電流が供給される点灯配線と、当該基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に当該電位が供給されるとともに、当該第２のゲート端子が当該点灯配線に接続され、オフ状態からオン状態に移行することで、当該複数の発光サイリスタにおいて点灯している発光サイリスタを消灯する第１の制御サイリスタと、当該基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に当該電位が共通に供給されるとともに、当該第２のゲート端子が、当該第１の制御サイリスタのアノード端子またはカソード端子のいずれか他方に接続され、オフ状態からオン状態になることで、当該第１の制御サイリスタをオン状態からオフ状態に移行させる第２の制御サイリスタと、当該基板上に設けられ、予め定められた抵抗値を有し、当該第２の制御サイリスタの第２のゲート端子に一方の端子が接続され、他方の端子の電位とオフ状態の当該第２の制御サイリスタの第１のゲート端子の電位とで分圧された電位により、当該第１の制御サイリスタをオン状態に維持する制御抵抗とを備える発光チップを複数備え、像保持体を露光して静電潜像を形成する露光手段と、
前記露光手段から照射される光を像保持体上に結像させる光学手段と
を備えるプリントヘッド。
【請求項７】
像保持体と、
前記像保持体を帯電する帯電手段と、
それぞれが、基板上に設けられ、アノード端子、カソード端子、ゲート端子を備えるとともに、当該アノード端子または当該カソード端子のいずれか一方に予め定められた電位が共通に供給される複数の発光サイリスタと、当該複数の発光サイリスタのそれぞれの発光サイリスタのアノード端子またはカソード端子のいずれか他方が共通に接続され、当該発光サイリスタに点灯のための電流が供給される点灯配線と、当該基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に当該電位が供給されるとともに、当該第２のゲート端子が当該点灯配線に接続され、オフ状態からオン状態に移行することで、当該複数の発光サイリスタにおいて点灯している発光サイリスタを消灯する第１の制御サイリスタと、当該基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に当該電位が共通に供給されるとともに、当該第２のゲート端子が、当該第１の制御サイリスタのアノード端子またはカソード端子のいずれか他方に接続され、オフ状態からオン状態になることで、当該第１の制御サイリスタをオン状態からオフ状態に移行させる第２の制御サイリスタと、当該基板上に設けられ、予め定められた抵抗値を有し、当該第２の制御サイリスタの第２のゲート端子に一方の端子が接続され、他方の端子の電位とオフ状態の当該第２の制御サイリスタの第１のゲート端子の電位とで分圧された電位により、当該第１の制御サイリスタをオン状態に維持する制御抵抗とを備える発光チップを複数備え、前記像保持体を露光して静電潜像を形成する露光手段と、
前記露光手段から照射される光を前記像保持体上に結像させる光学手段と、
前記像保持体に形成された前記静電潜像を現像する現像手段と、
前記像保持体に現像された画像を被転写体に転写する転写手段と
を備える画像形成装置。
【発明の詳細な説明】
【技術分野】
【０００１】
本発明は、発光チップ、プリントヘッドおよび画像形成装置に関する。
【背景技術】
【０００２】
電子写真方式を採用した、プリンタや複写機、ファクシミリ等の画像形成装置では、帯電された感光体上に、画像情報を光記録手段により照射することにより静電潜像を得た後、この静電潜像にトナーを付加して可視化し、記録紙上に転写して定着することによって画像形成が行われる。かかる光記録手段として、レーザを用い、主走査方向にレーザ光を走査させて露光する光走査方式の他、近年では、装置の小型化の要請を受けて発光素子としての発光ダイオード（ＬＥＤ：Ｌｉｇｈｔ  Ｅｍｉｔｔｉｎｇ  Ｄｉｏｄｅ）を主走査方向に複数、配列してなる、ＬＥＤプリントヘッド（ＬＰＨ：ＬＥＤ  Ｐｒｉｎｔ  Ｈｅａｄ）を用いた記録装置が採用されている。
【０００３】
特許文献１には、発光素子チップは、基板と、発光サイリスタアレイと、転送サイリスタアレイと、発光制御サイリスタアレイと、発光許可サイリスタとを備え、発光許可サイリスタが、そのゲート電極に供給される発光許可信号によってオン状態になることにより、第２クロック信号線を発光許可サイリスタのカソード電極の電位に固定することにより、発光制御サイリスタはオン状態に移行できず、対応する発光サイリスタの点灯が阻止される発光装置が記載されている。
特許文献２には、発光素子ヘッドの信号発生回路は、それぞれが複数の発光素子を有する複数の発光素子チップを組（Ａ、Ｂ、Ｃ、Ｄ）として、同じ組の発光素子チップには同一の第２クロック信号φ２を供給し、同じ組の発光素子チップであっても互いに異なる発光許可信号を供給し、異なる組の発光素子チップには同じ発光許可信号を供給する。信号発生回路によって第２クロック信号φ２に時系列的に設定された発光素子の点灯／非点
灯を指示するデータを、発光素子チップが、発光許可信号に同期して取り込むことで、発光素子の発光が制御される発光素子ヘッドが記載されている。
特許文献３には、それぞれが、複数の発光素子を有し、２以上且つＮ（Ｎは２以上の整数）以下の個数の指定信号で点灯または非点灯の制御の対象として指定される、複数の発光チップと、Ｍ個（Ｍは３以上の整数であって、Ｍ＞Ｎ）の選択信号を送信することにより、当該Ｍ個の選択信号から２以上且つＮ以下の個数の組み合わせによって、前記複数の発光チップを構成するそれぞれの発光チップに対応する前記指定信号が構成され、前記制御の対象として指定する選択信号発生部とを備える発光装置が記載されている。
【先行技術文献】
【特許文献】
【０００４】
【特許文献１】特開２０１０−１１５８１０号公報
【特許文献２】特開２０１０−１１５７８５号公報
【特許文献３】特開２０１１−２１８７７２号公報
【発明の概要】
【発明が解決しようとする課題】
【０００５】
本発明は、発光チップに設けられた複数の発光素子に点灯のための電流を供給する点灯配線の電位を制御して、点灯を指示する信号に対応して発光チップが点灯することを許可または阻止することができる発光チップ等を提供することを目的とする。
【課題を解決するための手段】
【０００６】
請求項１に記載の発明は、それぞれが、基板上に設けられ、アノード端子、カソード端子、ゲート端子を備えるとともに、当該アノード端子または当該カソード端子のいずれか一方に予め定められた電位が共通に供給される複数の発光サイリスタと、前記複数の発光サイリスタのそれぞれの発光サイリスタのアノード端子またはカソード端子のいずれか他方が共通に接続され、当該発光サイリスタに点灯のための電流が供給される点灯配線と、前記基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に前記電位が供給されるとともに、当該第２のゲート端子が前記点灯配線に接続され、オフ状態からオン状態に移行することで、前記複数の発光サイリスタにおいて点灯している発光サイリスタを消灯する第１の制御サイリスタと、前記基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に前記電位が共通に供給されるとともに、当該第２のゲート端子が、前記第１の制御サイリスタのアノード端子またはカソード端子のいずれか他方に接続され、オフ状態からオン状態になることで、当該第１の制御サイリスタをオン状態からオフ状態に移行させる第２の制御サイリスタと、前記基板上に設けられ、予め定められた抵抗値を有し、前記第２の制御サイリスタの前記第２のゲート端子に一方の端子が接続され、他方の端子の電位とオフ状態の当該第２の制御サイリスタの前記第１のゲート端子の電位とで分圧された電位により、前記第１の制御サイリスタをオン状態に維持する制御抵抗とを備える発光チップである。
請求項２に記載の発明は、前記第２の制御サイリスタは、オン状態からオフ状態になることで、前記第１の制御サイリスタをオフ状態からオン状態に移行可能な状態に設定することを特徴とする請求項１に記載の発光チップである。
請求項３に記載の発明は、前記基板上に設けられ、それぞれが、前記複数の発光サイリスタのそれぞれの発光サイリスタに対応して設けられ、順にオン状態になることで、対応する発光サイリスタを点灯可能な状態に設定する複数の転送サイリスタをさらに備えることを特徴とする請求項１または２に記載の発光チップである。
請求項４に記載の発明は、前記第１の制御サイリスタは、オン状態からオフ状態になることで、前記複数の発光サイリスタにおける前記点灯可能な状態に設定された発光サイリスタをオフ状態からオン状態に移行させることを特徴とする請求項３に記載の発光チップである。
請求項５に記載の発明は、前記第１の制御サイリスタの前記第２のゲート端子と、前記点灯配線とに一方の端子が接続された他の制御抵抗を備えることを特徴とする請求項１ないし４のいずれか１項に記載の発光チップである。
請求項６に記載の発明は、それぞれが、基板上に設けられ、アノード端子、カソード端子、ゲート端子を備えるとともに、当該アノード端子または当該カソード端子のいずれか一方に予め定められた電位が共通に供給される複数の発光サイリスタと、当該複数の発光サイリスタのそれぞれの発光サイリスタのアノード端子またはカソード端子のいずれか他方が共通に接続され、当該発光サイリスタに点灯のための電流が供給される点灯配線と、当該基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に当該電位が供給されるとともに、当該第２のゲート端子が当該点灯配線に接続され、オフ状態からオン状態に移行することで、当該複数の発光サイリスタにおいて点灯している発光サイリスタを消灯する第１の制御サイリスタと、当該基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に当該電位が共通に供給されるとともに、当該第２のゲート端子が、当該第１の制御サイリスタのアノード端子またはカソード端子のいずれか他方に接続され、オフ状態からオン状態になることで、当該第１の制御サイリスタをオン状態からオフ状態に移行させる第２の制御サイリスタと、当該基板上に設けられ、予め定められた抵抗値を有し、当該第２の制御サイリスタの第２のゲート端子に一方の端子が接続され、他方の端子の電位とオフ状態の当該第２の制御サイリスタの第１のゲート端子の電位とで分圧された電位により、当該第１の制御サイリスタをオン状態に維持する制御抵抗とを備える発光チップを複数備え、像保持体を露光して静電潜像を形成する露光手段と、前記露光手段から照射される光を像保持体上に結像させる光学手段とを備えるプリントヘッドである。
請求項７に記載の発明は、像保持体と、前記像保持体を帯電する帯電手段と、それぞれが、基板上に設けられ、アノード端子、カソード端子、ゲート端子を備えるとともに、当該アノード端子または当該カソード端子のいずれか一方に予め定められた電位が共通に供給される複数の発光サイリスタと、当該複数の発光サイリスタのそれぞれの発光サイリスタのアノード端子またはカソード端子のいずれか他方が共通に接続され、当該発光サイリスタに点灯のための電流が供給される点灯配線と、当該基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に当該電位が供給されるとともに、当該第２のゲート端子が当該点灯配線に接続され、オフ状態からオン状態に移行することで、当該複数の発光サイリスタにおいて点灯している発光サイリスタを消灯する第１の制御サイリスタと、当該基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に当該電位が共通に供給されるとともに、当該第２のゲート端子が、当該第１の制御サイリスタのアノード端子またはカソード端子のいずれか他方に接続され、オフ状態からオン状態になることで、当該第１の制御サイリスタをオン状態からオフ状態に移行させる第２の制御サイリスタと、当該基板上に設けられ、予め定められた抵抗値を有し、当該第２の制御サイリスタの第２のゲート端子に一方の端子が接続され、他方の端子の電位とオフ状態の当該第２の制御サイリスタの第１のゲート端子の電位とで分圧された電位により、当該第１の制御サイリスタをオン状態に維持する制御抵抗とを備える発光チップを複数備え、前記像保持体を露光して静電潜像を形成する露光手段と、前記露光手段から照射される光を前記像保持体上に結像させる光学手段と、前記像保持体に形成された前記静電潜像を現像する現像手段と、前記像保持体に現像された画像を被転写体に転写する転写手段とを備える画像形成装置である。
【発明の効果】
【０００７】
請求項１の発明によれば、第１の制御サイリスタ、第２の制御サイリスタなどで構成される点灯制御部を備えない場合に比べ、発光チップの大きさを抑制することができる。
請求項２の発明によれば、本構成を有しない場合に比べ、発光チップがより少ない素子で構成できる。
請求項３の発明によれば、本構成を有しない場合に比べ、発光チップの駆動がより容易にできる。
請求項４の発明によれば、本構成を有しない場合に比べ、発光チップの発光サイリスタの点灯期間の制御がより容易にできる。
請求項５の発明によれば、本構成を有しない場合に比べ、発光チップを搭載する回路基板がより少ない部品で構成できる。
請求項６の発明によれば、本構成を有しない場合に比べ、プリントヘッドが小型化できる。
請求項７の発明によれば、本構成を有しない場合に比べ、画像形成装置が小型化できる。
【図面の簡単な説明】
【０００８】
【図１】第１の実施の形態が適用される画像形成装置の全体構成の一例を示した図である。
【図２】プリントヘッドの構成を示した断面図である。
【図３】発光装置の上面図である。
【図４】第１の実施の形態における発光チップの構成、信号発生回路の構成および回路基板上の配線構成を示した図である。
【図５】発光装置の発光チップをマトリクスの各要素として配置して示した図である。
【図６】第１の実施の形態における自己走査型発光素子アレイ（ＳＬＥＤ）チップである発光チップの回路構成を説明するための等価回路図である。
【図７】第１の実施の形態における発光チップの平面レイアウト図である。
【図８】第１の実施の形態における発光チップの断面図である。
【図９】２つのゲート端子を有するサイリスタの動作を説明する図である。
【図１０】第１の実施の形態における発光装置および発光チップの動作を説明するためのタイミングチャートである。
【図１１】第２の実施の形態における発光チップの構成、信号発生回路の構成および回路基板上の配線構成を示した図である。
【図１２】第２の実施の形態における発光装置の発光チップをマトリクスの各要素として配置して示した図である。
【図１３】第２の実施の形態における自己走査型発光素子アレイ（ＳＬＥＤ）である発光チップの回路構成を説明するための等価回路図である。
【図１４】第２の実施の形態における発光チップの平面レイアウト図である。
【図１５】第２の実施の形態における発光装置および発光チップの動作を説明するためのタイミングチャートである。
【図１６】第３の実施の形態における発光チップの構成、信号発生回路の構成および回路基板上の配線構成を示した図である。
【図１７】第３の実施の形態における発光装置の発光チップをマトリクスの各要素として配置して示した図である。
【図１８】第３の実施の形態における自己走査型発光素子アレイ（ＳＬＥＤ）である発光チップの回路構成を説明するための等価回路図である。
【図１９】第３の実施の形態における発光チップの平面レイアウト図である。
【図２０】第３の実施の形態における発光装置および発光チップの動作を説明するためのタイミングチャートである。
【発明を実施するための形態】
【０００９】
以下、添付図面を参照して、本発明の実施の形態について詳細に説明する。
［第１の実施の形態］
（画像形成装置１）
図１は、第１の実施の形態が適用される画像形成装置１の全体構成の一例を示した図である。図１に示す画像形成装置１は、一般にタンデム型と呼ばれる画像形成装置である。この画像形成装置１は、各色の画像データに対応して画像形成を行なう画像形成プロセス部１０、画像形成プロセス部１０を制御する画像出力制御部３０、例えばパーソナルコンピュータ（ＰＣ）２や画像読取装置３に接続され、これらから受信された画像データに対して予め定められた画像処理を施す画像処理部４０を備えている。
【００１０】
画像形成プロセス部１０は、予め定められた間隔を置いて並列的に配置される複数のエンジンを含む画像形成ユニット１１を備えている。この画像形成ユニット１１は、４つの画像形成ユニット１１Ｙ、１１Ｍ、１１Ｃ、１１Ｋから構成されている。画像形成ユニット１１Ｙ、１１Ｍ、１１Ｃ、１１Ｋは、それぞれ、静電潜像を形成してトナー像を保持する像保持体の一例としての感光体ドラム１２、感光体ドラム１２の表面を予め定められた電位で帯電する帯電手段の一例としての帯電器１３、帯電器１３によって帯電された感光体ドラム１２を露光するプリントヘッド１４、プリントヘッド１４によって得られた静電潜像を現像する現像手段の一例としての現像器１５を備えている。ここで、各画像形成ユニット１１Ｙ、１１Ｍ、１１Ｃ、１１Ｋは、現像器１５に収納されたトナーを除いて、同様に構成されている。そして、画像形成ユニット１１Ｙ、１１Ｍ、１１Ｃ、１１Ｋは、それぞれがイエロー（Ｙ）、マゼンタ（Ｍ）、シアン（Ｃ）、黒（Ｋ）のトナー像を形成する。
また、画像形成プロセス部１０は、各画像形成ユニット１１Ｙ、１１Ｍ、１１Ｃ、１１Ｋの感光体ドラム１２にて形成された各色のトナー像を被転写体の一例としての記録用紙に多重転写させるために、この記録用紙を搬送する用紙搬送ベルト２１と、用紙搬送ベルト２１を駆動させるロールである駆動ロール２２と、感光体ドラム１２のトナー像を記録用紙に転写させる転写手段の一例としての転写ロール２３と、記録用紙にトナー像を定着させる定着器２４とを備えている。
【００１１】
この画像形成装置１において、画像形成プロセス部１０は、画像出力制御部３０から供給される各種の制御信号に基づいて画像形成動作を行う。そして、画像出力制御部３０による制御の下で、パーソナルコンピュータ（ＰＣ）２や画像読取装置３から受信された画像データは、画像処理部４０によって画像処理が施され、画像形成ユニット１１に供給される。そして、例えば黒（Ｋ）色の画像形成ユニット１１Ｋでは、感光体ドラム１２が矢印Ａ方向に回転しながら、帯電器１３により予め定められた電位に帯電され、画像処理部４０から供給された画像データに基づいて発光するプリントヘッド１４により露光される。これにより、感光体ドラム１２上には、黒（Ｋ）色画像に関する静電潜像が形成される。そして、感光体ドラム１２上に形成された静電潜像は、現像器１５により現像され、感光体ドラム１２上には黒（Ｋ）色のトナー像が形成される。画像形成ユニット１１Ｙ、１１Ｍ、１１Ｃにおいても、それぞれイエロー（Ｙ）、マゼンタ（Ｍ）、シアン（Ｃ）の各色トナー像が形成される。
【００１２】
各画像形成ユニット１１で形成された感光体ドラム１２上の各色トナー像は、矢印Ｂ方向に移動する用紙搬送ベルト２１の移動に伴って供給された記録用紙に、転写ロール２３に印加された転写電界により、順次静電転写され、記録用紙上に各色トナーが重畳された合成トナー像が形成される。
その後、合成トナー像が静電転写された記録用紙は、定着器２４まで搬送される。定着器２４に搬送された記録用紙上の合成トナー像は、定着器２４によって熱および圧力による定着処理を受けて記録用紙上に定着され、画像形成装置１から排出される。
【００１３】
（プリントヘッド１４）
図２は、プリントヘッド１４の構成を示した断面図である。このプリントヘッド１４は、ハウジング６１、感光体ドラム１２を露光する複数の発光素子（本実施の形態では発光サイリスタ）を有する光源部６３を備えた露光手段の一例としての発光装置６５、光源部６３から出射された光を感光体ドラム１２表面に結像させる光学手段の一例としてのロッドレンズアレイ６４を備えている。
発光装置６５は、光源部６３、光源部６３を駆動する信号発生回路１１０（後述の図３参照）等を搭載する回路基板６２を備えている。なお、発光装置６５が信号発生回路１１０を備えず、発光装置６５の外部の画像出力制御部３０等が信号発生回路１１０を備えてもよい。この場合、画像出力制御部３０等から、信号発生回路１１０が光源部６３に供給する信号等がハーネス等を介して発光装置６５に供給される。以下では、発光装置６５が信号発生回路１１０を備えているとして説明する。
【００１４】
ハウジング６１は、例えば金属で形成され、回路基板６２およびロッドレンズアレイ６４を支持し、光源部６３の発光素子における発光点がロッドレンズアレイ６４の焦点面となるように設定されている。また、ロッドレンズアレイ６４は、感光体ドラム１２の軸方向（主走査方向であって、後述する図３、図４（ｂ）のＸ方向）に沿って配置されている。
【００１５】
（発光装置６５）
図３は、発光装置６５の上面図である。
図３に示すように、本実施の形態における発光装置６５では、光源部６３は、回路基板６２上に、２０個の発光チップＣａ１〜Ｃａ２０（発光チップ群＃ａ）と、２０個の発光チップＣｂ１〜Ｃｂ２０（発光チップ群＃ｂ）とを、主走査方向に二列に千鳥状に配置して構成されている。すなわち、本実施の形態では、２つの発光チップ群（発光チップ群＃ａと発光チップ群＃ｂ）を備えている。ここでは、発光チップ群を群と表記することがある。なお、発光チップ群＃ａと発光チップ群＃ｂとの向かい合わせについての詳細は後述する。
本明細書では、「〜」は、番号によってそれぞれが区別された複数の構成要素を示すもので、「〜」の前後に記載されたものおよびその間の番号のものを含むことを意味する。例えば、発光チップＣａ１〜Ｃａ２０は、発光チップＣａ１から番号順に発光チップＣａ２０までを含む。
【００１６】
発光チップＣａ１〜Ｃａ２０および発光チップＣｂ１〜Ｃｂ２０の構成は同一であってよい。よって、発光チップＣａ１〜Ｃａ２０および発光チップＣｂ１〜Ｃｂ２０をそれぞれ区別しないときは、発光チップＣと表記する。
なお、本実施の形態では、発光チップＣの数として、合計４０個を用いたが、これに限定されない。
そして、発光装置６５は、光源部６３を駆動する信号発生回路１１０を搭載している。なお、前述したように、発光装置６５は、信号発生回路１１０を搭載していなくともよい。
【００１７】
図４は、第１の実施の形態における発光チップＣの構成、信号発生回路１１０の構成および回路基板６２上の配線構成を示した図である。図４（ａ）は発光チップＣの構成を示し、図４（ｂ）は発光装置６５の信号発生回路１１０の構成および回路基板６２上の配線構成を示す。第１の実施の形態では、発光チップＣは２つの発光チップ群（＃ａおよび＃ｂ）に分けられている。
【００１８】
はじめに、図４（ａ）に示す発光チップＣの構成を説明する。
発光チップＣは、表面形状が長方形である基板８０の表面において、長辺の一辺に近い側に長辺に沿って列状に設けられた複数の発光素子（本実施の形態では発光サイリスタＬ１、Ｌ２、Ｌ３、…）を有する発光部１０２を備えている。さらに、発光チップＣは、基板８０の長辺方向の両端部に、各種の制御信号等を取り込むための複数のボンディングパッドである入力端子（φＥ端子、φ１端子、Ｖｇａ端子、φ２端子、φＷ端子、φＩ端子）を備えている。なお、これらの入力端子は、基板８０の一端部からφＥ端子、φ１端子、Ｖｇａ端子の順に設けられ、基板８０の他端部からφＩ端子、φＷ端子、φ２端子の順に設けられている。そして、発光部１０２は、Ｖｇａ端子とφ２端子との間に設けられている。さらに、基板８０の裏面にはＶｓｕｂ端子として裏面電極８５（後述する図８参照）が設けられている。
【００１９】
なお、「列状」とは、図４（ａ）に示したように複数の発光素子が一直線上に配置されている場合に限らず、複数の発光素子のそれぞれの発光素子が、列方向と直交する方向に対して、互いに異なるずれ量を有して配置されている状態でもよい。例えば、発光素子の発光面３２１ａ（後述する図７参照）を画素としたとき、それぞれの発光素子が、列方向と直交する方向に数画素分または数十画素分のずれ量をもって配置されていてもよい。また、隣接する発光素子間で交互に、または複数の発光素子毎に、ジグザグに配置されていてもよい。
【００２０】
次に、図４（ｂ）により、発光装置６５の信号発生回路１１０の構成および回路基板６２上の配線構成を説明する。
前述したように、発光装置６５の回路基板６２には、信号発生回路１１０および発光チップＣ（発光チップＣａ１〜Ｃａ２０および発光チップＣｂ１〜Ｃｂ２０）が搭載され、信号発生回路１１０と発光チップＣ（発光チップＣａ１〜Ｃａ２０および発光チップＣｂ１〜Ｃｂ２０）とを相互に接続する配線（ライン）が設けられている。
なお、発光装置６５の回路基板６２が信号発生回路１１０を搭載していなくともよい。このとき、信号発生回路１１０は、発光装置６５の外部に設けられ、発光チップＣ（発光チップＣａ１〜Ｃａ２０および発光チップＣｂ１〜Ｃｂ２０）を制御する制御信号などを、ケーブルなどを介して供給する。ここでは、発光装置６５は信号発生回路１１０を備えているとして説明する。
【００２１】
まず、信号発生回路１１０の構成について説明する。
信号発生回路１１０には、図示しないが、画像出力制御部３０および画像処理部４０（図１参照）より、画像処理された画像データおよび各種の制御信号が入力される。信号発生回路１１０は、これらの画像データおよび各種の制御信号に基づいて、画像データの並び替えや光量の補正等を行う。
そして、信号発生回路１１０は、各種の制御信号に基づき、発光チップ群＃ａ（発光チップＣａ１〜Ｃａ２０）に対して、第１転送信号φ１ａおよび第２転送信号φ２ａを送信する転送信号発生部１２０ａと、発光チップ群＃ｂ（発光チップＣｂ１〜Ｃｂ２０）に対して、第１転送信号φ１ｂおよび第２転送信号φ２ｂを送信する転送信号発生部１２０ｂとを備えている。
【００２２】
さらに、信号発生回路１１０は、各種の制御信号に基づき、発光チップ群＃ａ（発光チップＣａ１〜Ｃａ２０）に対して、許可信号φＥａを送信する許可信号発生部１３０ａと、発光チップ群＃ｂ（発光チップＣｂ１〜Ｃｂ２０）に対して、許可信号φＥｂを送信する許可信号発生部１３０ｂとを備えている。
さらにまた、信号発生回路１１０は、各種の制御信号に基づき、発光チップ群＃ａ（発光チップＣａ１〜Ｃａ２０）に対して、点灯信号φＩａを送信する点灯信号発生部１４０ａと、発光チップ群＃ｂ（発光チップＣｂ１〜Ｃｂ２０）に対して、点灯信号φＩｂを送信する点灯信号発生部１４０ｂとを備えている。
そして、信号発生回路１１０は、各種の制御信号に基づき、発光チップ群＃ａに属する一つの発光チップＣと発光チップ群＃ｂに属する一つの発光チップＣとを一つの発光チップ組にして、発光チップ組毎に設定信号φＷ１〜φＷ２０を送信する設定信号発生部１５０を備えている。ここでは、発光チップ組を組と表記することがある。
【００２３】
例えば、設定信号発生部１５０は、発光チップ群＃ａに属する発光チップＣａ１と発光チップ群＃ｂに属する発光チップＣｂ１との発光チップ組＃１に対して、設定信号φＷ１を送信する。発光チップ群＃ａに属する発光チップＣａ２と発光チップ群＃ｂに属する発光チップＣｂ２との発光チップ組＃２に対して、設定信号φＷ２を送信する。以下同様にして、発光チップ群＃ａに属する発光チップＣａ２０と発光チップ群＃ｂに属する発光チップＣｂ２０との発光チップ組＃２０に対して、設定信号φＷ２０を送信する。
さらにまた、信号発生回路１１０は、発光チップＣ（発光チップＣａ１〜Ｃａ２０および発光チップＣｂ１〜Ｃｂ２０）に電位の基準となる基準電位Ｖｓｕｂを供給する基準電位供給部１６０、発光チップＣ（発光チップＣａ１〜Ｃａ２０および発光チップＣｂ１〜Ｃｂ２０）の駆動のための電源電位Ｖｇａを供給する電源電位供給部１７０を備えている。
【００２４】
なお、上述したように、図４では、転送信号発生部１２０ａと転送信号発生部１２０ｂとを分けて示したが、これらをまとめて転送信号発生部１２０と表記する。また、許可信号発生部１３０ａと許可信号発生部１３０ｂとを分けて示したが、これらをまとめて許可信号発生部１３０と表記する。そして、点灯信号発生部１４０ａと点灯信号発生部１４０ｂとを分けて示したが、これらをまとめて点灯信号発生部１４０と表記する。
また、第１転送信号φ１ａと第１転送信号φ１ｂとを区別しない場合には第１転送信号φ１と呼び、第２転送信号φ２ａと第２転送信号φ２ｂとを区別しない場合には第２転送信号φ２と、第１転送信号φ１と第２転送信号φ２とを区別しないときは転送信号と表記する。許可信号φＥａと許可信号φＥｂとを区別しない場合には許可信号φＥと、点灯信号φＩａと点灯信号φＩｂとを区別しない場合には点灯信号φＩと、設定信号φＷ１〜φＷ２０をまとめて設定信号φＷと表記する。
【００２５】
次に、発光チップＣａ１〜Ｃａ２０および発光チップＣｂ１〜Ｃｂ２０の配列について説明する。
発光チップ群＃ａに属する発光チップＣａ１〜Ｃａ２０は、それぞれの長辺の方向に間隔を設けて一列に配列されている。発光チップ群＃ｂに属する発光チップＣｂ１〜Ｃｂ２０も、それぞれの長辺の方向に一列に間隔を設けて配列されている。そして、発光チップ群＃ａに属する発光チップＣａ１〜Ｃａ２０および発光チップ群＃ｂに属する発光チップＣｂ１〜Ｃｂ２０のそれぞれに設けられた発光部１０２に近い側の長辺が向かい合うように、互いに１８０°回転した状態で千鳥状に配列されている。そして、発光チップＣ間においても発光素子が主走査方向に予め定められた間隔で並ぶように、発光チップＣの位置が設定されている。なお、図４（ｂ）の発光チップＣａ１、Ｃａ２、Ｃａ３、…および発光チップＣｂ１、Ｃｂ２、Ｃｂ３、…に、図４（ａ）に示した発光部１０２の発光素子の並び（本実施の形態では発光サイリスタＬ１、Ｌ２、Ｌ３、…の番号順）の方向を矢印で示している。
【００２６】
信号発生回路１１０と発光チップＣ（発光チップＣａ１〜Ｃａ２０および発光チップＣｂ１〜Ｃｂ２０）とを相互に接続する配線（ライン）について説明する。
回路基板６２には、発光チップＣの基板８０裏面に設けられたＶｓｕｂ端子（後述の図６、図７、図８参照）に接続され、基準電位供給部１６０より基準電位Ｖｓｕｂを供給する電源ライン２００ａが設けられている。
また、発光チップＣに設けられたＶｇａ端子に接続され、電源電位供給部１７０より電力供給のための電源電位Ｖｇａを供給する電源ライン２００ｂが設けられている。
【００２７】
回路基板６２には、信号発生回路１１０の転送信号発生部１２０ａから、発光チップ群＃ａの発光チップＣａ１〜Ｃａ２０のφ１端子に、第１転送信号φ１ａを送信する第１転送信号ライン２０１ａ、および発光チップ群＃ａの発光チップＣａ１〜Ｃａ２０のφ２端子に、第２転送信号φ２ａを送信する第２転送信号ライン２０２ａが設けられている。転送信号発生部１２０ａは、発光チップ群＃ａの発光チップＣａ１〜Ｃａ２０に共通（並列）に第１転送信号φ１ａおよび第２転送信号φ２ａを送信する。
また、信号発生回路１１０の転送信号発生部１２０ｂから、発光チップ群＃ｂの発光チップＣｂ１〜Ｃｂ２０のφ１端子に、第１転送信号φ１ｂを送信するための第１転送信号ライン２０１ｂ、および発光チップ群＃ｂの発光チップＣｂ１〜Ｃｂ２０のφ２端子に、第２転送信号φ２ｂを送信するための第２転送信号ライン２０２ｂが設けられている。転送信号発生部１２０ｂは、発光チップ群＃ｂの発光チップＣｂ１〜Ｃｂ２０に共通（並列）に第１転送信号φ１ｂおよび第２転送信号φ２ｂを送信する。
【００２８】
回路基板６２には、信号発生回路１１０の許可信号発生部１３０ａから、発光チップ群＃ａの発光チップＣａ１〜Ｃａ２０のφＥ端子に、許可信号φＥａを送信する許可信号ライン２０３ａが設けられている。許可信号発生部１３０ａは、発光チップ群＃ａの発光チップＣａ１〜Ｃａ２０に共通（並列）に許可信号φＥａを送信する。
また、信号発生回路１１０の許可信号発生部１３０ｂから、発光チップ群＃ｂの発光チップＣｂ１〜Ｃｂ２０のφＥ端子に、許可信号φＥｂを送信する許可信号ライン２０３ｂが設けられている。許可信号発生部１３０ｂは、発光チップ群＃ｂの発光チップＣｂ１〜Ｃｂ２０に共通（並列）に許可信号φＥｂを送信する。
【００２９】
回路基板６２には、信号発生回路１１０の点灯信号発生部１４０ａから、発光チップ群＃ａの発光チップＣａ１〜Ｃａ２０のφＩ端子に、点灯信号φＩａを送信する点灯信号ライン２０４ａが設けられている。点灯信号発生部１４０ａは、発光チップ群＃ａの発光チップＣａ１〜Ｃａ２０に共通（並列）に点灯信号φＩａを送信する。
また、信号発生回路１１０の点灯信号発生部１４０ｂから、発光チップ群＃ｂの発光チップＣｂ１〜Ｃｂ２０のφＩ端子に、点灯信号φＩｂを送信するための点灯信号ライン２０４ｂが設けられている。点灯信号発生部１４０ｂは、発光チップ群＃ｂの発光チップＣｂ１〜Ｃｂ２０に共通（並列）に点灯信号φＩｂを送信する。
【００３０】
回路基板６２には、信号発生回路１１０の設定信号発生部１５０から、発光チップ群＃ａに属する一つの発光チップＣと発光チップ群＃ｂに属する一つの発光チップＣとを発光チップの組（発光チップ組）にして、発光チップ組毎に設定信号φＷ１〜φＷ２０を送信する設定信号ライン２０５〜２２４が設けられている。
例えば、設定信号ライン２０５は、発光チップ群＃ａの発光チップＣａ１のφＷ端子と発光チップ群＃ｂに属する発光チップＣｂ１のφＷ端子とに接続されている。設定信号発生部１５０は、発光チップＣａ１と発光チップＣｂ１とで構成する発光チップ組＃１に対して共通（並列）に設定信号φＷ１を送信する。設定信号ライン２０６は、発光チップ群＃ａの発光チップＣａ２のφＷ端子と発光チップ群＃ｂに属する発光チップＣｂ２のφＷ端子とに接続されている。設定信号発生部１５０は、発光チップＣａ２と発光チップＣｂ２とで構成する発光チップ組＃２に対して共通（並列）に設定信号φＷ２を送信する。以下同様にして、設定信号ライン２２４は、発光チップ群＃ａの発光チップＣａ２０のφＷ端子と発光チップ群＃ｂに属する発光チップＣｂ２０のφＷ端子とに接続さている。設定信号発生部１５０は、発光チップＣａ２０と発光チップＣｂ２０とで構成する発光チップ組＃２０に対して共通（並列）に設定信号φＷ２０を送信する。
【００３１】
以上説明したように、回路基板６２上のすべての発光チップＣには、基準電位Ｖｓｕｂと電源電位Ｖｇａが共通に供給される。
そして、第１転送信号φ１ａ、第２転送信号φ２ａ、点灯信号φＩａ、許可信号φＥａは、発光チップ群＃ａに対して共通に送信される。そして、第１転送信号φ１ｂ、第２転送信号φ２ｂ、点灯信号φＩｂ、許可信号φＥｂは、発光チップ群＃ｂに対して共通に送信される。
一方、設定信号φＷ１〜φＷ２０は、発光チップ群＃ａに属する一つの発光チップＣと発光チップ群＃ｂに属する一つの発光チップＣとの構成する発光チップ組＃１〜＃２０のそれぞれに対して共通に送信される。
【００３２】
なお、発光装置６５が信号発生回路１１０を備えない場合には、発光装置６５に設けられた電源ライン２００ａ、２００ｂ、第１転送信号ライン２０１ａ、２０１ｂ、第２転送信号ライン２０２ａ、２０２ｂ、許可信号ライン２０３ａ、２０３ｂ、点灯信号ライン２０４ａ、２０４ｂ、設定信号ライン２０５〜２２４は、信号発生回路１１０の代わりにコネクタなどに接続される。そして、コネクタなどに接続されるケーブルにより、発光装置６５の外部に設けられた信号発生回路１１０に接続される。
【００３３】
図５は、発光装置６５の発光チップＣをマトリクスの各要素として配置して示した図である。
図５では、発光チップＣ（発光チップＣａ１〜Ｃａ２０および発光チップＣｂ１〜Ｃｂ２０）を２×２０のマトリクスの各要素として配置している。そして、上記した信号発生回路１１０と発光チップＣ（発光チップＣａ１〜Ｃａ２０および発光チップＣｂ１〜Ｃｂ２０）とを相互に接続する信号（第１転送信号φ１ａ、φ１ｂ、第２転送信号φ２ａ、φ２ｂ、点灯信号φＩａ、φＩｂ、許可信号φＥａ、φＥｂ、設定信号φＷ１〜φＷ２０）の配線（ライン）を示している。
上述したように、第１転送信号φ１ａ、第２転送信号φ２ａ、点灯信号φＩａ、許可信号φＥａは、発光チップ群＃ａに対して共通に送信される。そして、第１転送信号φ１ｂ、第２転送信号φ２ｂ、点灯信号φＩｂ、許可信号φＥｂは、発光チップ群＃ｂに対して共通に送信されることが容易に理解できる。
これに対し、設定信号φＷ１〜φＷ２０は、発光チップ群＃ａに属する一つの発光チップＣと発光チップ群＃ｂに属する一つの発光チップＣとの構成する発光チップ組＃１〜＃２０のそれぞれに対して共通に送信されることが容易に理解できる。
【００３４】
第１の実施の形態では、４０個の発光チップＣを群（発光チップ群＃ａ、＃ｂ）および組（発光チップ組＃１〜＃２０）に分けて、許可信号φＥと設定信号φＷを用いて、発光チップＣを選択し、それぞれの発光チップＣの発光素子（本実施の形態では発光サイリスタＬ１、Ｌ２、Ｌ３、…）の点灯または非点灯を制御（以下、点灯制御と表記する。）している。この場合には、発光装置６５において設けられる配線（ライン）の数は、電源ライン２００ａ、２００ｂ、第１転送信号ライン２０１ａ、２０１ｂ、第２転送信号ライン２０２ａ、２０２ｂ、許可信号ライン２０３ａ、２０３ｂ、点灯信号ライン２０４ａ、２０４ｂ、設定信号ライン２０５〜２２４の３０本である。
これに対して、４０個の発光チップＣを群および組に分けないで、発光チップＣのそれぞれに点灯信号ライン（点灯信号ライン２０４ａ、２０４ｂと同様なもの）を設ける場合には、発光装置６５において設けられる配線（ライン）の数は、電源ライン２００ａ、２００ｂ、第１転送信号ライン（第１転送信号ライン２０１ａ、２０１ｂと同様なもの）、第２転送信号ライン（第２転送信号ライン２０２ａ、２０２ｂと同様なもの）、４０本の点灯信号ラインの４４本である。
よって、第１の実施の形態の群および組に分ける場合は、群および組に分けない場合に比べ、配線（ライン）の数が１４本少なくなる。
このように、発光チップＣを群および組に分けることで、回路基板６２上の配線（ライン）の数を抑制できる。
【００３５】
また、第１の実施の形態の群および組に分ける場合では、発光素子の点灯のための電流を供給する点灯信号ライン２０４ａ、２０４ｂは２本である。これに対し、群および組に分けない場合は、点灯信号ラインは４０本である。点灯信号ラインには、他の配線（第１転送信号ライン２０１ａ、２０１ｂ、第２転送信号ライン２０２ａ、２０２ｂ、許可信号ライン２０３ａ、２０３ｂ）と異なり、大きな電流が流れるため、抵抗の小さい配線（ライン）、すなわち幅の広い配線（ライン）が用いられる。
そして、点灯信号ラインは、例えば、図４（ｂ）に示すように、長方形の回路基板６２の一方の端部に設けられた信号発生回路１１０から、千鳥状に配列された発光チップＣの列に沿って（回路基板６２の長手方向に沿って）設けられる。よって、発光チップＣを群および組に分ける場合は、群および組に分けない場合に比べ、回路基板６２に設けられる配線（ライン）の数が少ないことに加え、幅の広い配線（ライン）の数が少なく、回路基板６２の幅をより狭くできる。
【００３６】
（発光チップＣ）
図６は、第１の実施の形態における自己走査型発光素子アレイ（ＳＬＥＤ）である発光チップＣの回路構成を説明するための等価回路図である。なお、図６では、以下に説明する各素子は、後述する図７で説明するように、発光チップＣ上のレイアウトに基づいて配置されている。なお、入力端子（Ｖｇａ端子、φ１端子、φ２端子、φＥ端子、φＷ端子、φＩ端子）は、図４（ａ）と異なるが、説明の便宜上、図中左端に示している。
ここでは、発光チップＣａ１を例に、発光チップＣを説明する。そこで、図６において、発光チップＣを発光チップＣａ１（Ｃ）と表記する。他の発光チップＣａ２〜Ｃａ２０および発光チップＣｂ１〜Ｃｂ２０の構成は、発光チップＣａ１と同じである。
【００３７】
発光チップＣａ１（Ｃ）は、前述したように基板８０上に列状に配列された発光サイリスタＬ１、Ｌ２、Ｌ３、…を有する発光サイリスタ列を備えている。
さらに、発光チップＣａ１（Ｃ）は、発光サイリスタ列と同様に列状に配列された、転送サイリスタＴ１、Ｔ２、Ｔ３、…を有する転送サイリスタ列を備えている。
ここでは、発光サイリスタＬ１、Ｌ２、Ｌ３、…をそれぞれ区別しないときは、発光サイリスタＬと、転送サイリスタＴ１、Ｔ２、Ｔ３、…をそれぞれ区別しないときは、転送サイリスタＴと表記する。
なお、上記の発光サイリスタＬ、転送サイリスタＴは、アノード端子、カソード端子、ゲート端子の３端子を有する半導体素子である。
【００３８】
また、発光チップＣａ１（Ｃ）は、転送サイリスタＴ１、Ｔ２、Ｔ３、…をそれぞれ番号順に２つをペアにしてそれぞれの間に結合ダイオードＤ１、Ｄ２、Ｄ３、…を備えている。そして、発光チップＣａ１（Ｃ）は、接続抵抗Ｒｇ１、Ｒｇ２、Ｒｇ３、…を備えている。
ここで、発光サイリスタＬなどと同様に、結合ダイオードＤ１、Ｄ２、Ｄ３、…、接続抵抗Ｒｇ１、Ｒｇ２、Ｒｇ３、…のそれぞれを区別しないときは、結合ダイオードＤ、接続抵抗Ｒｇと表記する。
【００３９】
さらに、発光チップＣａ１（Ｃ）は、スタートダイオードＤ０を備えている。さらに、後述する第１転送信号線７２、第２転送信号線７３および点灯信号線７５のそれぞれに過剰な電流が流れることを抑制する電流制限抵抗ＲＣ１、ＲＣ２、ＲＩを備えている。電流制限抵抗ＲＩは他の制御抵抗の一例である。
【００４０】
転送サイリスタ列、結合ダイオードＤ、スタートダイオードＤ０、電流制限抵抗ＲＣ１、ＲＣ２、接続抵抗Ｒｇが転送部１０１を構成する。電流制限抵抗ＲＩを加えた発光サイリスタ列は、前述したように発光部１０２（図４（ａ）参照）を構成する。なお、電流制限抵抗ＲＩは、発光チップＣの外に設けてもよい。
【００４１】
発光サイリスタ列における発光サイリスタＬの数は、予め定められた個数とすればよい。本実施の形態で、発光サイリスタＬの数を例えば１２８個とすると、転送サイリスタＴの数も１２８個である。接続抵抗Ｒｇの数も１２８個である。しかし、結合ダイオードＤの数は、転送サイリスタＴの数より１少ない１２７個である。
なお、転送サイリスタＴの数は、発光サイリスタＬの数より多くてもよい。
【００４２】
図６中において、発光サイリスタ列の発光サイリスタＬ１、Ｌ２、Ｌ３、…、転送サイリスタ列の転送サイリスタＴ１、Ｔ２、Ｔ３、…は、左側から番号順に配列されている。
さらに、結合ダイオードＤ１、Ｄ２、Ｄ３、…、接続抵抗Ｒｇ１、Ｒｇ２、Ｒｇ３、…も、図中左側から番号順に配列されている。
そして、発光サイリスタ列、転送サイリスタ列は、図６中上から、転送サイリスタ列、発光サイリスタ列の順に並べられている。
【００４３】
そして、発光チップＣａ１（Ｃ）は、発光チップＣａ１（Ｃ）における発光サイリスタＬの点灯を許可または阻止する点灯制御部１０３を備えている。
第１の実施の形態における点灯制御部１０３は、第１の制御サイリスタの一例としての設定サイリスタＳＴ、第２の制御サイリスタの一例としての駆動サイリスタＤＴ、電流制限抵抗ＲＥ１、ＲＥ２、ＲＷ、Ｒｄｔを備えている。ここで、電流制限抵抗Ｒｄｔは制御抵抗の一例である。
なお、設定サイリスタＳＴ、駆動サイリスタＤＴは、アノード端子、カソード端子、２つのゲート端子の４端子を有する半導体素子である。図６においては、設定サイリスタＳＴ、駆動サイリスタＤＴを、破線でかこって示すように、並列に配置されたサイリスタと抵抗とで模式的に表記する。これらの具体的な構造は、図７、図８、図９において説明するように、サイリスタと抵抗とが並列に配置されたものではない。しかし、本明細書においては、設定サイリスタＳＴ、駆動サイリスタＤＴを、便宜上並列に配置したサイリスタと抵抗とを破線で囲って表記する。他の実施の形態でも同様とする。
【００４４】
次に、発光チップＣａ１（Ｃ）における各素子の電気的な接続について説明する。
発光サイリスタＬ、転送サイリスタＴ、設定サイリスタＳＴ、駆動サイリスタＤＴのそれぞれのアノード端子は基板８０に接続されている（アノードコモン）。
そして、これらのアノード端子は、基板８０の裏面に設けられた裏面電極８５（後述の図８参照）であるＶｓｕｂ端子を介して電源ライン２００ａ（図４参照）に接続されている。この電源ライン２００ａには、基準電位供給部１６０から基準電位Ｖｓｕｂが供給される。
【００４５】
転送サイリスタＴの配列に沿って、奇数番目の転送サイリスタＴ１、Ｔ３、…のカソード端子は、第１転送信号線７２に接続されている。そして、第１転送信号線７２は、電流制限抵抗ＲＣ１を介して、φ１端子に接続されている。このφ１端子には、第１転送信号ライン２０１ａ（図４参照）が接続され、第１転送信号φ１ａが送信される。
【００４６】
一方、転送サイリスタＴの配列に沿って、偶数番目の転送サイリスタＴ２、Ｔ４、…のカソード端子は、第２転送信号線７３に接続されている。そして、第２転送信号線７３は、電流制限抵抗ＲＣ２を介して、φ２端子に接続されている。このφ２端子には、第２転送信号ライン２０２ａ（図４参照）が接続され、第２転送信号φ２ａが送信される。
【００４７】
発光サイリスタＬのカソード端子は、点灯配線の一例としての点灯信号線７５に接続されている。そして、点灯信号線７５は、電流制限抵抗ＲＩを介してφＩ端子に接続されている。このφＩ端子には、点灯信号ライン２０４ａが接続され、点灯信号φＩａが送信される。
【００４８】
転送サイリスタＴのゲート端子Ｇｔ１、Ｇｔ２、Ｇｔ３、…は、それぞれ接続抵抗Ｒｇ１、Ｒｇ２、Ｒｇ３、…を介して電源線７１に接続されている。そして、電源線７１は、Ｖｇａ端子に接続されている。このＶｇａ端子には、電源ライン２００ｂが接続され、電源電位供給部１７０から電源電位Ｖｇａが供給される。
【００４９】
転送サイリスタＴのゲート端子Ｇｔ１、Ｇｔ２、Ｇｔ３、…は、それぞれが同じ番号の発光サイリスタＬ１、Ｌ２、Ｌ３、…のゲート端子Ｇｌ１、Ｇｌ２、Ｇｌ３、…に１対１で接続されている。
【００５０】
ここでも、ゲート端子Ｇｔ１、Ｇｔ２、Ｇｔ３、…、ゲート端子Ｇｌ１、Ｇｌ２、Ｇｌ３、…のそれぞれを区別しないときは、ゲート端子Ｇｔ、ゲート端子Ｇｌと表記する。
【００５１】
転送サイリスタＴ１、Ｔ２、Ｔ３、…のそれぞれのゲート端子Ｇｔ１、Ｇｔ２、Ｇｔ３、…を番号順に２個ずつペアとしたゲート端子Ｇｔ間に、結合ダイオードＤ１、Ｄ２、Ｄ３、…がそれぞれ接続されている。すなわち、結合ダイオードＤ１、Ｄ２、Ｄ３、…はそれぞれがゲート端子Ｇｔ１、Ｇｔ２、Ｇｔ３、…で順に挟まれるように直列接続されている。そして、結合ダイオードＤ１の向きは、ゲート端子Ｇｔ１からゲート端子Ｇｔ２に向かって電流が流れる方向に接続されている。他の結合ダイオードＤ２、Ｄ３、Ｄ４、…についても同様である。
【００５２】
そして、スタートダイオードＤ０のカソード端子は、転送サイリスタ列の一端側の転送サイリスタＴ１のゲート端子Ｇｔ１に接続されている。一方、スタートダイオードＤ０のアノード端子は、第２転送信号線７３に接続されている。
【００５３】
設定サイリスタＳＴのゲート端子Ｇｓｔ１は、電流制限抵抗ＲＥ１を介して、φＥ端子に接続されている。このφＥ端子には、許可信号ライン２０３ａに接続され、許可信号φＥａが送信される。設定サイリスタＳＴのゲート端子Ｇｓｔ２は、点灯信号線７５に接続されている。そして、設定サイリスタＳＴのカソード端子Ｋｓｔは、駆動サイリスタＤＴのゲート端子Ｇｄｔ２に接続されている。
一方、駆動サイリスタＤＴのゲート端子Ｇｄｔ１は、電流制限抵抗ＲＥ２を介して、φＥ端子に接続されている。駆動サイリスタＤＴのゲート端子Ｇｄｔ２は、電流制限抵抗Ｒｄｔを介して、電源線７１に接続されている。そして、駆動サイリスタＤＴのカソード端子Ｋｄｔは、電流制限抵抗ＲＷを介して、φＷ端子に接続されている。このφＷ端子には、設定信号ライン２０５が接続され、設定信号φＷ１が送信される。
【００５４】
なお、発光チップＣｂ１の場合には、φ１端子には、第１転送信号ライン２０１ｂ（図４参照）が接続され、第１転送信号φ１ｂが送信される。φ２端子には、第２転送信号ライン２０２ｂ（図４参照）が接続され、第２転送信号φ２ｂが送信される。
φＥ端子には、許可信号ライン２０３ｂが接続され、許可信号φＥｂが送信される。φＩ端子には、点灯信号ライン２０４ｂが接続され、点灯信号φＩｂが送信される。φＷ端子には、設定信号ライン２０５が接続され、設定信号φＷ１が送信される。
【００５５】
図７は、第１の実施の形態における発光チップＣの平面レイアウト図である。発光サイリスタＬ１〜Ｌ４、転送サイリスタＴ１〜Ｔ４を中心とした部分を示している。図７では、各素子間を接続する配線を実線で示している。そして、配線と各素子と配線を接続するために、各素子上に設けられる層間絶縁膜に開けられたスルーホールを黒丸（●）で表している。
図８は、第１の実施の形態における発光チップＣの断面図である。図８（ａ）は、図７に示したＶＩＩＩＡ−ＶＩＩＩＡ線での断面図である。よって、図８（ａ）の断面図には、図中左より発光サイリスタＬ１、結合ダイオードＤ１、転送サイリスタＴ１、接続抵抗Ｒｇ１の断面が示されている。図８（ｂ）は、図７に示したＶＩＩＩＢ−ＶＩＩＩＢ線での断面図である。よって、図８（ｂ）の断面図には、図中左より電流制限抵抗Ｒｄｔ、駆動サイリスタＤＴの断面が示されている。図８（ａ）、（ｂ）では、層間絶縁膜および配線の記載を省略している。
なお、図７および図８（ａ）、（ｂ）の図中には、主要な素子や端子を名前により表記している。
【００５６】
発光チップＣは、図８（ａ）、（ｂ）に示すように、例えばＧａＡｓやＧａＡｌＡｓなどの化合物半導体において、ｐ型の基板８０上に、ｐ型の第１半導体層８１、ｎ型の第２半導体層８２（ｎ型ゲート層）、ｐ型の第３半導体層８３（ｐ型ゲート層）およびｎ型の第４半導体層８４が順に積層されて構成されている。そして、ｐ型の第１半導体層８１、ｎ型の第２半導体層８２、ｐ型の第３半導体層８３、ｎ型の第４半導体層８４を連続してエッチングすることで相互に分離されて、複数の島（アイランド）（第１アイランド３０１〜第１３アイランド３１３および符号を付さないアイランド）が構成される。そして、それらのアイランドに、前述した各素子が設けられている。
【００５７】
図７に示すように、第１アイランド３０１は平面形状が長方形であって、その中央部に発光サイリスタＬ１が設けられている。第２アイランド３０２は平面形状が長方形であって、転送サイリスタＴ１、結合ダイオードＤ１が設けられている。第３アイランド３０３は平面形状が長方形であって、接続抵抗Ｒｇ１が設けられている。第４アイランド３０４は平面形状が長方形であって、スタートダイオードＤ０が設けられている。
第５アイランド３０５、第６アイランド３０６、第７アイランド３０７は、それぞれの平面形状が長方形であって、第５アイランド３０５には電流制限抵抗ＲＣ１、第６アイランド３０６には電流制限抵抗ＲＣ２、第７アイランド３０７には電流制限抵抗ＲＩがそれぞれ設けられている。
【００５８】
そして、第８アイランド３０８、第９アイランド３０９は、それぞれの平面形状が長方形であって、それぞれに設定サイリスタＳＴ、駆動サイリスタＤＴが設けられている。
さらに、第１０アイランド３１０、第１１アイランド３１１、第１２アイランド３１２、第１３アイランド３１３は、第５アイランド３０５〜第７アイランド３０７と同様に、それぞれの平面形状が長方形であって、それぞれに電流制限抵抗ＲＥ１、ＲＥ２、ＲＷ、Ｒｄｔが設けられている。
【００５９】
発光チップＣには、第１アイランド３０１、第２アイランド３０２、第３アイランド３０３と同様なアイランド（符号なし）が、並列して設けられている。これらのアイランドには、発光サイリスタＬ２、Ｌ３、Ｌ４、…、転送サイリスタＴ２、Ｔ３、Ｔ４、…、結合ダイオードＤ２、Ｄ３、Ｄ４、…、接続抵抗Ｒｇ２、Ｒｇ３、Ｒｇ４、…が設けられている。これらについては、説明を省略する。
そしてまた、図８（ａ）、（ｂ）に示すように、基板８０の裏面にはＶｓｕｂ端子となる裏面電極８５が設けられている。
【００６０】
以下では、図７および図８（ａ）、（ｂ）により、第１アイランド３０１〜第１３アイランド３１３について詳細に説明する。
第１アイランド３０１に設けられた発光サイリスタＬ１は、ｐ型の基板８０上のｐ型の第１半導体層８１をアノード端子、ｎ型の第４半導体層８４の領域３２１上に設けられたｎ型オーミック電極３４１をカソード端子、ｎ型の第４半導体層８４を除去して露出させたｐ型の第３半導体層８３上に設けられたｐ型オーミック電極３６１をゲート端子Ｇｌ１とする。そして、ｎ型オーミック電極３４１および点灯信号線７５で覆われた部分を除くｎ型の第４半導体層８４の領域３２１の表面（発光面３２１ａ）から光を放出する。
【００６１】
第２アイランド３０２に設けられた結合ダイオードＤ１は、ｎ型の第４半導体層８４の領域３２２上に設けられたｎ型オーミック電極３４２をカソード端子、ｎ型の第４半導体層８４を除去して露出させたｐ型の第３半導体層８３上に設けられたｐ型オーミック電極３６２（後述のゲート端子Ｇｔ１）をアノード端子としている。
また、第２アイランド３０２に設けられた転送サイリスタＴ１は、ｐ型の基板８０上のｐ型の第１半導体層８１をアノード端子、ｎ型の第４半導体層８４の領域３２３上に形成されたｎ型オーミック電極３４３をカソード端子、ｐ型オーミック電極３６２をゲート端子Ｇｔ１としている。
【００６２】
第３アイランド３０３に設けられた接続抵抗Ｒｇ１は、ｎ型の第４半導体層８４を除去して露出させたｐ型の第３半導体層８３上に設けられた一組のｐ型オーミック電極３６３、３６４の間のｐ型の第３半導体層８３を抵抗とするように設けられている。
なお、第１アイランド３０１、第２アイランド３０２、第３アイランド３０３と並列に設けられた他のアイランドも同様である。
【００６３】
第４アイランド３０４に設けられたスタートダイオードＤ０は、ｎ型の第４半導体層８４の領域３２４上に設けられたｎ型オーミック電極３４４をカソード端子、ｎ型の第４半導体層８４を除去して露出させたｐ型の第３半導体層８３上に設けられたｐ型オーミック電極３６５をアノード端子としている。
【００６４】
第５アイランド３０５に設けられた電流制限抵抗ＲＣ１、第６アイランド３０６に設けられた電流制限抵抗ＲＣ２、第７アイランド３０７に設けられた電流制限抵抗ＲＩ、第１０アイランド３１０に設けられた電流制限抵抗ＲＥ１、第１１アイランド３１１に設けられた電流制限抵抗ＲＥ２、第１２アイランド３１２に設けられた電流制限抵抗ＲＷ、第１３アイランド３１３に設けられた電流制限抵抗Ｒｄｔは、それぞれがｐ型の第３半導体層８３上に形成された一組のｐ型オーミック電極（符号なし）間のｐ型の第３半導体層８３を抵抗としている。
【００６５】
第８アイランド３０８に設けられた設定サイリスタＳＴは、ｎ型の第４半導体層８４の領域３２５上に形成されたｎ型オーミック電極３４５をカソード端子Ｋｓｔ、ｎ型の第４半導体層８４を除去して露出させたｐ型の第３半導体層８３上に設けられたｐ型オーミック電極３６６をゲート端子Ｇｓｔ１、ｐ型の第３半導体層８３上に設けられたｐ型オーミック電極３６７をゲート端子Ｇｓｔ２としている。そして、ゲート端子Ｇｓｔ１とゲート端子Ｇｓｔ２とは、ｎ型の第４半導体層８４の領域３２５を挟んで、第８アイランド３０８の両端部に設けられている。
【００６６】
また、第９アイランド３０９に設けられた駆動サイリスタＤＴは、ｎ型の第４半導体層８４の領域３２６上に形成されたｎ型オーミック電極３４６をカソード端子Ｋｄｔ、ｎ型の第４半導体層８４を除去して露出させたｐ型の第３半導体層８３上に設けられたｐ型オーミック電極３６８をゲート端子Ｇｄｔ１、ｐ型の第３半導体層８３上に設けられたｐ型オーミック電極３６９をゲート端子Ｇｄｔ２としている。そして、ゲート端子Ｇｄｔ１とゲート端子Ｇｄｔ２とは、ｎ型の第４半導体層８４の領域３２６を挟んで、第９アイランド３０９の両端部に設けられている。
なお、図７、図８（ａ）、図８（ｂ）、図９では、設定サイリスタＳＴのカソード端子Ｋｓｔおよび駆動サイリスタＤＴのカソード端子Ｋｄｔは、それぞれゲート端子Ｇｓｔ２およびゲート端子Ｇｄｔ２に近づけて設けられているが、それぞれｎ型の第４半導体層８４の領域３２５およびｎ型の第４半導体層８４の領域３２６の上にあればよい。
【００６７】
なお、図７、図８（ａ）、図８（ｂ）、図９においては、第１アイランド３０１のｐ型オーミック電極３６１であるゲート端子Ｇｌ１をＧｌ１（３６１）と表記する。他の符号についても同様である。また、他の実施の形態においても同様である。
【００６８】
図７において、各素子間の接続関係を説明する。
第１アイランド３０１の発光サイリスタＬ１のカソード端子であるｎ型オーミック電極３４１は、点灯信号線７５に接続されている。発光サイリスタＬ２、Ｌ３、Ｌ４、…についても同様である。点灯信号線７５は、第７アイランド３０７に設けられた電流制限抵抗ＲＩを介して、φＩ端子に接続されている。
【００６９】
第１アイランド３０１に設けられた発光サイリスタＬ１のゲート端子Ｇｌ１であるｐ型オーミック電極３６１は、第２アイランド３０２に設けられた転送サイリスタＴ１のゲート端子Ｇｔ１であるｐ型オーミック電極３６２に接続されている。
【００７０】
第２アイランド３０２に設けられた転送サイリスタＴ１のカソード端子であるｎ型オーミック電極３４３は、第１転送信号線７２に接続されている。第２アイランド３０２に並列する、第２アイランド３０２と同様なアイランドに設けられた奇数番号の転送サイリスタＴ３、Ｔ５、…も同様である。第１転送信号線７２は、第５アイランド３０５に設けられた電流制限抵抗ＲＣ１を介して、φ１端子に接続されている。
転送サイリスタＴ１のゲート端子Ｇｔ１であるｐ型オーミック電極３６２は、第４アイランド３０４に設けられたスタートダイオードＤ０のカソード端子であるｎ型オーミック電極３４４に接続されている。また、ｐ型オーミック電極３６４は、第３アイランド３０３に設けられた接続抵抗Ｒｇ１のｐ型オーミック電極３６３に接続されている。
第３アイランド３０３に設けられた接続抵抗Ｒｇ１のｐ型オーミック電極３６４は、電源線７１に接続されている。電源線７１は、Ｖｇａ端子に接続されている。
【００７１】
第２アイランド３０２に並列する第２アイランド３０２と同様なアイランドに設けられた偶数番号の転送サイリスタＴ２、Ｔ４、Ｔ６、…のカソード端子は、第２転送信号線７３に接続されている。第４アイランド３０４に設けられたスタートダイオードＤ０のアノード端子であるｐ型オーミック電極３６５も第２転送信号線７３に接続されている。そして、第２転送信号線７３は、第６アイランド３０６に設けられた電流制限抵抗ＲＣ２を介して、φ２端子に接続されている。
【００７２】
第２アイランド３０２に設けられた結合ダイオードＤ１のカソード端子であるｎ型オーミック電極３４２は、隣接する第２アイランド３０２と同様なアイランドに設けられた転送サイリスタＴ２のゲート端子Ｇｔ２であるｐ型オーミック電極に接続されている。第２アイランド３０２に並列する第２アイランド３０２と同様なアイランドにおいても同様である。
【００７３】
第８アイランド３０８に設けられた設定サイリスタＳＴのカソード端子Ｋｓｔであるｎ型オーミック電極３４５は、第９アイランド３０９に設けられた駆動サイリスタＤＴのゲート端子Ｇｄｔ２であるｐ型オーミック電極３６９に接続されている。また、設定サイリスタＳＴのゲート端子Ｇｓｔ１であるｐ型オーミック電極３６６は、第１０アイランド３１０に設けられた電流制限抵抗ＲＥ１を介して、φＥ端子に接続されている。そして、設定サイリスタＳＴのゲート端子Ｇｓｔ２であるｐ型オーミック電極３６７は、点灯信号線７５に接続されている。
【００７４】
第９アイランド３０９に設けられた駆動サイリスタＤＴのカソード端子Ｋｄｔであるｎ型オーミック電極３４６は、第１２アイランド３１２に設けられた電流制限抵抗ＲＷを介して、φＷ端子に接続されている。また、駆動サイリスタＤＴのゲート端子Ｇｄｔ１であるｐ型オーミック電極３６８は、第１１アイランド３１１に設けられた電流制限抵抗ＲＥ２を介してφＥ端子に接続されている。そして、駆動サイリスタＤＴのゲート端子Ｇｄｔ２であるｐ型オーミック電極３６９は、設定サイリスタＳＴのカソード端子Ｋｓｔであるｎ型オーミック電極３４５に接続されるとともに、電流制限抵抗Ｒｄｔを介して、電源線７１に接続されている。
【００７５】
ここで、アノード端子、カソード端子、ゲート端子の３端子を有するサイリスタ（発光サイリスタＬ、転送サイリスタＴ）の基本的な動作（基本動作）と、アノード端子、カソード端子、２つのゲート端子の４端子を有するサイリスタ（設定サイリスタＳＴ、駆動サイリスタＤＴ）の動作を説明する。
ここでは、例として、図４、図６、図７に示した発光チップＣのＶｓｕｂ端子（サイリスタのアノード端子）に供給される基準電位Ｖｓｕｂを０Ｖ、Ｖｇａ端子に供給される電源電位Ｖｇａを−３Ｖとする。
また、サイリスタは、図８（ａ）、（ｂ）に示したように、ＧａＡｓ、ＧａＡｌＡｓ等によるｐ型の基板８０上に、ｐ型の半導体層（ｐ型の第１半導体層８１、ｐ型の第３半導体層８３）、ｎ型の半導体層（ｎ型の第２半導体層８２、ｎ型の第４半導体層８４）を積層して構成されているとし、ｐｎ接合の拡散電位（順方向電位）Ｖｄを１．５Ｖとする。
【００７６】
そして、第１転送信号φ１（第１転送信号φ１ａ、φ１ｂ）、第２転送信号φ２（第２転送信号φ２ａ、φ２ｂ）、許可信号φＥ（許可信号φＥａ、φＥｂ）、設定信号φＷ（設定信号φＷ１〜φＷ２０）は、ハイレベルの電位（以下では、「Ｈ」と表記する。）として０Ｖ、ローレベルの電位（以下では、「Ｌ」と表記する。）として−３Ｖとする。よって、以下では、「Ｈ」（０Ｖ）、「Ｌ」（−３Ｖ）と表記する。そして、基準電位Ｖｓｕｂ（「Ｈ」（０Ｖ））、電源電位Ｖｇａ（「Ｌ」（−３Ｖ））と表記する。なお、基準電位Ｖｓｕｂおよび電源電位Ｖｇａを、これらの信号の「Ｈ」（０Ｖ）および「Ｌ」（−３Ｖ）と異なる電位に設定してもよい。また、これらの信号間において、互いに異なる電位を用いてもよい。
【００７７】
電流制限抵抗ＲＥ１、ＲＥ２、ＲＷ、Ｒｄｔは例えば２ｋΩ、電流制限抵抗ＲＩは例えば５５Ωである。
【００７８】
＜アノード端子、カソード端子、ゲート端子の３端子を有するサイリスタの基本動作＞
オフ状態のサイリスタは、アノード端子とカソード端子との間に流れる電流がオン状態に比べ小さい。オフ状態のサイリスタは、しきい電圧より低い電位（絶対値が大きい負の電位）がカソード端子に印加されるとオン状態に移行（ターンオン）する。サイリスタは、ターンオンすると、アノード端子とカソード端子との間にオフ状態に比べ大きな電流が流れる状態（オン状態）になる。
サイリスタのしきい電圧は、ゲート端子の電位から拡散電位Ｖｄを引いた値である。例えば、サイリスタのゲート端子の電位が０Ｖであると、しきい電圧は−１．５Ｖとなる。そして、しきい電圧より低い電位がカソード端子に印加されると、サイリスタがターンオンして、オン状態になる。
オン状態のサイリスタのゲート端子は、サイリスタのアノード端子の電位に近い電位になる。ここでは、アノード端子を基準電位Ｖｓｕｂ（「Ｈ」（０Ｖ））に設定しているので、ゲート端子の電位は「Ｈ」（０Ｖ）になるとして説明する。また、オン状態のサイリスタのカソード端子は、アノード端子の電位（「Ｈ」（０Ｖ））からｐｎ接合の拡散電位Ｖｄ（１．５Ｖ）を引いた電位（−１．５Ｖ）（維持電圧）になる。しかし、カソード端子の電位は、寄生抵抗（内部抵抗）の影響を受ける。例えば、寄生抵抗を２０Ωとし、点灯（発光）している発光サイリスタＬにおいて２０ｍＡの電流が流れるとすると、０．４Ｖの電圧降下が生じる。よって、オン状態で点灯（発光）している発光サイリスタＬは、カソード端子の電位が−１．９Ｖであって、カソード端子の電位が維持電圧−１．５Ｖより高くなるとオフ状態に移行し、消灯する。
同様に、転送サイリスタＴはオン状態において流れる電流が発光サイリスタＬより小さいため、オン状態における転送サイリスタＴのカソード端子の電位は−１．５Ｖと−１．９Ｖとの間になる。ここでは、オン状態の転送サイリスタＴのカソード端子の電位を−１．５Ｖとして説明する。よって、オン状態の転送サイリスタＴは、カソード端子の電位が−１．５Ｖであって、カソード端子の電位が維持電圧−１．５Ｖより高い電位になるとオフ状態に移行する。
【００７９】
また、サイリスタにおいて、カソード端子が「Ｈ」（０Ｖ）になると、アノード端子の電位とカソード端子の電位とが同じとなるので、ターンオフする。
そして、オン状態のサイリスタは、ゲート端子の電位を変えてもオフ状態に移行しない。すなわち、サイリスタはオン状態を維持（記憶、保持）する機能を有している。
【００８０】
発光サイリスタＬは、ターンオンすると点灯（発光）し、ターンオフすると消灯（非点灯）する。オン状態の発光サイリスタＬの発光出力（輝度）は、カソード端子とアノード端子間に流す電流によって決められる。なお、転送サイリスタＴ、次に説明する設定サイリスタＳＴ、駆動サイリスタＤＴもターンオンすることにより発光することがある。発光量（発光出力）が大きいと画像形成に影響を及ぼすので、発光量を小さく設定するとともに、遮光等により画像形成に及ぼす影響を抑制している。
【００８１】
＜アノード端子、カソード端子、２つのゲート端子の４端子を有するサイリスタの基本動作＞
駆動サイリスタＤＴは、ゲート端子Ｇｄｔ１、Ｇｄｔ２を有し、設定サイリスタＳＴは、ゲート端子Ｇｓｔ１、Ｇｓｔ２を有している。ここでは、２つのゲート端子を有するサイリスタの動作を説明する。
図９は、２つのゲート端子を有するサイリスタの動作を説明する図である。ここでは、図７および図８（ａ）、（ｂ）に示した駆動サイリスタＤＴを例にする。
図９（ａ）は、図７に示した駆動サイリスタＤＴおよび電流制限抵抗ＲＷ、Ｒｄｔの平面レイアウトである。ここでは、一般的に説明するために、駆動サイリスタＤＴをサイリスタＳ、電流制限抵抗ＲＷを電流制限抵抗Ｒ１、電流制限抵抗Ｒｄｔを電流制限抵抗Ｒ２とし、ゲート端子Ｇｄｔ１をゲート端子Ｇ１、ゲート端子Ｇｄｔ２をゲート端子Ｇ２、カソード端子Ｋｄｔをカソード端子Ｋと表記する。そして、ゲート端子Ｇ１の電位をＶ１、電流制限抵抗Ｒ２のゲート端子Ｇ２に接続されていない端子の電位をＶ２とする。そして、電流制限抵抗Ｒ１のサイリスタＳのカソード端子Ｋに接続されていない端子をＩＮ端子（電位をＩＮと表記する。）に、ゲート端子Ｇ２をＯＵＴ端子（電位をＯＵＴと表記する。）とする。
なお、電流制限抵抗Ｒ１は、サイリスタＳに過剰な電流が流れることを抑制するために設けられ、カソード端子Ｋの電位を設定するものではない。よって、ＩＮはカソード端子Ｋの電位と考えてもよい。以下では、ＩＮはカソード端子の電位として説明する。
【００８２】
図９（ｂ）は、図６に示したサイリスタＳおよび電流制限抵抗Ｒ１、Ｒ２の等価回路を示している。ここで、サイリスタＳのゲート端子Ｇ１とゲート端子Ｇ２との間に抵抗Ｒｐが存在するとする。
図９（ｃ）は、Ｖ１、Ｖ２、ＩＮ（Ｋ）、ＯＵＴ、サイリスタＳのしきい電圧、サイリスタＳの状態を示している。Ｖ１、Ｖ２、ＩＮは、それぞれ「Ｈ」（０Ｖ）と「Ｌ」（−３Ｖ）の２つの電位を取りうるので、８つの場合（場合１〜８）がある。
【００８３】
ここでは、電流制限抵抗Ｒ１が１ｋΩ、電流制限抵抗Ｒ２が２ｋΩ、抵抗Ｒｐが１８ｋΩとして説明する。
【００８４】
Ｖ１およびＶ２が「Ｈ」（０Ｖ）である場合１、２を説明する。
Ｖ１およびＶ２がともに「Ｈ」（０Ｖ）であるので、ゲート端子Ｇ１およびゲート端子Ｇ２のそれぞれの電位は「Ｈ」（０Ｖ）となる。よって、サイリスタＳは前述したアノード端子、カソード端子、ゲート端子の３端子を有するサイリスタと同様であって、しきい電圧は−１．５Ｖである。
このとき、ＩＮが「Ｈ」（０Ｖ）であれば、サイリスタＳはオフ状態である。よって、ＯＵＴは「Ｈ」（０Ｖ）となる。
一方、ＩＮが「Ｌ」（−３Ｖ）であれば、サイリスタＳはオン状態となる。そして、ゲート端子Ｇ１およびゲート端子Ｇ２はアノード端子の「Ｈ」（０Ｖ）になる。よって、ＯＵＴは「Ｈ」（０Ｖ）となる。
【００８５】
次に、Ｖ１が「Ｈ」（０Ｖ）、Ｖ２が「Ｌ」（−３Ｖ）である場合３、４を説明する。
サイリスタＳがオフ状態であるとする。Ｖ１が「Ｈ」（０Ｖ）、Ｖ２が「Ｌ」（−３Ｖ）であるので、ゲート端子Ｇ２の電位は、Ｖ１の「Ｈ」（０Ｖ）とＶ２の「Ｌ」（−３Ｖ）との電位差を、抵抗Ｒｐと電流制限抵抗Ｒ２とで分圧した−２．７Ｖとなる。すると、「Ｈ」（０Ｖ）のゲート端子Ｇ１の近傍である位置α（図８（ｂ）に示す、ゲート端子Ｇｄｔ１の近傍のｎ型の第４半導体層８４の端部の部分）におけるしきい電圧は−１．５Ｖである。一方、−２．７Ｖであるゲート端子Ｇ２の近傍の位置β（図８（ｂ）に示す、ゲート端子Ｇｄｔ２の近傍のｎ型の第４半導体層８４の他の端部の部分）におけるしきい電圧は−４．２Ｖである。
このとき、ＩＮが「Ｈ」（０Ｖ）であると、サイリスタＳはオフ状態を維持する。このため、ＯＵＴは、ゲート端子Ｇ２の電位である−２．７Ｖである。
一方、ＩＮが「Ｌ」（−３Ｖ）になると、サイリスタＳは、しきい電圧が−１．５Ｖである位置αからターンオンを開始し、位置βに向かってターンオンが進行していく。そして、サイリスタＳの全体がオン状態になる。これにより、ゲート端子Ｇ１およびゲート端子Ｇ２の電位は、アノード端子の「Ｈ」（０Ｖ）となる。よって、ＯＵＴは「Ｈ」（０Ｖ）になる。
【００８６】
サイリスタＳの全体がオン状態になるためのＩＮ（電位）は、サイリスタＳの形状、ゲート端子Ｇ１とゲート端子Ｇ２との間の距離、半導体層の層構成（ｐ型の第１半導体層８１、ｎ型の第２半導体層８２、ｐ型の第３半導体層８３、ｎ型の第４半導体層８４のそれぞれの層の不純物濃度や厚さなど）に依存する。ここでは、ゲート端子Ｇ１またはゲート端子Ｇ２の一方が「Ｈ」（０Ｖ）であって、他方が「Ｈ」（０Ｖ）以外の電位であるとき、サイリスタＳのしきい電圧は−２Ｖであるとして説明する。
なお、オン状態のサイリスタＳは、カソード端子Ｋの電位が−１．５Ｖであって、カソード端子Ｋの電位が維持電圧−１．５Ｖより高い電位になるとオフ状態に移行するとする。
さらに、抵抗Ｒｐと電流制限抵抗Ｒ２とのそれぞれの値が異なっても、ＯＵＴの電位はＶ１とＶ２との間の電位差を抵抗Ｒｐと電流制限抵抗Ｒ２とで分圧した電位となる。ここでは、抵抗Ｒｐは１８ｋΩであるとする。
【００８７】
さらに、Ｖ１が「Ｌ」（−３Ｖ）、Ｖ２が「Ｈ」（０Ｖ）である場合５、６を説明する。これらの場合は、状態３、４と逆の場合である。
サイリスタＳがオフ状態であるとする。Ｖ１は「Ｌ」（−３Ｖ）、Ｖ２は「Ｈ」（０Ｖ）であるので、ゲート端子Ｇ２の電位は、Ｖ１の「Ｌ」（−３Ｖ）とＶ２の「Ｈ」（０Ｖ）との電位差を、抵抗Ｒｐと電流制限抵抗Ｒ２とで分圧した−０．３Ｖである。すると、Ｖ２がほぼ「Ｈ」（０Ｖ）であるので、サイリスタＳはしきい電圧が−２Ｖである。
このとき、ＩＮが「Ｈ」（０Ｖ）であると、サイリスタＳはオフ状態を維持する。よって、ＯＵＴは−０．３Ｖである。
一方、ＩＮが「Ｌ」（−３Ｖ）になると、サイリスタＳは、しきい電圧が−２Ｖであるので、ターンオンしてオン状態になる。すると、ゲート端子Ｇ１およびゲート端子Ｇ２の電位は、アノード端子の電位である「Ｈ」（０Ｖ）となる。よって、ＯＵＴは、「Ｈ」（０Ｖ）となる。
【００８８】
そして、Ｖ１が「Ｌ」（−３Ｖ）、Ｖ２が「Ｌ」（−３Ｖ）である場合７、８を説明する。
Ｖ１およびＶ２が「Ｌ」（−３Ｖ）であるので、ゲート端子Ｇ１およびゲート端子Ｇ２のそれぞれの電位は「Ｌ」（−３Ｖ）である。よって、サイリスタＳは前述したアノード端子、カソード端子、ゲート端子の３端子を有するサイリスタと同様であって、しきい電圧は−４．５Ｖである。
このとき、ＩＮが「Ｈ」（０Ｖ）であれば、サイリスタＳはオフ状態である。よって、ＯＵＴは「Ｌ」（−３Ｖ）である。
一方、ＩＮが「Ｌ」（−３Ｖ）となっても、しきい電圧が−４．５Ｖであるので、サイリスタＳはオフ状態を維持する。よって、ＯＵＴは「Ｌ」（−３Ｖ）である。
【００８９】
以上では、当初において、サイリスタＳはオフ状態にあるとして説明した。
当初において、サイリスタＳがオン状態にあるときは、カソード端子Ｋの電位は−１．５Ｖである。サイリスタＳは、ゲート端子Ｇ１、Ｇ２の電位が変化しても、カソード端子Ｋの電位が−１．５Ｖで、オン状態を維持できる電流が供給されるときは、オン状態を維持する。よって、カソード端子Ｋが−２．７Ｖであれば、「Ｌ」（−３Ｖ）であるときと同様に、発光サイリスタＬおよびサイリスタＳは、オン状態を維持する。以下では、−２．７Ｖは「Ｌ」（−３Ｖ）と同等であるとする。
一方、カソード端子Ｋの電位が維持電圧（−１．５Ｖ）より高いと、サイリスタＳはターンオフする。例えば、カソード端子Ｋが「Ｈ」（０Ｖ）となると、サイリスタＳはターンオフする。
【００９０】
図９（ｃ）に示したように、アノード端子、カソード端子、２つのゲート端子の４端子を有するサイリスタＳは、電流制限抵抗Ｒ１、Ｒ２と共に用いられてスイッチとして動作する。なお、電流制限抵抗Ｒ１はオン状態のサイリスタＳに過電流が流れないように制限する。一方、電流制限抵抗Ｒ２は、サイリスタＳの抵抗Ｒｐとの分圧により、ＯＵＴを設定する。よって、サイリスタＳは電流制限抵抗Ｒ２と組み合わせて用いられていると考えてよい。
駆動サイリスタＤＴは電流制限抵抗Ｒｄｔと組み合わせて用いられ、設定サイリスタＳＴは電流制限抵抗ＲＩと組み合わせて用いられている。
【００９１】
なお、図９（ａ）、（ｂ）、（ｃ）は、駆動サイリスタＤＴを例として説明した。これに対いし、設定サイリスタＳＴでは、電流制限抵抗Ｒ２は抵抗値が５５Ωの電流制限抵抗ＲＩとなる。よって、図９（ｃ）における場合３のＯＵＴは「Ｌ」（−３Ｖ）、場合５のＯＵＴは「Ｈ」（０Ｖ）となる。以下では、サイリスタＳが設定サイリスタＳＴである場合、図９（ｃ）において、場合３におけるＯＵＴの−２．７Ｖを「Ｌ」（−３Ｖ）と、場合５におけるＯＵＴの−０．３Ｖを「Ｈ」（０Ｖ）と読み替えることとする。
【００９２】
（発光装置６５の動作）
次に、発光装置６５の動作について説明する。
発光装置６５は発光チップ群＃ａに属する発光チップＣａ１〜Ｃａ２０と発光チップ群＃ｂに属する発光チップＣｂ１〜Ｃｂ２０とを備えている（図３、図４、図５参照）。
図４に示したように、回路基板６２上のすべての発光チップＣ（発光チップＣａ１〜Ｃａ２０と発光チップＣｂ１〜Ｃｂ２０）には、基準電位Ｖｓｕｂと電源電位Ｖｇａが共通に供給される。
そして、発光チップ群＃ａの発光チップＣａ１〜Ｃａ２０には、前述したように、第１転送信号φ１ａ、第２転送信号φ２ａ、点灯信号φＩａ、許可信号φＥａが共通に送信される。よって、発光チップ群＃ａの発光チップＣａ１〜Ｃａ２０は並列に駆動される。
また、発光チップ群＃ｂの発光チップＣｂ１〜Ｃｂ２０には、前述したように、第１転送信号φ１ｂ、第２転送信号φ２ｂ、点灯信号φＩｂ、許可信号φＥｂが共通に送信される。よって、発光チップ群＃ｂの発光チップＣｂ１〜Ｃｂ２０は並列に駆動される。
【００９３】
一方、設定信号φＷ１〜φＷ２０は、発光チップ群＃ａの一つの発光チップＣと発光チップ群＃ｂの一つの発光チップＣとが構成する発光チップ組＃１〜＃２０のそれぞれに対して送信される。例えば、発光チップ群＃ａの発光チップＣａ１と発光チップ群＃ｂの発光チップＣｂ１とを発光チップ組＃１として、設定信号φＷ１が共通に送信される。また、２０個の設定信号φＷ１〜φＷ２０は、同じタイミングで並列に送信される。よって、発光チップ組＃１〜＃２０は並列に駆動される。
なお、後述するように、発光サイリスタＬの光量補正のために、設定信号φＷ１〜φＷ２０のタイミングをずらして送信してもよい。
【００９４】
発光チップ群＃ａの発光チップＣａ２〜Ｃａ２０は発光チップＣａ１と並行して駆動され、発光チップ群＃ｂの発光チップＣｂ２〜Ｃｂ２０は発光チップＣｂ１と並行して駆動されるので、発光チップ組＃１に属する発光チップＣａ１およびＣｂ１の動作を説明すれ足りる。
【００９５】
図１０は、第１の実施の形態における発光装置６５および発光チップＣの動作を説明するためのタイミングチャートである。
図１０では、発光チップ組＃１（発光チップＣａ１およびＣｂ１）の動作に加えて、発光チップ組＃２（発光チップＣａ２およびＣｂ２）の動作を説明している。なお、図１０では、それぞれの発光チップＣにおいて、発光サイリスタＬ１〜Ｌ４の４個の発光サイリスタＬを点灯制御する部分を示している。
そして、発光チップ組＃１（発光チップＣａ１およびＣｂ１）では、それぞれの発光サイリスタＬ１〜Ｌ４をすべて点灯させるとした。発光チップ組＃２（発光チップＣａ２およびＣｂ２）では、発光チップＣａ２の発光サイリスタＬ２、Ｌ３、Ｌ４を点灯させるとし、発光チップＣｂ２の発光サイリスタＬ１、Ｌ３、Ｌ４を点灯させるとした。一方、発光チップＣａ２の発光サイリスタＬ１および発光チップＣｂ２の発光サイリスタＬ２は点灯させない（非点灯）とした。
発光チップ組＃１と発光チップ組＃２とは並行して動作する。よって、以下では、発光チップ組＃１に属する発光チップ群＃ａの発光チップＣａ１および発光チップ群＃ｂのＣｂ１の動作を説明する。
【００９６】
図１０において、時刻ａから時刻ｘへとアルファベット順に時刻が経過するとする。発光チップ群＃ａの発光チップＣａ１において、発光サイリスタＬ１は、時刻ｃから時刻ｑの期間Ｔａ（１）において点灯制御される。発光サイリスタＬ２は、時刻ｑから時刻ｖの期間Ｔａ（２）において点灯制御される。発光サイリスタＬ３は、時刻ｖから時刻ｘの期間Ｔａ（３）において点灯制御される。発光サイリスタＬ４は、時刻ｘから始まる期間Ｔａ（４）において点灯制御される。以下、同様にして番号が５以上の発光サイリスタＬが点灯制御される。
一方、発光チップ群＃ｂの発光チップＣｂ１において、発光サイリスタＬ１は、時刻ｉから時刻ｓの期間Ｔｂ（１）において点灯制御される。発光サイリスタＬ２は、時刻ｓから時刻ｗの期間Ｔｂ（２）において点灯制御される。発光サイリスタＬ３は、時刻ｗから始まる期間Ｔｂ（３）において点灯制御される。以下、同様にして番号が４以上の発光サイリスタＬが点灯制御される。
【００９７】
本実施の形態では、期間Ｔａ（１）、Ｔａ（２）、Ｔａ（３）、…および期間Ｔｂ（１）、Ｔｂ（２）、Ｔｂ（３）、…は同じ長さの期間とし、それぞれを区別しないときは期間Ｔと表記する。
そして、発光チップ群＃ａの発光チップＣａ１〜Ｃａ２０を制御する期間Ｔａ（１）、Ｔａ（２）、Ｔａ（３）、…と、発光チップ群＃ｂの発光チップＣｂ１〜Ｃｂ２０を制御する期間Ｔｂ（１）、Ｔｂ（２）、Ｔｂ（３）、…とは、期間Ｔの半分の長さ（位相でいうと１８０°）ずれているとする。すなわち、期間Ｔｂ（１）は、期間Ｔａ（１）が開始したのち、期間Ｔの半分の期間が経過したときに開始する。
したがって、以下では、発光チップ群＃ａの発光チップＣａ１を制御する期間Ｔａ（１）、Ｔａ（２）、Ｔａ（３）、…について説明する。
なお、以下に説明する信号の相互の関係が維持されるようにすれば、期間Ｔの長さを可変としてもよい。
【００９８】
期間Ｔａ（１）、Ｔａ（２）、Ｔａ（３）、…における信号波形は、画像データによって変化する設定信号φＷ（設定信号φＷ１〜φＷ２０）を除いて、同じ波形の繰り返しである。
したがって、以下では、時刻ｃから時刻ｑまでの期間Ｔａ（１）のみを説明する。なお、時刻ａから時刻ｃまでの期間は、発光チップＣａ１（Ｃ）が動作を開始する期間である。この期間の信号については、動作の説明において説明する。
【００９９】
第１転送信号φ１ａ、第２転送信号φ２ａ、許可信号φＥａ、点灯信号φＩａの、期間Ｔａ（１）における信号波形について説明する。
第１転送信号φ１ａは、時刻ｃで「Ｌ」（−３Ｖ）であって、時刻ｐで「Ｌ」（−３Ｖ）から「Ｈ」（０Ｖ）に移行し、時刻ｑで「Ｈ」（０Ｖ）を維持している。
第２転送信号φ２ａは、時刻ｃで「Ｈ」（０Ｖ）であって、時刻ｏで「Ｈ」（０Ｖ）から「Ｌ」（−３Ｖ）に移行し、時刻ｑで「Ｌ」（−３Ｖ）を維持している。
ここで、第１転送信号φ１ａと第２転送信号φ２ａとを比較すると、期間Ｔａ（１）における第１転送信号φ１ａの波形が、期間Ｔａ（２）における第２転送信号φ２ａの波形になっている。そして、期間Ｔａ（１）における第２転送信号φ２ａの波形が、期間Ｔａ（２）における第１転送信号φ１ａの波形になっている。
すなわち、第１転送信号φ１ａと第２転送信号φ２ａとは期間Ｔの２倍の期間（２Ｔ）を単位として繰り返す信号波形である。そして、時刻ｏから時刻ｐまでの期間のように、共に「Ｌ」（−３Ｖ）となる期間を挟んで、交互に「Ｈ」（０Ｖ）と「Ｌ」（−３Ｖ）とを繰り返している。そして、時刻ａから時刻ｂまでの期間を除いて、第１転送信号φ１と第２転送信号φ２とは、同時に「Ｈ」（０Ｖ）となる期間を有さない。
第１転送信号φ１ａと第２転送信号φ２ａとの一組の転送信号により、図６に示した転送サイリスタＴが、後述するように順番にオン状態になって、点灯または非点灯の制御対象である（点灯制御する）発光サイリスタＬを指定する。
【０１００】
許可信号φＥａは、時刻ｃで「Ｌ」（−３Ｖ）であって、時刻ｄで「Ｌ」（−３Ｖ）から「Ｈ」（０Ｖ）に移行し、時刻ｆで「Ｈ」（０Ｖ）から「Ｌ」（−３Ｖ）に移行する。そして、時刻ｑで「Ｌ」（−３Ｖ）を維持している。
許可信号φＥａは、後述するように、「Ｈ」（０Ｖ）のときに点灯または非点灯の制御対象である（点灯制御する）発光サイリスタＬの点灯を許可し、「Ｌ」（−３Ｖ）のときに点灯を阻止する。
【０１０１】
点灯信号φＩａは、時刻ｃで「Ｈ」（０Ｖ）から「Ｌ」（−３Ｖ）に移行し、時刻ｎで「Ｌ」（−３Ｖ）から「Ｈ」（０Ｖ）に移行し、時刻ｑで「Ｈ」（０Ｖ）から「Ｌ」（−３Ｖ）に移行する。
【０１０２】
設定信号φＷ１は、時刻ｃで「Ｈ」（０Ｖ）であって、時刻ｅで「Ｈ」（０Ｖ）から「Ｌ」（−３Ｖ）に移行し、時刻ｇで「Ｌ」（−３Ｖ）から「Ｈ」（０Ｖ）に移行する。さらに、時刻ｋで「Ｈ」（０Ｖ）から「Ｌ」（−３Ｖ）に移行し、時刻ｍで「Ｌ」（−３Ｖ）から「Ｈ」（０Ｖ）に移行する。そして、時刻ｑにおいて「Ｈ」（０Ｖ）を維持している。すなわち、設定信号φＷ１は、期間Ｔａ（１）において、「Ｌ」（−３Ｖ）となる期間を２つ有している。
そして、設定信号φＷ１と許可信号φＥａとの関係を見ると、設定信号φＷ１が先に「Ｌ」（−３Ｖ）となる時刻（時刻ｅ）は、許可信号φＥａが「Ｈ」（０Ｖ）である時刻ｄから時刻ｆまでの期間に含まれている。設定信号φＷ１が後に「Ｌ」（−３Ｖ）となる時刻（時刻ｋ）は、許可信号φＥａに対して位相が１８０°ずれて送信される許可信号φＥｂが「Ｈ」（０Ｖ）である時刻ｊから時刻ｌまでの期間に含まれている。
【０１０３】
期間Ｔａ（１）において、設定信号φＷ１における先の「Ｈ」（０Ｖ）から「Ｌ」（−３Ｖ）になる時刻（時刻ｅ）は、発光チップＣａ１の発光サイリスタＬ１を点灯させる信号であって、設定信号φＷ１における後の「Ｈ」（０Ｖ）から「Ｌ」（−３Ｖ）になる時刻（時刻ｋ）は、発光チップＣｂ１の発光サイリスタＬ１を点灯させる信号である。
このため、許可信号φＥａが「Ｈ」（０Ｖ）である期間（時刻ｄから時刻ｆ）は、発光チップＣｂ１の発光サイリスタＬ１を点灯させるために設定信号φＷ１が「Ｈ」（０Ｖ）から「Ｌ」（−３Ｖ）となる時刻（時刻ｋ）と重ならないように設定されている。同様に、許可信号φＥｂが「Ｈ」（０Ｖ）である期間（時刻ｊから時刻ｌ）は、発光チップＣａ１の発光サイリスタＬ１を点灯させるために設定信号φＷ１が「Ｈ」（０Ｖ）から「Ｌ」（−３Ｖ）となる時刻（時刻ｅ）と重ならないように設定されている。
【０１０４】
では、図４、図６を参照しつつ、図１０に示したタイミングチャートにしたがって、発光装置６５の動作を説明する。
（１）時刻ａ
発光装置６５に基準電位Ｖｓｕｂおよび電源電位Ｖｇａの供給を開始した時刻ａでの状態（初期状態）について説明する。
＜発光装置６５＞
図１０に示したタイミングチャートの時刻ａにおいて、電源ライン２００ａは「Ｈ」（０Ｖ）の基準電位Ｖｓｕｂに設定され、電源ライン２００ｂは「Ｌ」（−３Ｖ）の電源電位Ｖｇａに設定される（図４参照）。よって、すべての発光チップＣ（発光チップＣａ１〜Ｃａ２０および発光チップＣｂ１〜Ｃｂ２０）のそれぞれのＶｓｕｂ端子は「Ｈ」（０Ｖ）に設定され、それぞれのＶｇａ端子は「Ｌ」（−３Ｖ）に設定される（図６参照）。
【０１０５】
そして、信号発生回路１１０の転送信号発生部１２０ａは第１転送信号φ１ａ、第２転送信号φ２ａをそれぞれ「Ｈ」（０Ｖ）に、転送信号発生部１２０ｂは第１転送信号φ１ｂ、第２転送信号φ２ｂをそれぞれ「Ｈ」（０Ｖ）に設定する。すると、第１転送信号ライン２０１ａ、２０１ｂおよび第２転送信号ライン２０２ａ、２０２ｂが「Ｈ」（０Ｖ）になる（図４参照）。これにより、発光チップＣ（発光チップＣａ１〜Ｃａ２０および発光チップＣｂ１〜Ｃｂ２０）のφ１端子およびφ２端子がともに「Ｈ」（０Ｖ）になる（図６参照）。
【０１０６】
さらに、信号発生回路１１０の許可信号発生部１３０ａは許可信号φＥａを「Ｌ」（−３Ｖ）に、許可信号発生部１３０ｂは許可信号φＥｂを「Ｌ」（−３Ｖ）に設定する。すると、許可信号ライン２０３ａ、２０３ｂが「Ｌ」（−３Ｖ）になる（図４参照）。これにより、発光チップＣのφＥ端子が「Ｌ」（−３Ｖ）になる（図６参照）。
さらにまた、信号発生回路１１０の点灯信号発生部１４０ａは点灯信号φＩａを「Ｈ」（０Ｖ）に、点灯信号発生部１４０ｂは点灯信号φＩｂを「Ｈ」（０Ｖ）に設定する。すると、点灯信号ライン２０４ａ、２０４ｂが「Ｈ」（０Ｖ）になる（図４参照）。これにより、発光チップＣのφＩ端子が「Ｈ」（０Ｖ）になる（図６参照）。
【０１０７】
信号発生回路１１０の設定信号発生部１５０は設定信号φＷ１〜φＷ２０を「Ｈ」（０Ｖ）に設定する。すると、設定信号ライン２０５〜２２４が「Ｈ」（０Ｖ）になる（図４参照）。これにより、発光チップＣのφＷ端子が「Ｈ」（０Ｖ）になる（図６参照）。
【０１０８】
次に、図６、図７、図９を参照しつつ、図１０に示したタイミングチャートにしたがって、発光チップ組＃１に属する発光チップＣａ１と発光チップＣｂ１とを中心に説明する。
なお、図１０および以下における説明では、各端子の電位がステップ状に変化するとしているが、各端子の電位は徐々に変化する。よって、電位変化の間であっても、下記に示す条件が満たされれば、サイリスタはターンオンまたはターンオフなど、状態の変化を生じる。
なお、以下では、図９との関係を明らかにするため、対応する端子に、図９で用いた符号Ｖ１、Ｖ２、ＩＮ、ＯＵＴを（  ）に表記する。図９では、ＩＮは、電流制限抵抗Ｒ１のサイリスタＳと接続されていない側の端子の電位とした。しかし、電流制限抵抗Ｒ１は、サイリスタＳに流れる電流を制限するために設けられていて、ゲート端子Ｇ１の電位を設定するものではない。よって、ＩＮは、カソード端子Ｋの電位と考えてよい。以下では、ＩＮはカソード端子Ｋの電位として説明する。
【０１０９】
＜発光チップＣａ１＞
発光サイリスタＬ、転送サイリスタＴ、設定サイリスタＳＴおよび駆動サイリスタＤＴのアノード端子は、Ｖｓｕｂ端子に接続されているので、「Ｈ」（０Ｖ）に設定される。
「Ｈ」（０Ｖ）のφ１端子に電流制限抵抗ＲＣ１を介して接続されている第１転送信号線７２と「Ｈ」（０Ｖ）のφ２端子に電流制限抵抗ＲＣ２を介して接続されている第２転送信号線７３とがともに「Ｈ」（０Ｖ）になる。すると、奇数番号の転送サイリスタＴ１、Ｔ３、Ｔ５、…のそれぞれのカソード端子は、第１転送信号線７２に接続されているので、「Ｈ」（０Ｖ）に設定される。偶数番号の転送サイリスタＴ２、Ｔ４、Ｔ６、…のそれぞれのカソード端子は、第２転送信号線７３に接続されているので、「Ｈ」（０Ｖ）に設定される。よって、転送サイリスタＴは、アノード端子およびカソード端子はともに「Ｈ」（０Ｖ）となり、オフ状態にある。
【０１１０】
駆動サイリスタＤＴのゲート端子Ｇｄｔ１は、「Ｌ」（−３Ｖ）のφＥ端子に電流制限抵抗ＲＥ２を介して接続されている。駆動サイリスタＤＴのゲート端子Ｇｄｔ２は、電流制限抵抗Ｒｄｔの一方の端子に接続されている。電流制限抵抗Ｒｄｔの他方の端子は「Ｌ」（−３Ｖ）の電源線７１に接続されている。駆動サイリスタＤＴのカソード端子Ｋｄｔは、電流制限抵抗ＲＷを介して「Ｈ」（０Ｖ）のφＷ端子に接続されている。
よって、駆動サイリスタＤＴは、ゲート端子Ｇｄｔ１（Ｖ１）が「Ｌ」（−３Ｖ）、電流制限抵抗Ｒｄｔの他方の端子（Ｖ２）が「Ｌ」（−３Ｖ）、カソード端子Ｋｄｔ（ＩＮ）が「Ｈ」（０Ｖ）であるので、図９（ｃ）の場合７であって、駆動サイリスタＤＴはオフ状態である。ゲート端子Ｇｄｔ２（ＯＵＴ）（設定サイリスタＳＴのカソード端子Ｋｓｔ）は「Ｌ」（−３Ｖ）である。
【０１１１】
設定サイリスタＳＴのゲート端子Ｇｓｔ１は、「Ｌ」（−３Ｖ）のφＥ端子に電流制限抵抗ＲＥ１を介して接続されている。設定サイリスタＳＴのゲート端子Ｇｓｔ２は、電流制限抵抗ＲＩの一方の端子に接続されている。電流制限抵抗ＲＩの他方の端子は「Ｈ」（０Ｖ）のφＩ端子に接続されている。設定サイリスタＳＴのカソード端子Ｋｓｔは、駆動サイリスタＤＴのゲート端子Ｇｄｔ２に接続されている。
よって、設定サイリスタＳＴは、ゲート端子Ｇｓｔ１（Ｖ１）が「Ｌ」（−３Ｖ）、電流制限抵抗ＲＩの他方の端子（以下ではφＩ端子と表記する。）（Ｖ２）が「Ｈ」（０Ｖ）、カソード端子Ｋｓｔ（ＩＮ）が「Ｌ」（−３Ｖ）であるので、図９（ｃ）の場合６であって、設定サイリスタＳＴはオン状態である。ゲート端子Ｇｓｔ２（ＯＵＴ）（点灯信号線７５）は「Ｈ」（０Ｖ）である。
このとき、設定サイリスタＳＴがオン状態になると、カソード端子Ｋｓｔはアノード端子の「Ｈ」（０Ｖ）から、拡散電位Ｖｄ（１．５Ｖ）を引いた−１．５Ｖになる。すると、駆動サイリスタＤＴのゲート端子Ｇｄｔ２が−１．５Ｖになるが、駆動サイリスタＤＴのカソード端子Ｋｄｔは「Ｈ」（０Ｖ）であるので、駆動サイリスタＤＴはオフ状態にある。
【０１１２】
点灯信号線７５が「Ｈ」（０Ｖ）であるので、発光サイリスタＬは、アノード端子およびカソード端子がともに「Ｈ」（０Ｖ）であって、オフ状態にある。
【０１１３】
図６中の転送サイリスタ列の一端のゲート端子Ｇｔ１は、前述したように、スタートダイオードＤ０のカソード端子に接続されている。そして、スタートダイオードＤ０のアノード端子は、第２転送信号線７３に接続されている。第２転送信号線７３は「Ｈ」（０Ｖ）に設定されている。スタートダイオードＤ０は、カソード端子が「Ｌ」（−３Ｖ）でアノード端子が「Ｈ」（０Ｖ）となるので、順方向に電圧が印加（順バイアス）されている。これにより、スタートダイオードＤ０のカソード端子（ゲート端子Ｇｔ１）は、スタートダイオードＤ０のアノード端子の「Ｈ」（０Ｖ）からスタートダイオードＤ０の拡散電位Ｖｄ（１．５Ｖ）を引いた値（−１．５Ｖ）になる。よって、転送サイリスタＴ１のしきい電圧は、ゲート端子Ｇｔ１の電位（−１．５Ｖ）からｐｎ接合の拡散電位Ｖｄ（１．５Ｖ）を引いた−３Ｖとなる。
すると、−１．５Ｖのゲート端子Ｇｔ１にゲート端子Ｇｌ１が接続された発光サイリスタＬ１のしきい電圧も−３Ｖになる。
【０１１４】
番号が２以上の転送サイリスタＴのゲート端子Ｇｔは、接続抵抗Ｒｇを介して電源電位Ｖｇａ（「Ｌ」（−３Ｖ））の電源線７１に接続されている。よって、これらのゲート端子Ｇｔの電位は−３Ｖである。これにより、番号が２以上の転送サイリスタＴのしきい電圧は−４．５Ｖである。
【０１１５】
番号が２以上の発光サイリスタＬのゲート端子Ｇｌは、転送サイリスタＴのゲート端子Ｇｔに接続されている。これにより、番号が２以上の発光サイリスタＬのしきい電圧は−４．５Ｖとなる。
【０１１６】
時刻ａの直後（ここでは、時刻ａにおける信号の電位の変化によってサイリスタなどの変化が生じた後、定常状態になったときをいう。他の時刻においても同様である。）において、設定サイリスタＳＴがオン状態にある。転送サイリスタＴ、発光サイリスタＬ、駆動サイリスタＤＴはオフ状態にある。
以下では、オン状態にあるサイリスタ（転送サイリスタＴ、発光サイリスタＬ、設定サイリスタＳＴ、駆動サイリスタＤＴ）のみを表記する。
【０１１７】
＜発光チップＣｂ１＞
発光チップＣｂ１においても、初期状態は発光チップＣａ１と同じであるので、説明を省略する。
【０１１８】
（２）時刻ｂ
時刻ｂにおいて、発光チップ群＃ａに送信される第１転送信号φ１ａが、「Ｈ」（０Ｖ）から「Ｌ」（−３Ｖ）に移行する。これにより発光装置６５が動作状態に入る。
＜発光チップＣａ１＞
しきい電圧が−３Ｖの転送サイリスタＴ１がターンオンする。
転送サイリスタＴ１がターンオンすると、ゲート端子Ｇｔ１はアノード端子の「Ｈ」（０Ｖ）になる。順バイアスの結合ダイオードＤ１により、ゲート端子Ｇｔ２の電位が−１．５Ｖになる。これにより、転送サイリスタＴ２のしきい電圧は−３Ｖになる。
また、転送サイリスタＴ１のカソード端子（図６、図７に示す第１転送信号線７２）の電位は、転送サイリスタＴ１のアノード端子の「Ｈ」（０Ｖ）からｐｎ接合の拡散電位Ｖｄ（１．５Ｖ）を引いた−１．５Ｖに設定される。
【０１１９】
なお、第２転送信号線７３の電位は「Ｈ」（０Ｖ）であるので、しきい電圧が−３Ｖとなっても転送サイリスタＴ２はターンオンしない。
【０１２０】
ゲート端子Ｇｔ１が「Ｈ」（０Ｖ）になることで、ゲート端子Ｇｔ１にゲート端子Ｇｌ１が接続された発光サイリスタＬ１のしきい電圧は−１．５Ｖとなる。さらに、ゲート端子Ｇｔ２にゲート端子Ｇｌ２が接続された発光サイリスタＬ２のしきい電圧は−３Ｖになる。
しかし、点灯信号線７５は「Ｈ」（０Ｖ）であるので、いずれの発光サイリスタＬもターンオンしない。
【０１２１】
以上説明したように、ゲート端子Ｇｔの電位が変化すると、ゲート端子Ｇｌの電位が変化し、転送サイリスタＴ、発光サイリスタＬのしきい電圧が変化する。
以下では、ターンオンまたはターンオフに関係するサイリスタについてのみ説明する。
【０１２２】
すなわち、時刻ｂにおいて、ターンオンするのは転送サイリスタＴ１のみである。そして、時刻ｂの直後においては、転送サイリスタＴ１および設定サイリスタＳＴがオン状態にある。
【０１２３】
＜発光チップＣｂ１＞
発光チップＣｂ１が属する発光チップ群＃ｂに送信される信号に変化がないので、発光チップＣｂ１は初期状態が維持されている。
【０１２４】
（３）時刻ｃ
時刻ｃにおいて、発光チップ群＃ａに送信される点灯信号φＩａが、「Ｈ」（０Ｖ）から「Ｌ」（−３Ｖ）に移行する。これにより、発光チップ群＃ａの期間Ｔａ（１）が開始する。
＜発光チップＣａ１＞
φＩ端子が「Ｈ」（０Ｖ）から「Ｌ」（−３Ｖ）になる。
駆動サイリスタＤＴは、ゲート端子Ｇｄｔ１（Ｖ１）が「Ｌ」（−３Ｖ）、電流制限抵抗Ｒｄｔの他方の端子（Ｖ２）が「Ｌ」（−３Ｖ）、カソード端子Ｋｄｔ（ＩＮ）が「Ｈ」（０Ｖ）であるので、図９（ｃ）の場合７を維持し、オフ状態である。ゲート端子Ｇｄｔ２（ＯＵＴ）（設定サイリスタＳＴのカソード端子Ｋｓｔ）は「Ｌ」（−３Ｖ）である。
設定サイリスタＳＴは、ゲート端子Ｇｓｔ１（Ｖ１）が「Ｌ」（−３Ｖ）、φＩ端子（Ｖ２）が「Ｈ」（０Ｖ）から「Ｌ」（−３Ｖ）になるが、カソード端子Ｋｓｔ（ＩＮ）が「Ｌ」（−３Ｖ）であるので、設定サイリスタＳＴはオン状態を維持する。ゲート端子Ｇｓｔ２（ＯＵＴ）（点灯信号線７５）は「Ｈ」（０Ｖ）である。
よって、点灯信号線７５は、「Ｈ」（０Ｖ）を維持する。
時刻ｃの直後においては、転送サイリスタＴ１および設定サイリスタＳＴがオン状態にある。
【０１２５】
＜発光チップＣｂ１＞
発光チップＣｂ１が属する発光チップ群＃ｂに送信される信号に変化がないので、発光チップＣｂ１は初期状態が維持されている。
【０１２６】
（４）時刻ｄ
時刻ｄにおいて、発光チップ群＃ａに送信される許可信号φＥａが、「Ｌ」（−３Ｖ）から「Ｈ」（０Ｖ）に移行する。
＜発光チップＣａ１＞
φＥ端子が、「Ｌ」（−３Ｖ）から「Ｈ」（０Ｖ）になる。これにより、駆動サイリスタＤＴのゲート端子Ｇｄｔ１および設定サイリスタＳＴのゲート端子Ｇｓｔ１が「Ｌ」（−３Ｖ）から「Ｈ」（０Ｖ）になる。
駆動サイリスタＤＴは、ゲート端子Ｇｄｔ１（Ｖ１）が「Ｌ」（−３Ｖ）から「Ｈ」（０Ｖ）になって、電流制限抵抗Ｒｄｔの他方の端子（Ｖ２）が「Ｌ」（−３Ｖ）、カソード端子Ｋｄｔ（ＩＮ）が「Ｈ」（０Ｖ）であるので、図９（ｃ）の場合７から場合３になるが、オフ状態を維持する。ゲート端子Ｇｄｔ２（ＯＵＴ）（設定サイリスタＳＴのカソード端子Ｋｓｔ）は−２．７Ｖである。
設定サイリスタＳＴは、ゲート端子Ｇｓｔ１（Ｖ１）が「Ｌ」（−３Ｖ）から「Ｈ」（０Ｖ）になり、φＩ端子（Ｖ２）が「Ｌ」（−３Ｖ）、カソード端子Ｋｓｔ（ＩＮ）が「Ｌ」（−３Ｖ）から−２．７Ｖになる。カソード端子Ｋｓｔが−２．７Ｖになっても、設定サイリスタＳＴはオン状態を維持する。ゲート端子Ｇｓｔ２（ＯＵＴ）（点灯信号線７５）は「Ｈ」（０Ｖ）である。
よって、点灯信号線７５は、「Ｈ」（０Ｖ）を維持する。
時刻ｄの直後においては、転送サイリスタＴ１、設定サイリスタＳＴがオン状態にある。
【０１２７】
＜発光チップＣｂ１＞
発光チップＣｂ１が属する発光チップ群＃ｂに送信される信号に変化がないので、発光チップＣｂ１は初期状態を維持する。
【０１２８】
（５）時刻ｅ
時刻ｅにおいて、発光チップ群＃ａの発光チップＣａ１と発光チップ群＃ｂの発光チップＣｂ１とが属する発光チップ組＃１に送信される設定信号φＷ１が、「Ｈ」（０Ｖ）から「Ｌ」（−３Ｖ）に移行する。
＜発光チップＣａ１＞
φＷ端子が「Ｈ」（０Ｖ）から「Ｌ」（−３Ｖ）に移行する。これにより、駆動サイリスタＤＴのカソード端子Ｋｄｔが「Ｈ」（０Ｖ）から「Ｌ」（−３Ｖ）になる。
駆動サイリスタＤＴは、ゲート端子Ｇｄｔ１（Ｖ１）が「Ｈ」（０Ｖ）、電流制限抵抗Ｒｄｔの他方の端子（Ｖ２）が「Ｌ」（−３Ｖ）、カソード端子Ｋｄｔ（ＩＮ）が「Ｈ」（０Ｖ）から「Ｌ」（−３Ｖ）になるので、図９（ｃ）における場合３から場合４になって、ターンオンする。ゲート端子Ｇｄｔ２（ＯＵＴ）（設定サイリスタＳＴのカソード端子Ｋｓｔ）は「Ｈ」（０Ｖ）になる。
設定サイリスタＳＴは、カソード端子Ｋｓｔが−２．７Ｖから「Ｈ」（０Ｖ）になるので、ターンオフする。すると、設定サイリスタＳＴは、ゲート端子Ｇｓｔ１（Ｖ１）が「Ｈ」（０Ｖ）、φＩ端子（Ｖ２）が「Ｌ」（−３Ｖ）、カソード端子Ｋｓｔ（ＩＮ）が−２．７Ｖから「Ｈ」（０Ｖ）になるので、図９（ｃ）における場合３になる。なお、設定サイリスタＳＴでは、図９（ｃ）における場合３のＯＵＴは「Ｌ」（−３Ｖ）である。よって、ゲート端子Ｇｓｔ２（ＯＵＴ）（点灯信号線７５）は「Ｈ」（０Ｖ）から「Ｌ」（−３Ｖ）になる。
【０１２９】
すると、しきい電圧が−１．５Ｖである発光サイリスタＬ１がターンオンして点灯（発光）する。
なお、しきい電圧が−３Ｖの発光サイリスタＬ２は、しきい電圧が−１．５Ｖであって、−３Ｖより高い発光サイリスタＬ１がターンオンして、点灯信号線７５を−１．９Ｖに設定するため、ターンオンしない。そして、番号が３以上の発光サイリスタＬは、しきい電圧が−４．５Ｖであるのでターンオンしない。
【０１３０】
時刻ｅの直後においては、転送サイリスタＴ１、駆動サイリスタＤＴがオン状態にあるとともに、発光サイリスタＬ１がオン状態で点灯（発光）している。
【０１３１】
＜発光チップＣｂ１＞
φＷ端子が「Ｈ」（０Ｖ）から「Ｌ」（−３Ｖ）に移行する。これにより、駆動サイリスタＤＴのカソード端子Ｋｄｔが「Ｈ」（０Ｖ）から「Ｌ」（−３Ｖ）になる。
駆動サイリスタＤＴは、ゲート端子Ｇｄｔ１（Ｖ１）が「Ｌ」（−３Ｖ）、電流制限抵抗Ｒｄｔの他方の端子（Ｖ２）が「Ｌ」（−３Ｖ）、カソード端子Ｋｄｔ（ＩＮ）が「Ｈ」（０Ｖ）から「Ｌ」（−３Ｖ）になるので、図９（ｃ）における場合７から場合８になる。駆動サイリスタＤＴはオフ状態を維持する。ゲート端子Ｇｄｔ２（ＯＵＴ）（設定サイリスタＳＴのカソード端子Ｋｓｔ）は「Ｌ」（−３Ｖ）を維持する。
設定サイリスタＳＴは、ゲート端子Ｇｓｔ１（Ｖ１）が「Ｌ」（−３Ｖ）、φＩ端子（Ｖ２）が「Ｈ」（０Ｖ）、カソード端子Ｋｓｔ（ＩＮ）が「Ｌ」（−３Ｖ）であるので、図９（ｃ）の場合６を維持し、オン状態を維持する。ゲート端子Ｇｓｔ２（ＯＵＴ）（点灯信号線７５）は「Ｈ」（０Ｖ）を維持する。
時刻ｅの直後においては、設定サイリスタＳＴがオン状態にある。
【０１３２】
（６）時刻ｆ
時刻ｆにおいて、発光チップ群＃ａに送信される許可信号φＥａが、「Ｈ」（０Ｖ）から「Ｌ」（−３Ｖ）に移行する。
＜発光チップＣａ１＞
φＥ端子が「Ｈ」（０Ｖ）から「Ｌ」（−３Ｖ）になる。そして、駆動サイリスタＤＴのゲート端子Ｇｄｔ１および設定サイリスタＳＴのゲート端子Ｇｓｔ１が「Ｈ」（０Ｖ）から「Ｌ」（−３Ｖ）になる。
駆動サイリスタＤＴは、ゲート端子Ｇｄｔ１（Ｖ１）が「Ｈ」（０Ｖ）から「Ｌ」（−３Ｖ）になり、電流制限抵抗Ｒｄｔの他方の端子（Ｖ２）が「Ｌ」（−３Ｖ）、カソード端子Ｋｄｔ（ＩＮ）が「Ｌ」（−３Ｖ）であるが、駆動サイリスタＤＴはオン状態であったので、オン状態を維持する。ゲート端子Ｇｄｔ２（ＯＵＴ）（設定サイリスタＳＴのカソード端子Ｋｓｔ）は「Ｈ」（０Ｖ）を維持する。
設定サイリスタＳＴは、ゲート端子Ｇｓｔ１（Ｖ１）が「Ｈ」（０Ｖ）から「Ｌ」（−３Ｖ）になり、φＩ端子（Ｖ２）が「Ｌ」（−３Ｖ）、カソード端子Ｋｓｔ（ＩＮ）が「Ｈ」（０Ｖ）であるので、図９（ｃ）における場合３から場合７になる。これにより、設定サイリスタＳＴはオフ状態を維持するが、しきい電圧は−２Ｖから−４．５Ｖになる。ゲート端子Ｇｓｔ２（ＯＵＴ）（点灯信号線７５）は「Ｌ」（−３Ｖ）を維持する。
よって、発光サイリスタＬ１はオン状態を維持する。
時刻ｆの直後においては、転送サイリスタＴ１、駆動サイリスタＤＴがオン状態にあるとともに、発光サイリスタＬ１がオン状態で点灯（発光）している。
＜発光チップＣｂ１＞
発光チップＣｂ１が属する発光チップ群＃ｂに送信される信号に変化がないので、時刻ｅの直後の状態が維持される。
【０１３３】
（７）時刻ｇ
時刻ｇにおいて、発光チップ群＃ａの発光チップＣａ１と発光チップ群＃ｂの発光チップＣｂ１とが属する発光チップ組＃１に送信される設定信号φＷ１が、「Ｌ」（−３Ｖ）から「Ｈ」（０Ｖ）に移行する。
＜発光チップＣａ１＞
φＷ端子が「Ｌ」（−３Ｖ）から「Ｈ」（０Ｖ）になる。すると、駆動サイリスタＤＴのカソード端子Ｋｄｔが「Ｌ」（−３Ｖ）から「Ｈ」（０Ｖ）になる。
駆動サイリスタＤＴは、ゲート端子Ｇｄｔ１（Ｖ１）が「Ｌ」（−３Ｖ）、電流制限抵抗Ｒｄｔの他方の端子（Ｖ２）が「Ｌ」（−３Ｖ）、カソード端子Ｋｄｔ（ＩＮ）が「Ｌ」（−３Ｖ）から「Ｈ」（０Ｖ）になって、ターンオフする。これにより、図９（ｃ）の場合７になって、ゲート端子Ｇｄｔ２（ＯＵＴ）（設定サイリスタＳＴのカソード端子Ｋｓｔ）は「Ｈ」（０Ｖ）から「Ｌ」（−３Ｖ）になる。
設定サイリスタＳＴは、ゲート端子Ｇｓｔ１（Ｖ１）が「Ｌ」（−３Ｖ）、φＩ端子（Ｖ２）が「Ｌ」（−３Ｖ）、カソード端子Ｋｓｔ（ＩＮ）が「Ｈ」（０Ｖ）から「Ｌ」（−３Ｖ）になって、図９（ｃ）の場合７から場合８になる。設定サイリスタＳＴは、しきい電圧が−４．５Ｖであるのでターンオンせず、オフ状態を維持する。ゲート端子Ｇｓｔ２（ＯＵＴ）（点灯信号線７５）は「Ｌ」（−３Ｖ）を維持する。
よって、発光サイリスタＬ１はオン状態を維持する。
時刻ｇの直後においては、転送サイリスタＴ１がオン状態にあるとともに、発光サイリスタＬ１がオン状態で点灯（発光）している。
【０１３４】
＜発光チップＣｂ１＞
φＷ端子が「Ｌ」（−３Ｖ）から「Ｈ」（０Ｖ）になる。すると、駆動サイリスタＤＴのカソード端子Ｋｄｔが「Ｌ」（−３Ｖ）から「Ｈ」（０Ｖ）になる。
駆動サイリスタＤＴは、ゲート端子Ｇｄｔ１（Ｖ１）が「Ｌ」（−３Ｖ）、電流制限抵抗Ｒｄｔの他方の端子（Ｖ２）が「Ｌ」（−３Ｖ）、カソード端子Ｋｄｔ（ＩＮ）が「Ｌ」（−３Ｖ）から「Ｈ」（０Ｖ）になるので、図９（ｃ）における場合８から場合７になる。駆動サイリスタＤＴはオフ状態を維持する。ゲート端子Ｇｄｔ２（ＯＵＴ）（設定サイリスタＳＴのカソード端子Ｋｓｔ）は「Ｌ」（−３Ｖ）を維持する。
設定サイリスタＳＴは、ゲート端子Ｇｓｔ１（Ｖ１）が「Ｌ」（−３Ｖ）、φＩ端子（Ｖ２）が「Ｈ」（０Ｖ）、カソード端子Ｋｓｔ（ＩＮ）が「Ｌ」（−３Ｖ）であるので、図９（ｃ）における場合６を維持し、オン状態を維持する。ゲート端子Ｇｓｔ２（ＯＵＴ）（点灯信号線７５）は「Ｈ」（０Ｖ）を維持する。
時刻ｇの直後においては、設定サイリスタＳＴがオン状態にある。
【０１３５】
（８）時刻ｈ
時刻ｈにおいて、発光チップ群＃ｂに送信される第１転送信号φ１ｂが、「Ｈ」（０Ｖ）から「Ｌ」（−３Ｖ）に移行する。
＜発光チップＣａ１＞
発光チップＣａ１が属する発光チップ群＃ａに送信される信号に変化がないので、時刻ｇの直後の状態が維持される。
＜発光チップＣｂ１＞
時刻ｂにおける発光チップＣａ１の動作と同様である。すなわち、転送サイリスタＴ１がターンオンする。
つまり、発光チップＣｂ１は、タイミングがずれた（位相が１８０°ずれた）関係で発光チップＣａ１と同様に動作する。
時刻ｈの直後においては、転送サイリスタＴ１、設定サイリスタＳＴがオン状態にある。
【０１３６】
（９）時刻ｉ
時刻ｉにおいて、発光チップ群＃ｂに送信される点灯信号φＩｂが、「Ｈ」（０Ｖ）から「Ｌ」（−３Ｖ）に移行する。これにより、発光チップ群＃ｂの期間Ｔｂ（１）が開始する。
＜発光チップＣａ１＞
発光チップＣａ１が属する発光チップ群＃ａに送信される信号に変化がないので、時刻ｇの直後の状態が維持される。
【０１３７】
＜発光チップＣｂ１＞
時刻ｃにおける発光チップＣａ１と同様に、設定サイリスタＳＴはオン状態を維持する。よって、点灯信号線７５は「Ｈ」（０Ｖ）を維持する。
時刻ｉの直後においては、転送サイリスタＴ１、設定サイリスタＳＴがオン状態にある。
【０１３８】
（１０）時刻ｊ
時刻ｊにおいて、発光チップ群＃ｂに送信される許可信号φＥｂが、「Ｌ」（−３Ｖ）から「Ｈ」（０Ｖ）に移行する。
＜発光チップＣａ１＞
発光チップＣａ１が属する発光チップ群＃ａに送信される信号に変化がないので、時刻ｇの直後の状態が維持される。
＜発光チップＣｂ１＞
発光チップＣｂ１の動作は、時刻ｄにおける発光チップＣａ１の動作と同様であるので、詳細な説明を省略する。
時刻ｊの直後においては、転送サイリスタＴ１、設定サイリスタＳＴがオン状態にある。
【０１３９】
（１１）時刻ｋ
時刻ｋにおいて、発光チップ群＃ａの発光チップＣａ１と発光チップ群＃ｂの発光チップＣｂ１とが属する発光チップ組＃１に送信される設定信号φＷ１が、「Ｈ」（０Ｖ）から「Ｌ」（−３Ｖ）に移行する。
＜発光チップＣａ１＞
φＷ端子が「Ｈ」（０Ｖ）から「Ｌ」（−３Ｖ）に移行する。これにより、駆動サイリスタＤＴのカソード端子Ｋｄｔが「Ｈ」（０Ｖ）から「Ｌ」（−３Ｖ）になる。
駆動サイリスタＤＴは、ゲート端子Ｇｄｔ１（Ｖ１）が「Ｌ」（−３Ｖ）、電流制限抵抗Ｒｄｔの他方の端子（Ｖ２）が「Ｌ」（−３Ｖ）、カソード端子Ｋｄｔ（ＩＮ）が「Ｈ」（０Ｖ）から「Ｌ」（−３Ｖ）になって、図９（ｃ）における場合７から場合８になる。駆動サイリスタＤＴは、オフ状態を維持する。ゲート端子Ｇｄｔ２（ＯＵＴ）（設定サイリスタＳＴのカソード端子Ｋｓｔ）は「Ｌ」（−３Ｖ）を維持する。
設定サイリスタＳＴは、ゲート端子Ｇｓｔ１（Ｖ１）が「Ｌ」（−３Ｖ）、φＩ端子（Ｖ２）が「Ｌ」（−３Ｖ）、カソード端子Ｋｓｔ（ＩＮ）が「Ｌ」（−３Ｖ）で、図９（ｃ）の場合８であって、オフ状態を維持する。ゲート端子Ｇｓｔ２（ＯＵＴ）（点灯信号線７５）は「Ｌ」（−３Ｖ）を維持する。
よって、発光サイリスタＬ１はオン状態を維持する。
時刻ｋの直後においては、転送サイリスタＴ１がオン状態にあるとともに、発光サイリスタＬ１がオン状態で点灯（発光）している。
【０１４０】
＜発光チップＣｂ１＞
φＷ端子が「Ｈ」（０Ｖ）から「Ｌ」（−３Ｖ）に移行する。これにより、駆動サイリスタＤＴのカソード端子Ｋｄｔが「Ｈ」（０Ｖ）から「Ｌ」（−３Ｖ）になる。
時刻ｅにおける発光チップＣａ１と同様に、駆動サイリスタＤＴがターンオンし、設定サイリスタＳＴがターンオフする。
これにより、点灯信号線７５が「Ｌ」（−３Ｖ）になる。そして、しきい電圧が−１．５Ｖである発光サイリスタＬ１がターンオンして点灯（発光）する。
時刻ｋの直後においては、転送サイリスタＴ１、駆動サイリスタＤＴがオン状態にあるとともに、発光サイリスタＬ１がオン状態で点灯（発光）している。
【０１４１】
（１２）時刻ｌ
時刻ｌにおいて、発光チップ群＃ｂに送信される許可信号φＥｂが、「Ｌ」（−３Ｖ）から「Ｈ」（０Ｖ）に移行する。
＜発光チップＣａ１＞
発光チップＣａ１が属する発光チップ群＃ａに送信される信号に変化がないので、時刻ｋの直後の状態が維持される。
＜発光チップＣｂ１＞
時刻ｆにおける発光チップＣａ１と同様に、駆動サイリスタＤＴはオン状態を、設定サイリスタＳＴはオフ状態を維持する。
時刻ｌの直後においては、転送サイリスタＴ１、駆動サイリスタＤＴがオン状態にあるとともに、発光サイリスタＬ１がオン状態で点灯（発光）している。
【０１４２】
（１３）時刻ｍ
時刻ｍにおいて、発光チップ群＃ａの発光チップＣａ１と発光チップ群＃ｂの発光チップＣｂ１とが属する発光チップ組＃１に送信される設定信号φＷ１が、「Ｌ」（−３Ｖ）から「Ｈ」（０Ｖ）に移行する。
＜発光チップＣａ１＞
φＷ端子が「Ｌ」（−３Ｖ）から「Ｈ」（０Ｖ）に移行する。これにより、駆動サイリスタＤＴのカソード端子Ｋｄｔが「Ｌ」（−３Ｖ）から「Ｈ」（０Ｖ）になる。
駆動サイリスタＤＴは、ゲート端子Ｇｄｔ１（Ｖ１）が「Ｌ」（−３Ｖ）、電流制限抵抗Ｒｄｔの他方の端子（Ｖ２）が「Ｌ」（−３Ｖ）、カソード端子Ｋｄｔ（ＩＮ）が「Ｌ」（−３Ｖ）から「Ｈ」（０Ｖ）になって、図９（ｃ）における場合８から場合７になる。駆動サイリスタＤＴは、オフ状態を維持する。ゲート端子Ｇｄｔ２（ＯＵＴ）（設定サイリスタＳＴのカソード端子Ｋｓｔ）は「Ｌ」（−３Ｖ）を維持する。
設定サイリスタＳＴは、ゲート端子Ｇｓｔ１（Ｖ１）が「Ｌ」（−３Ｖ）、φＩ端子（Ｖ２）が「Ｌ」（−３Ｖ）、カソード端子Ｋｓｔ（ＩＮ）が「Ｌ」（−３Ｖ）で、図９（ｃ）の場合８であって、オフ状態を維持する。ゲート端子Ｇｓｔ２（ＯＵＴ）（点灯信号線７５）は「Ｌ」（−３Ｖ）を維持する。
よって、発光サイリスタＬ１はオン状態を維持する。
時刻ｍの直後においては、転送サイリスタＴ１がオン状態にあるとともに、発光サイリスタＬ１がオン状態で点灯（発光）している。
【０１４３】
＜発光チップＣｂ１＞
φＷ端子が「Ｌ」（−３Ｖ）から「Ｈ」（０Ｖ）に移行する。これにより、駆動サイリスタＤＴのカソード端子Ｋｄｔが「Ｌ」（−３Ｖ）から「Ｈ」（０Ｖ）になる。
時刻ｇにおける発光チップＣａ１と同様に、駆動サイリスタＤＴがターンオフする。一方、設定サイリスタＳＴはオフ状態を維持する。よって、点灯信号線７５は「Ｌ」（−３Ｖ）を維持する。
時刻ｍの直後においては、転送サイリスタＴ１がオン状態にあるとともに、発光サイリスタＬ１がオン状態で点灯（発光）している。
【０１４４】
（１４）時刻ｎ
時刻ｎにおいて、発光チップ群＃ａに送信される点灯信号φＩａが、「Ｌ」（−３Ｖ）から「Ｈ」（０Ｖ）に移行する。
＜発光チップＣａ１＞
φＩ端子が、「Ｌ」（−３Ｖ）から「Ｈ」（０Ｖ）になる。
駆動サイリスタＤＴは、ゲート端子Ｇｄｔ１（Ｖ１）が「Ｌ」（−３Ｖ）、電流制限抵抗Ｒｄｔの他方の端子（Ｖ２）が「Ｌ」（−３Ｖ）、カソード端子Ｋｄｔ（ＩＮ）が「Ｈ」（０Ｖ）であるので、図９（ｃ）における場合７を維持する。駆動サイリスタＤＴは、オフ状態を維持する。ゲート端子Ｇｄｔ２（ＯＵＴ）（設定サイリスタＳＴのカソード端子Ｋｓｔ）は「Ｌ」（−３Ｖ）を維持する。
設定サイリスタＳＴは、ゲート端子Ｇｓｔ１（Ｖ１）が「Ｌ」（−３Ｖ）、φＩ端子（Ｖ２）が「Ｌ」（−３Ｖ）から「Ｈ」（０Ｖ）になって、カソード端子Ｋｓｔ（ＩＮ）が「Ｌ」（−３Ｖ）であるので、図９（ｃ）における場合８から場合６になる。すなわち、設定サイリスタＳＴは、しきい電圧が−４．５Ｖから−２Ｖになって、ターンオンする。ゲート端子Ｇｓｔ２（ＯＵＴ）（点灯信号線７５）は「Ｈ」（０Ｖ）になる。
これにより、発光サイリスタＬ１はアノード端子とカソード端子とがともに「Ｈ」（０Ｖ）になるので、ターンオフして消灯する。
発光チップＣａ１の発光サイリスタＬ１は、時刻ｅの設定信号φＷ１が「Ｈ」（０Ｖ）から「Ｌ」（−３Ｖ）に移行するタイミングで点灯（発光）（ターンオン）し、時刻ｎの点灯信号φＩａが「Ｌ」（−３Ｖ）から「Ｈ」（０Ｖ）に移行するタイミングで消灯（ターンオフ）する。時刻ｅから時刻ｎまでの期間が、発光チップＣａ１の発光サイリスタＬ１の点灯（発光）期間に対応する。
時刻ｎの直後においては、転送サイリスタＴ１、設定サイリスタＳＴがオン状態にある。
【０１４５】
＜発光チップＣｂ１＞
発光チップＣｂ１が属する発光チップ群＃ｂに送信される信号に変化がないので、時刻ｍの直後の状態が維持される。
【０１４６】
（１５）時刻ｏ
時刻ｏにおいて、発光チップ群＃ａに送信される第２転送信号φ２ａが、「Ｈ」（０Ｖ）から「Ｌ」（−３Ｖ）に移行する。
＜発光チップＣａ１＞
しきい電圧が−３Ｖである転送サイリスタＴ２がターンオンし、第２転送信号線７３を−１．５Ｖに設定する。番号が４以上の偶数番目の転送サイリスタＴは、しきい電圧が−４．５Ｖであるので、ターンオンしない。
【０１４７】
転送サイリスタＴ２がターンオンすると、ゲート端子Ｇｔ２は「Ｈ」（０Ｖ）になる。すると、転送サイリスタＴ２のゲート端子Ｇｔ２に結合ダイオードＤ２を介して接続されたゲート端子Ｇｔ３の電位は−１．５Ｖになる。これにより、転送サイリスタＴ３のしきい電圧は−３Ｖになる。
【０１４８】
ゲート端子Ｇｔ２が「Ｈ」（０Ｖ）になると、発光サイリスタＬ２のしきい電圧が−１．５Ｖになる。なお、点灯信号線７５は「Ｈ」（０Ｖ）であるので、発光サイリスタＬ２はターンオンしない。
時刻ｏの直後においては、転送サイリスタＴ１、転送サイリスタＴ２、設定サイリスタＳＴがオン状態にある。
【０１４９】
＜発光チップＣｂ１＞
発光チップＣｂ１が属する発光チップ群＃ｂに送信される信号に変化がないので、時刻ｍの直後の状態が維持される。
【０１５０】
（１６）時刻ｐ
時刻ｐにおいて、発光チップ群＃ａに送信される第１転送信号φ１ａが、「Ｌ」（−３Ｖ）から「Ｈ」（０Ｖ）に移行する。
＜発光チップＣａ１＞
オン状態にあった転送サイリスタＴ１は、カソード端子およびアノード端子がともに「Ｈ」（０Ｖ）となって、ターンオフする。
このとき、転送サイリスタＴ１のゲート端子Ｇｔ１は０Ｖのゲート端子Ｇｔ２に接続されているが、結合ダイオードＤ１は逆方向に電圧が印加（逆バイアス）されている。これにより、ゲート端子Ｇｔ２の電位が０Ｖである影響は、ゲート端子Ｇｔ１に及ばない。すなわち、逆バイアスの結合ダイオードＤで接続されたゲート端子Ｇｔには、他のゲート端子Ｇｔの電位の影響は及ばない。
また、転送サイリスタＴ１のゲート端子Ｇｔ１は、接続抵抗Ｒｇ１を介して電源線７１に接続されているので、電源電位Ｖｇａ（「Ｌ」（−３Ｖ））になる。よって、転送サイリスタＴ１、発光サイリスタＬ１のしきい電圧は−４．５Ｖとなる。
時刻ｐの直後においては、転送サイリスタＴ２、設定サイリスタＳＴがオン状態にある。
【０１５１】
＜発光チップＣｂ１＞
発光チップＣｂ１が属する発光チップ群＃ｂに送信される信号に変化がないので、時刻ｍの直後の状態が維持される。
【０１５２】
（１７）時刻ｑ
時刻ｑにおいて、発光チップ群＃ａに送信される点灯信号φＩａが、「Ｈ」（０Ｖ）から「Ｌ」（−３Ｖ）に移行する。これにより、発光チップ群＃ａの期間Ｔａ（１）が終了し、期間Ｔａ（１）が開始する。
＜発光チップＣａ１＞
時刻ｃと同様に、設定サイリスタＳＴのオン状態を維持するため、点灯信号線７５は「Ｈ」（０Ｖ）を維持する。
時刻ｑの直後においては、転送サイリスタＴ２、設定サイリスタＳＴがオン状態にある。
【０１５３】
第１転送信号φ１ａおよび第２転送信号φ２ａは、期間Ｔａ（１）に期間Ｔａ（２）を加えた期間を周期として変化する。このため、信号の波形は異なるが、期間Ｔａ（２）における発光チップＣａ１の動作は、時刻ｃから時刻ｑまでの期間Ｔａ（１）の繰り返しとなる。よって、期間Ｔａ（２）では、第１転送信号φ１ａ、第２転送信号φ２ａおよびこれらに関連する転送サイリスタＴの説明を除き、発光チップＣａ１の動作の説明を省略する。
【０１５４】
＜発光チップＣｂ１＞
発光チップＣｂ１が属する発光チップ群＃ｂに送信される信号に変化がないので、時刻ｍの直後の状態が維持される。
【０１５５】
（１８）時刻ｒ
時刻ｒにおいて、発光チップ群＃ｂに送信される点灯信号φＩｂが、「Ｌ」（−３Ｖ）から「Ｈ」（０Ｖ）に移行する。
＜発光チップＣａ１＞
発光チップＣａ１が属する発光チップ群＃ａに送信される信号に変化がない。なお、時刻ｑから時刻ｒまでにおいて、発光サイリスタＬ２がターンオンして、点灯（発光）している。
時刻ｒの直後においては、転送サイリスタＴ２がオン状態にあるとともに、発光サイリスタＬ２がオン状態で点灯（発光）している。
＜発光チップＣｂ１＞
時刻ｎにおける発光チップＣａ１と同様に、駆動サイリスタＤＴはオフ状態を維持する。一方、設定サイリスタＳＴはターンオンして、点灯信号線７５を「Ｈ」（０Ｖ）にする。
これにより、オン状態の発光サイリスタＬ１がターンオフして、消灯する。
【０１５６】
発光チップＣｂ１の発光サイリスタＬ１は、時刻ｋの設定信号φＷ１が「Ｈ」（０Ｖ）から「Ｌ」（−３Ｖ）に移行するタイミングで点灯（発光）（ターンオン）し、時刻ｒの点灯信号φＩｂが「Ｌ」（−３Ｖ）から「Ｈ」（０Ｖ）に移行するタイミングで消灯（ターンオフ）する。時刻ｋから時刻ｒまでの期間が、発光チップＣｂ１の発光サイリスタＬ１の点灯（発光）期間に対応する。
時刻ｒの直後においては、転送サイリスタＴ１、設定サイリスタＳＴがオン状態にある。
【０１５７】
（１９）時刻ｓ
時刻ｓにおいて、発光チップ群＃ｂに送信される点灯信号φＩｂが「Ｈ」（０Ｖ）から「Ｌ」（−３Ｖ）に移行する。ここにおいて、発光チップ群＃ｂの発光サイリスタＬ１を点灯制御する期間Ｔｂ（１）が終了し、発光サイリスタＬ２を点灯制御する期間Ｔｂ（２）が開始する。
＜発光チップＣａ１＞
発光チップＣａ１が属する発光チップ群＃ａに送信される信号に変化がないので、時刻ｒの直後の状態が維持される。
＜発光チップＣｂ１＞
時刻ｑにおける発光チップＣａ１と同様に、設定サイリスタＳＴのオン状態を維持するため、点灯信号線７５は「Ｈ」（０Ｖ）に維持される。
時刻ｓの直後においては、転送サイリスタＴ２、設定サイリスタＳＴがオン状態にある。
【０１５８】
（２０）時刻ｔ
時刻ｔにおいて、発光チップＣａ１が属する発光チップ群＃ａへ送信される第１転送信号φ１ａが「Ｈ」（０Ｖ）から「Ｌ」（−３Ｖ）に移行する。
＜発光チップＣａ１＞
しきい電圧が−３Ｖであった転送サイリスタＴ３がターンオンする。これにより、ゲート端子Ｇｔ３は「Ｈ」（０Ｖ）になる。そして、ゲート端子Ｇｔ４の電位は−１．５Ｖになり、転送サイリスタＴ４のしきい電圧は−３Ｖになる。
なお、時刻ｔの直後においては、転送サイリスタＴ２、Ｔ３、設定サイリスタＳＴがオン状態にある。
【０１５９】
＜発光チップＣｂ１＞
発光チップＣｂ１が属する発光チップ群＃ｂに送信される信号に変化がない。時刻ｓから時刻ｔまでに、発光サイリスタＬ２がターンオンして、点灯（発光）している。
時刻ｔの直後においては、転送サイリスタＴ２がオン状態にあるとともに、発光サイリスタＬ２がオン状態で点灯（発光）している。
【０１６０】
（２１）時刻ｕ
時刻ｕにおいて、発光チップＣａ１が属する発光チップ群＃ａへ送信される第２転送信号φ２ａが「Ｌ」（−３Ｖ）から「Ｈ」（０Ｖ）に移行する。
＜発光チップＣａ１＞
オン状態にあった転送サイリスタＴ２は、カソード端子およびアノード端子がともに「Ｈ」（０Ｖ）となるので、ターンオフする。
時刻ｕの直後においては、転送サイリスタＴ３、設定サイリスタＳＴがオン状態にある。
＜発光チップＣｂ１＞
発光チップＣｂ１が属する発光チップ群＃ｂに送信される信号に変化がないので、時刻ｔの直後の状態が維持される。
【０１６１】
（２２）その他
時刻ｖにおいて、発光チップＣａ１の発光サイリスタＬ２を点灯制御する期間Ｔａ（２）が終了し、発光サイリスタＬ３を点灯制御する期間Ｔａ（３）が開始する。時刻ｗにおいて、発光チップＣｂ１の発光サイリスタＬ２を点灯制御する期間Ｔｂ（２）が終了し、発光サイリスタＬ３を点灯制御する期間Ｔｂ（３）が開始する。時刻ｘにおいて、発光チップＣａ１の発光サイリスタＬ３を点灯制御する期間Ｔａ（３）が終了し、発光サイリスタＬ４を点灯制御する期間Ｔａ（４）が開始する。
以下同様に、発光チップＣのすべての発光サイリスタＬの点灯制御が行われる。
【０１６２】
以上説明した発光チップＣの動作をまとめて説明する。
はじめに転送サイリスタＴの動作を説明する。
第１の実施の形態における発光チップＣでは、２相の転送信号（第１転送信号φ１および第２転送信号φ２）により、転送サイリスタＴのオン状態を順に移している。
すなわち、２相の転送信号の内の一方の転送信号が「Ｌ」（−３Ｖ）になることにより、一方の転送信号がカソード端子に送信された転送サイリスタＴがオン状態になり、そのゲート端子Ｇｔが「Ｈ」（０Ｖ）になる。「Ｈ」（０Ｖ）になったゲート端子Ｇｔと順バイアスの結合ダイオードＤで接続された隣接する転送サイリスタＴのゲート端子Ｇｔの電位が−１．５Ｖになる。これにより、転送サイリスタＴは、しきい電圧が上昇（例えば、−４．５Ｖから−３Ｖ）し、他方の転送信号が「Ｌ」（−３Ｖ）となるタイミングでオン状態になる。
つまり、２相の転送信号（第１転送信号φ１および第２転送信号φ２）を、「Ｌ」（−３Ｖ）の期間が重なる（図１０における時刻ｏから時刻ｐまでの期間）ように、位相をずらして送信することにより、転送サイリスタＴを順次オン状態に設定する。
【０１６３】
そして、転送サイリスタＴがオン状態になって、ゲート端子Ｇｔが「Ｈ」（０Ｖ）になると、ゲート端子Ｇｔにゲート端子Ｇｌが接続された発光サイリスタＬのしきい電圧が−１．５Ｖになる。
【０１６４】
そして、許可信号φＥが「Ｈ」（０Ｖ）である期間に、設定信号φＷ（設定信号φＷ１〜φＷ２０）が「Ｈ」（０Ｖ）から「Ｌ」（−３Ｖ）に移行すると、点灯信号線７５の電位が、「Ｈ」（０Ｖ）から「Ｌ」（−３Ｖ）になって、しきい電圧が−１．５Ｖの発光サイリスタＬがターンオンして点灯（発光）する。
【０１６５】
そして、発光サイリスタＬがオン状態のとき、点灯信号φＩを「Ｌ」（−３Ｖ）から「Ｈ」（０Ｖ）に移行すると、設定サイリスタＳＴがターンオンする。これにより、設定サイリスタＳＴのゲート端子Ｇｓｔ２が「Ｈ」（０Ｖ）になることで、点灯信号線７５を「Ｈ」（０Ｖ）に引き込む。これにより、オン状態にあった発光サイリスタＬがターンオフする。
すなわち、発光サイリスタＬの点灯期間は、設定信号φＷ（設定信号φＷ１〜φＷ２０）が、「Ｈ」（０Ｖ）から「Ｌ」（−３Ｖ）になるタイミング（時刻）から、点灯信号φＩが「Ｌ」（−３Ｖ）から「Ｈ」（０Ｖ）になる時刻（例えば、図１０における時刻ｅから時刻ｎ）までとなる。
【０１６６】
次に、許可信号φＥ（許可信号φＥａ、φＥｂ）と設定信号φＷ（φＷ１〜φＷ２０）について説明する。
初期状態において、設定サイリスタＳＴは、オン状態にある（図９（ｃ）における場合６）。よって、点灯信号線７５を「Ｈ」（０Ｖ）に引き込んでいる。一方、駆動サイリスタＤＴは、オフ状態にある（場合７）。そして、しきい電圧が−４．５Ｖになっている。
ここで、許可信号φＥを「Ｌ」（−３Ｖ）から「Ｈ」（０Ｖ）にすると、駆動サイリスタＤＴは、オフ状態であるが、しきい電圧が−２Ｖになる（場合３）。このとき、駆動サイリスタＤＴのゲート端子Ｇｄｔ２（設定サイリスタＳＴのカソード端子Ｋｓｔ）は−２．７Ｖになる。よって、設定サイリスタＳＴはオン状態が維持され、点灯信号線７５を「Ｈ」（０Ｖ）に引き込んでいる。
【０１６７】
ここで、設定信号φＷが「Ｈ」（０Ｖ）から「Ｌ」（−３Ｖ）になると、しきい電圧が−２Ｖの駆動サイリスタＤＴは、ターンオンする（場合４）。これにより、駆動サイリスタＤＴのゲート端子Ｇｄｔ２（設定サイリスタＳＴのカソード端子Ｋｓｔ）が−２．７Ｖから「Ｈ」（０Ｖ）になる。これにより、設定サイリスタＳＴがターンオフする。すると、設定サイリスタＳＴのゲート端子Ｇｓｔ２に接続された点灯信号線７５が「Ｌ」（−３Ｖ）になる。よって、しきい電圧が−１．５Ｖの発光サイリスタＬがターンオンする。
【０１６８】
すなわち、許可信号φＥが「Ｈ」（０Ｖ）の期間に、設定信号φＷを「Ｈ」（０Ｖ）から「Ｌ」（−３Ｖ）にすることで、発光サイリスタＬがターンオンする。
【０１６９】
この後、許可信号φＥを「Ｈ」（０Ｖ）から「Ｌ」（−３Ｖ）にすると、駆動サイリスタＤＴはオン状態を維持する。一方、オフ状態の設定サイリスタＳＴは、しきい電圧が−２Ｖから−４．５Ｖになる（場合７）。
そして、設定信号φＷを「Ｌ」（−３Ｖ）から「Ｈ」（０Ｖ）に戻すと、駆動サイリスタＤＴがターンオフして（場合７）、ゲート端子Ｇｄｔ２（設定サイリスタＳＴのカソード端子Ｋｓｔ）が「Ｌ」（−３Ｖ）になる。しかし、設定サイリスタＳＴは、しきい電圧が−４．５Ｖであるので、ターンオンしない。
【０１７０】
一方、許可信号φＥが「Ｌ」（−３Ｖ）であって、駆動サイリスタＤＴが場合７のオフ状態、設定サイリスタＳＴが場合６のオン状態にあるときに、設定信号φＷが「Ｈ」（０Ｖ）から「Ｌ」（−３Ｖ）に移行する（例えば時刻ｅにおける発光チップＣｂ１）と、駆動サイリスタＤＴはしきい電圧が−４．５Ｖであるので、ターンオンしない（場合８）。駆動サイリスタＤＴのゲート端子Ｇｄｔ２（設定サイリスタＳＴのカソード端子Ｋｓｔ）は「Ｌ」（−３Ｖ）で変化しないため、設定サイリスタＳＴはオン状態を維持する（場合６）。
また、許可信号φＥが「Ｌ」（−３Ｖ）であって、駆動サイリスタＤＴがオフ状態（場合７）、設定サイリスタＳＴがオフ状態（場合８）にあるときに、設定信号φＷが「Ｈ」（０Ｖ）から「Ｌ」（−３Ｖ）に移行する（例えば時刻ｊにおける発光チップＣａ１）しても、駆動サイリスタＤＴはしきい電圧が−４．５Ｖであるので、ターンオンしない（場合８）。
駆動サイリスタＤＴのゲート端子Ｇｄｔ２（設定サイリスタＳＴのカソード端子Ｋｓｔ）は「Ｌ」（−３Ｖ）で変化しないため、設定サイリスタＳＴはオフ状態を維持する（場合８）。
【０１７１】
すなわち、許可信号φＥが「Ｈ」（０Ｖ）である期間に、設定信号φＷが「Ｈ」（０Ｖ）から「Ｌ」（−３Ｖ）になっても、設定サイリスタＳＴはそれまでの状態を維持する。
【０１７２】
以上説明したように、許可信号φＥは、「Ｈ」（０Ｖ）になることで、発光チップＣが設定信号φＷにより点灯することを許可し、「Ｌ」（−３Ｖ）になることで、発光チップＣに設定信号φＷの影響が及ばないように阻止する。このことから、許可信号φＥａは、発光チップ群＃ａの発光チップＣの点灯を許可または阻止するイネーブル信号／ディセーブル信号として、許可信号φＥｂは、発光チップ群＃ｂの発光チップＣの点灯を許可または阻止するイネーブル信号／ディセーブル信号として機能する。
【０１７３】
さらにまた、発光チップ群＃ａの発光チップＣａおよび発光チップ群＃ｂの発光チップＣｂの点灯制御について説明する。
第１の実施の形態では、発光チップ群＃ａに属する発光チップＣと発光チップ群＃ｂに属する発光チップＣとから構成される発光チップ組に対して、それぞれの発光チップＣの発光サイリスタＬを共に点灯（発光）させるときは、共通に送信する設定信号φＷ（設定信号φＷ１〜φＷ２０）に「Ｌ」（−３Ｖ）になる期間を２つ設けた（図１０の時刻ｅから時刻ｇまでの期間および時刻ｋから時刻ｍまでの期間）。２つのうち、先の「Ｌ」（−３Ｖ）の期間は発光チップ群＃ａの発光チップＣに対して、後の「Ｌ」（−３Ｖ）の期間は発光チップ群＃ｂの発光チップＣに対して、点灯の開始を設定する。
すなわち、発光チップ群＃ａの発光チップＣの点灯を許可する許可信号φＥａが「Ｈ」（０Ｖ）の期間（例えば、図１０の時刻ｄから時刻ｆまでの期間）に、設定信号φＷが先に「Ｈ」（０Ｖ）から「Ｌ」（−３Ｖ）になる時刻（時刻ｅ）を設け、発光チップ群＃ｂの発光チップＣの点灯を許可する許可信号φＥｂが「Ｈ」（０Ｖ）の期間（例えば、図１０の時刻ｊから時刻ｌまでの期間）に、設定信号φＷが後に「Ｈ」（０Ｖ）から「Ｌ」（−３Ｖ）になる時刻（時刻ｋ）を設けている。
このようにすることで、発光チップ群＃ａに属する発光チップＣと発光チップ群＃ｂに属する発光チップＣとから構成される発光チップ組に対する設定信号φＷを共通にすることができる。
なお、発光チップ群＃ａの発光チップＣの点灯を許可する許可信号φＥａの「Ｈ」（０Ｖ）の期間が、発光チップ群＃ｂの発光チップＣに送信する設定信号φＷが「Ｈ」（０Ｖ）から「Ｌ」（−３Ｖ）になる時刻と重ならないようにしている。許可信号φＥｂについては逆の関係となるようにしている。
【０１７４】
また、許可信号φＥが「Ｈ」（０Ｖ）から「Ｌ」（−３Ｖ）に移行した後に、設定信号φＷを「Ｌ」（−３Ｖ）から「Ｈ」（０Ｖ）に移行している。例えば、許可信号φＥａが「Ｈ」（０Ｖ）から「Ｌ」（−３Ｖ）に移行した時刻ｆの後の時刻ｇにおいて、設定信号φＷ１を「Ｌ」（−３Ｖ）から「Ｈ」（０Ｖ）に移行している。
これは、許可信号φＥａが「Ｌ」（−３Ｖ）である期間に、設定信号φＷ１を「Ｌ」（−３Ｖ）から「Ｈ」（０Ｖ）に移行すると、オン状態にある駆動サイリスタＤＴ（場合４）がターンオフして、駆動サイリスタＤＴのゲート端子Ｇｄｔ２（設定サイリスタＳＴのカソード端子Ｋｓｔ）が「Ｈ」（０Ｖ）から−２．７Ｖに移行する（場合３）。
このとき、設定サイリスタＳＴは、しきい電圧が−２Ｖ（場合３）であるため、カソード端子Ｋｓｔが「Ｈ」（０Ｖ）から−２．７Ｖに移行すると、ターンオンする。そして、設定サイリスタＳＴのゲート端子Ｇｓｔ２（点灯信号線７５）を「Ｈ」（０Ｖ）に引き込んでしまう。このため、点灯していた発光サイリスタＬ１がターンオフして、消灯してしまう。
【０１７５】
一方、許可信号φＥａが「Ｈ」（０Ｖ）から「Ｌ」（−３Ｖ）に移行することで、設定サイリスタＳＴのしきい電圧を−４．５Ｖに設定した後（場合７）に、設定信号φＷ１を「Ｌ」（−３Ｖ）から「Ｈ」（０Ｖ）に移行することで、駆動サイリスタＤＴがターンオフして、駆動サイリスタＤＴのゲート端子Ｇｄｔ２（設定サイリスタＳＴのカソード端子Ｋｓｔ）が「Ｈ」（０Ｖ）から−２．７Ｖに移行（場合３）しても、設定サイリスタＳＴがターンオンしないようにしている。
【０１７６】
そして、本実施の形態では、発光チップ群＃ａと発光チップ群＃ｂとで、それぞれに送信する転送信号（第１転送信号φ１ａ、φ１ｂおよび第２転送信号φ２ａ、φ２ｂ）、許可信号φＥ（許可信号φＥａ、φＥｂ）および点灯信号φＩ（点灯信号φＩａ、φＩｂ）（図１０参照）の位相を１８０°ずらしている。これにより、設定信号φＷ（設定信号φＷ１〜φＷ２０）にそれぞれ設けた２つの「Ｌ」（−３Ｖ）の期間を設定するための期間の幅（マージン）を最大にしている。
すなわち、位相を１８０°ずらしているので、設定信号φＷ（設定信号φＷ１〜φＷ２０）にそれぞれ設ける２つの「Ｌ」（−３Ｖ）の時刻は、それぞれ期間Ｔの前半の１／２と後半の１／２の期間に設ければよい。
【０１７７】
さらに、発光サイリスタＬを点灯させない場合（非点灯とする場合）を説明する。
図１０の発光チップ組＃２に送信される設定信号φＷ２は、一部の発光サイリスタＬを点灯させない場合を示している。すなわち、発光チップＣａ２において、発光サイリスタＬ２、Ｌ３、Ｌ４を点灯させるとし、発光サイリスタＬ１を点灯させない（非点灯）とし、発光チップＣｂ２において、発光サイリスタＬ１、Ｌ３、Ｌ４を点灯させるとし、発光サイリスタＬ２は点灯させない（非点灯）とした。
発光サイリスタＬを点灯させないときは、点灯させる場合に「Ｈ」（０Ｖ）から「Ｌ」（−３Ｖ）に移行させる時刻（タイミング）（たとえば、時刻ｅ）において、設定信号φＷ（設定信号φＷ１〜φＷ２０）を「Ｈ」（０Ｖ）から「Ｌ」（−３Ｖ）に移行させず、「Ｈ」（０Ｖ）のままに維持する。すると、設定サイリスタＳＴは、オン状態（場合４）に維持され、点灯信号線７５が「Ｈ」（０Ｖ）に維持される。よって、発光サイリスタＬは、しきい電圧が−１．５Ｖであっても点灯しない。
【０１７８】
図１０の時刻ｅにおいて、設定信号φＷ２を「Ｈ」（０Ｖ）のままに維持している。よって、発光チップＣａ２の発光サイリスタＬ１は点灯しない。また発光チップＣｂ２の発光サイリスタＬ２についても同様である。
【０１７９】
なお、発光サイリスタＬの発する発光量は、製造条件のばらつきなどにより、発光チップＣ間、発光サイリスタＬ間で異なることがある。このため、発光サイリスタＬの発光量を補正（光量補正）することが行われる。光量補正の方法には、発光サイリスタＬに流す電流を調整して行う方法と、発光サイリスタＬの点灯期間を調整して行う方法とがある。
前述したように、発光サイリスタＬの点灯期間は、設定信号φＷが「Ｈ」（０Ｖ）から「Ｌ」（−３Ｖ）に移行して発光サイリスタＬをターンオンする時刻から、点灯信号φＩが「Ｌ」（−３Ｖ）から「Ｈ」（０Ｖ）に移行して発光サイリスタＬをターンオフ（消灯）する時刻までである。
よって、点灯期間を調整して光量補正を行う場合には、図１０における設定信号φＷ１〜φＷ２０が「Ｈ」（０Ｖ）から「Ｌ」（−３Ｖ）になる時刻（タイミング）を前後に調整（ずらす）すればよい。
【０１８０】
以上のように、第１の実施の形態における発光チップＣの発光サイリスタＬは、それぞれ個別に点灯制御される。
【０１８１】
［第２の実施の形態］
第２の実施の形態では、第１の実施の形態と発光チップＣの構成が異なっている。他の構成は、第１の実施の形態と同様である。よって、第１の実施の形態と同様な部分の説明を省略し、異なる部分を説明する。
図１１は、第２の実施の形態における発光チップＣの構成、信号発生回路１１０の構成および回路基板６２上の配線構成を示した図である。図１１（ａ）は発光チップＣの構成を示し、図１１（ｂ）は発光装置６５の信号発生回路１１０の構成および回路基板６２上の配線構成を示す。第２の実施の形態でも、発光チップＣは２つの発光チップ群（＃ａおよび＃ｂ）に分けられている。
【０１８２】
はじめに、図１１（ａ）に示す発光チップＣの構成を説明する。
発光チップＣは、第１の実施の形態の発光チップＣと異なって、φＩ端子がφＲ端子になっている。
次に、図１１（ｂ）により、発光装置６５の信号発生回路１１０の構成および回路基板６２上の配線構成を説明する。
第２の実施の形態の信号発生回路１１０は、第１の実施の形態における点灯信号発生部１４０ａおよび点灯信号発生部１４０ｂの代わりに、各種の制御信号に基づき、発光チップ群＃ａ（発光チップＣａ１〜Ｃａ２０）に対して消灯信号φＲａを送信する消灯信号発生部１８０ａと、発光チップ群＃ｂ（発光チップＣｂ１〜Ｃｂ２０）に対して消灯信号φＲｂを送信する消灯信号発生部１８０ｂとを備えている。他の構成は、第１の実施の形態と同様である。
なお、消灯信号発生部１８０ａと消灯信号発生部１８０ｂとを分けて示したが、これらをまとめて消灯信号発生部１８０と、消灯信号φＲａと消灯信号φＲｂとを区別しない場合には消灯信号φＲ表記する。
【０１８３】
信号発生回路１１０と発光チップＣ（発光チップＣａ１〜Ｃａ２０および発光チップＣｂ１〜Ｃｂ２０）とを相互に接続する配線（ライン）について説明する。
回路基板６２には、信号発生回路１１０の消灯信号発生部１８０ａから、発光チップ群＃ａの発光チップＣａ１〜Ｃａ２０のφＲ端子に、消灯信号φＲａを送信する消灯信号ライン２０４ｃが設けられている。消灯信号発生部１８０ａは、発光チップ群＃ａの発光チップＣａ１〜Ｃａ２０に共通（並列）に消灯信号φＲａを送信する。
また、信号発生回路１１０の消灯信号発生部１８０ｂから、発光チップ群＃ｂの発光チップＣｂ１〜Ｃｂ２０のφＲ端子に、消灯信号φＲｂを送信する消灯信号ライン２０４ｄが設けられている。消灯信号発生部１８０ｂは、発光チップ群＃ｂの発光チップＣｂ１〜Ｃｂ２０に共通（並列）に消灯信号φＲｂを送信する。
他の構成は、第１の実施の形態と同様である。
【０１８４】
図１２は、第２の実施の形態における発光装置６５の発光チップＣをマトリクスの各要素として配置して示した図である。第１の実施の形態における発光装置６５（図５参照）における点灯信号発生部１４０ａおよび点灯信号発生部１４０ｂの代わりに、消灯信号発生部１８０ａおよび消灯信号発生部１８０ｂを設けるとともに、点灯信号ライン２０４ａ、２０４ｂを消灯信号ライン２０４ｃ、２０４ｄに置き換えている。
第１転送信号φ１ａ、第２転送信号φ２ａ、消灯信号φＲａ、許可信号φＥａは、発光チップ群＃ａに対して共通に送信される。そして、第１転送信号φ１ｂ、第２転送信号φ２ｂ、消灯信号φＲｂ、許可信号φＥｂは、発光チップ群＃ｂに対して共通に送信されることが容易に理解できる。
これに対し、設定信号φＷ１〜φＷ２０は、発光チップ群＃ａに属する一つの発光チップＣと発光チップ群＃ｂに属する一つの発光チップＣとの構成する発光チップ組＃１〜＃２０のそれぞれに対して共通に送信されることが容易に理解できる。
【０１８５】
（発光チップＣ）
図１３は、第２の実施の形態における自己走査型発光素子アレイ（ＳＬＥＤ）である発光チップＣの回路構成を説明するための等価回路図である。ここでは、発光チップＣａ１を例に、発光チップＣを説明する。
第２の実施の形態における点灯制御部１０３は、第１の実施の形態における発光チップＣの回路構成（図６参照）とは、点灯制御部１０３が異なっている。転送部１０１、発光部１０２は第１の実施の形態と同様であるので説明を省略する。
【０１８６】
第２の実施の形態における点灯制御部１０３は、第１の実施の形態における設定サイリスタＳＴ、駆動サイリスタＤＴ、電流制限抵抗ＲＥ、ＲＷ、Ｒｄｔに加え、許可サイリスタＥＴ、消灯サイリスタＲＴ、電流制限抵抗ＲＲ、Ｒｅｔ、Ｒｒｔを備えている。
なお、許可サイリスタＥＴ、消灯サイリスタＲＴは、設定サイリスタＳＴおよび駆動サイリスタＤＴと同様に２つのゲート端子を有している。そして、許可サイリスタＥＴ、消灯サイリスタＲＴは、図６においては破線でかこって示すように、並列に配置されたサイリスタと抵抗とで模式的に表記する。
【０１８７】
次に、発光チップＣａ１（Ｃ）における各素子の電気的な接続について説明する。
転送部１０１、発光部１０２は第１の実施の形態と同様であるので、主に点灯制御部１０３について説明する。
点灯信号線７５は、電流制限抵抗ＲＩを介して、電源電位Ｖｇａ（「Ｌ」（−３Ｖ））が供給される電源線７１に接続されている。
設定サイリスタＳＴのゲート端子Ｇｓｔ１は、消灯サイリスタＲＴのゲート端子Ｇｒｔ２と接続されている。そして、消灯サイリスタＲＴのゲート端子Ｇｒｔ２（ゲート端子Ｇｓｔ１）は、電流制限抵抗Ｒｒｔを介して、電源線７１に接続されている。
駆動サイリスタＤＴのゲート端子Ｇｄｔ１は、許可サイリスタＥＴのゲート端子Ｇｅｔ２と接続されている。そして、許可サイリスタＥＴのゲート端子Ｇｅｔ２（ゲート端子Ｇｄｔ１）は、電流制限抵抗Ｒｅｔを介して、電源線７１に接続されている。
駆動サイリスタＤＴのゲート端子Ｇｄｔ２は、電流制限抵抗Ｒｄｔを介して、電源線７１に接続されている。
設定サイリスタＳＴのゲート端子Ｇｓｔ２は、第１の実施の形態と同様に、点灯信号線７５に接続されている。
駆動サイリスタＤＴのゲート端子Ｇｄｔ２は、設定サイリスタＳＴのカソード端子Ｋｓｔに接続されている。
駆動サイリスタＤＴのカソード端子Ｋｄｔは、電流制限抵抗ＲＷを介して、φＷ端子に接続されている。φＷ端子には、設定信号ライン２０５が接続され、設定信号φＷ１が送信される。
許可サイリスタＥＴのカソード端子Ｋｅｔは、電流制限抵抗ＲＥを介してφＥ端子に接続されている。φＥ端子には、許可信号ライン２０３ａが接続され、許可信号φＥａが送信される。
消灯サイリスタＲＴのカソード端子Ｋｒｔは、電流制限抵抗ＲＲを介してφＲ端子に接続されている。φＲ端子には、消灯信号ライン２０４ｃが接続され、消灯信号φＲａが送信される。
そして、許可サイリスタＥＴのゲート端子Ｇｅｔ１および消灯サイリスタＲＴのゲート端子Ｇｒｔ１は、Ｖｓｕｂ端子に接続されている。
ここで、図１０において示したサイリスタＳと電流制限抵抗Ｒ２との組み合わせを見ると、設定サイリスタＳＴと電流制限抵抗ＲＩとが、駆動サイリスタＤＴと電流制限抵抗Ｒｄｔとが、許可サイリスタＥＴと電流制限抵抗Ｒｅｔとが、消灯サイリスタＲＴと電流制限抵抗Ｒｒｔとが組み合わせになっている。
【０１８８】
図１４は、第２の実施の形態における発光チップＣの平面レイアウト図である。図１４に示す平面レイアウト図では、発光サイリスタＬ１〜Ｌ４、転送サイリスタＴ１〜Ｔ４を中心とした部分を示している。
第２の実施の形態においては、第１の実施の形態における第１０アイランド３１０の電流制限抵抗ＲＥ１を電流制限抵抗ＲＥとしている。また、第１１アイランド３１１に設けられていた電流制限抵抗ＲＥ２を削除している。そして、第１４アイランド３１４〜第１８アイランド３１８を新たに設けている。
第１４アイランド３１４には消灯サイリスタＲＴが、第１５アイランド３１５には電流制限抵抗Ｒｒｔが、第１６アイランド３１６には許可サイリスタＥＴが、第１７アイランド３１７には電流制限抵抗Ｒｅｔが、第１８アイランド３１８には電流制限抵抗ＲＲが設けられている。
【０１８９】
新たに設けられた第１４アイランド３１４の消灯サイリスタＲＴは、ｎ型の第４半導体層８４の領域３２７上に形成されたｎ型オーミック電極３４７をカソード端子Ｋｒｔ、ｎ型の第４半導体層８４を除去して露出させたｐ型の第３半導体層８３上に設けられたｐ型オーミック電極３７０をゲート端子Ｇｒｔ１、ｐ型の第３半導体層８３上に設けられたｐ型オーミック電極３７１をゲート端子Ｇｒｔ２としている。そして、ゲート端子Ｇｒｔ１とゲート端子Ｇｒｔ２とは、ｎ型の第４半導体層８４の領域３２７を挟んで、第１４アイランド３１４の両端部に設けられている。
また、新たに設けられた第１６アイランド３１６の許可サイリスタＥＴは、ｎ型の第４半導体層８４の領域３２８上に形成されたｎ型オーミック電極３４８をカソード端子Ｋｅｔ、ｎ型の第４半導体層８４を除去して露出させたｐ型の第３半導体層８３上に設けられたｐ型オーミック電極３７２をゲート端子Ｇｅｔ１、ｐ型の第３半導体層８３上に設けられたｐ型オーミック電極３７３をゲート端子Ｇｅｔ２としている。そして、ゲート端子Ｇｅｔ１とゲート端子Ｇｅｔ２とは、ｎ型の第４半導体層８４の領域３２８を挟んで、第１６アイランド３１６の両端部に設けられている。
【０１９０】
第１５アイランド３１５に設けられた電流制限抵抗Ｒｒｔ、第１７アイランド３１７に設けられた電流制限抵抗Ｒｅｔ、第１８アイランド３１８に設けられた電流制限抵抗ＲＲは、第７アイランド３０７に設けられた電流制限抵抗ＲＩなどと同様に、それぞれがｐ型の第３半導体層８３上に形成された一組のｐ型オーミック電極（符号なし）間のｐ型の第３半導体層８３を抵抗とするように設けられている。
なお、第２の実施の形態では、基板８０上にｐ型オーミック電極３７４が設けられている。ｐ型オーミック電極３７４は、基板８０の裏面に設けられた裏面電極８５（Ｖｓｕｂ端子）を介して基準電位Ｖｓｕｂを供給する。
【０１９１】
図１４において、各素子間の接続関係を説明する。ここでも、点灯制御部１０３を中心に説明し、転送部１０１、発光部１０２の説明を省略する。
第１４アイランド３１４に設けられた消灯サイリスタＲＴのカソード端子Ｋｒｔであるｎ型オーミック電極３４７は、第１８アイランド３１８に設けられた電流制限抵抗ＲＲを介してφＲ端子に接続されている。
消灯サイリスタＲＴのゲート端子Ｇｒｔ１であるｐ型オーミック電極３７０は、基板８０上に設けられたｐ型オーミック電極３７４に接続されている。消灯サイリスタＲＴのゲート端子Ｇｒｔ２であるｐ型オーミック電極３７１は、設定サイリスタＳＴのゲート端子Ｇｓｔ１であるｐ型オーミック電極３６６に接続されると共に、第１５アイランド３１５に設けられた電流制限抵抗Ｒｒｔを介して、電源線７１に接続されている。
【０１９２】
第１６アイランド３１６に設けられた許可サイリスタＥＴのカソード端子Ｋｅｔであるｎ型オーミック電極３４８は、第１０アイランド３１０に設けられた電流制限抵抗ＲＥを介してφＥ端子に接続されている。
許可サイリスタＥＴのゲート端子Ｇｅｔ１であるｐ型オーミック電極３７２は、基板８０上に設けられたｐ型オーミック電極３７４に接続されている。許可サイリスタＥＴのゲート端子Ｇｅｔ２であるｐ型オーミック電極３７３は、駆動サイリスタＤＴのゲート端子Ｇｄｔ１であるｐ型オーミック電極３６８に接続されると共に、第１７アイランド３１７に設けられた電流制限抵抗Ｒｅｔを介して、電源線７１に接続されている。
【０１９３】
消灯サイリスタＲＴおよび許可サイリスタＥＴの動作は、図１０で示したサイリスタＳと同様である。よって、これらの動作は、発光装置６５の動作とともに説明する。
【０１９４】
例えば、電流制限抵抗ＲＥ、ＲＲ、ＲＷ、Ｒｅｔ、Ｒｒｔ、Ｒｄｔは、それぞれ２ｋΩである。電流制限抵抗ＲＩは５５Ωである。
【０１９５】
（発光装置６５の動作）
ここでも、第１の実施の形態と異なる部分を説明する。
発光チップ群＃ａの発光チップＣａ１〜Ｃａ２０には、前述したように、第１転送信号φ１ａ、第２転送信号φ２ａ、消灯信号φＲａ、許可信号φＥａが共通に送信される。よって、発光チップ群＃ａの発光チップＣａ１〜Ｃａ２０は並列に駆動される。
また、発光チップ群＃ｂの発光チップＣｂ１〜Ｃｂ２０には、前述したように、第１転送信号φ１ｂ、第２転送信号φ２ｂ、消灯信号φＲｂ、許可信号φＥｂが共通に送信される。よって、発光チップ群＃ｂの発光チップＣｂ１〜Ｃｂ２０は並列に駆動される。
【０１９６】
一方、設定信号φＷ１〜φＷ２０は、発光チップ群＃ａの一つの発光チップＣと発光チップ群＃ｂの一つの発光チップＣとが構成する発光チップ組＃１〜＃２０のそれぞれに対して送信される。例えば、発光チップ群＃ａの発光チップＣａ１と発光チップ群＃ｂの発光チップＣｂ１とを発光チップ組＃１として、設定信号φＷ１が共通に送信される。また、２０個の設定信号φＷ１〜φＷ２０は、同じタイミングで並列に送信される。よって、発光チップ組＃１〜＃２０は並列に駆動される。
【０１９７】
発光チップ群＃ａの発光チップＣａ２〜Ｃａ２０は発光チップＣａ１と並行して駆動され、発光チップ群＃ｂの発光チップＣｂ２〜Ｃｂ２０は発光チップＣｂ１と並行して駆動されるので、ここでも、発光チップ組＃１に属する発光チップＣａ１およびＣｂ１の動作を説明すれば足りる。
【０１９８】
図１５は、第２の実施の形態における発光装置６５および発光チップＣの動作を説明するためのタイミングチャートである。
図１５では、第１の実施の形態と同様に、発光チップ組＃１（発光チップＣａ１およびＣｂ１）の動作に加えて、発光チップ組＃２（発光チップＣａ２およびＣｂ２）の動作を説明している。そして、図１５では、それぞれの発光チップＣにおいて、発光サイリスタＬ１〜Ｌ４の４個の発光サイリスタＬを点灯制御する部分を示している。
そして、発光チップ組＃１（発光チップＣａ１およびＣｂ１）では、それぞれの発光サイリスタＬ１〜Ｌ４をすべて点灯させるとした。発光チップ組＃２（発光チップＣａ２およびＣｂ２）では、発光チップＣａ２の発光サイリスタＬ２、Ｌ３、Ｌ４を点灯させるとし、発光チップＣｂ２の発光サイリスタＬ１、Ｌ３、Ｌ４を点灯させるとした。そして、発光チップＣａ２の発光サイリスタＬ１および発光チップＣｂ２の発光サイリスタＬ２は点灯させない（非点灯）とした。
【０１９９】
図１５において、時刻ａから時刻ｘへとアルファベット順に時刻が経過するとする。
以下では、第１の実施の形態における図１０と同様な部分の説明を省略し、異なる部分を説明する。
まず、許可信号φＥａの期間Ｔａ（１）における信号波形について説明する。許可信号φＥａは、時刻ｃで「Ｈ」（０Ｖ）であって、時刻ｄで「Ｈ」（０Ｖ）から「Ｌ」（−３Ｖ）に移行し、時刻ｇで「Ｌ」（−３Ｖ）から「Ｈ」（０Ｖ）に移行する。そして、時刻ｑで「Ｈ」（０Ｖ）を維持している。
許可信号φＥａは、後述するように、「Ｌ」（−３Ｖ）のときに発光チップＣに設定信号φＷにしたがって点灯することを許可し、「Ｈ」（０Ｖ）のときに設定信号φＷによって点灯することを阻止する。
【０２００】
設定信号φＷ１は、時刻ｃで「Ｈ」（０Ｖ）であって、時刻ｅで「Ｈ」（０Ｖ）から「Ｌ」（−３Ｖ）に移行し、時刻ｆで「Ｌ」（−３Ｖ）から「Ｈ」（０Ｖ）に移行する。さらに、時刻ｋで「Ｈ」（０Ｖ）から「Ｌ」（−３Ｖ）に移行し、時刻ｌで「Ｌ」（−３Ｖ）から「Ｈ」（０Ｖ）に移行する。そして、時刻ｑにおいて「Ｈ」（０Ｖ）を維持している。
【０２０１】
一方、消灯信号φＲａおよび消灯信号φＲｂは、第１の実施の形態における点灯信号φＩａおよびφＩｂにおいて「Ｈ」（０Ｖ）と「Ｌ」（−３Ｖ）とを逆転させたものである。よって、詳細な説明を省略する。
【０２０２】
では、図１１および図１３を参照しつつ、図１５に示したタイミングチャートにしたがって、発光装置６５の動作を説明する。なお、第１の実施の形態と同様な部分は説明を省略する。
（１）時刻ａ
＜発光装置６５＞
図１５に示したタイミングチャートの時刻ａにおいて、第１の実施の形態と異なって、信号発生回路１１０の許可信号発生部１３０ａは許可信号φＥａを「Ｈ」（０Ｖ）に、許可信号発生部１３０ｂは許可信号φＥｂを「Ｈ」（０Ｖ）に設定する。すると、許可信号ライン２０３ａ、２０３ｂが「Ｈ」（０Ｖ）になる（図１１参照）。これにより、発光チップＣのφＥ端子が「Ｈ」（０Ｖ）になる（図１３参照）。
また、信号発生回路１１０の消灯信号発生部１８０ａは消灯信号φＲａを「Ｈ」（０Ｖ）に、消灯信号発生部１８０ｂは消灯信号φＲｂを「Ｈ」（０Ｖ）に設定する。すると、消灯信号ライン２０４ｃ、２０４ｄが「Ｈ」（０Ｖ）になる（図１１参照）。これにより、発光チップＣのφＲ端子が「Ｈ」（０Ｖ）になる（図１３参照）。
【０２０３】
次に、図９、図１３、図１４を参照しつつ、図１５に示したタイミングチャートにしたがって、発光チップ組＃１に属する発光チップＣａ１とＣｂ１とを中心に説明する。
＜発光チップＣａ１＞
発光サイリスタＬ、転送サイリスタＴ、設定サイリスタＳＴ、駆動サイリスタＤＴ、許可サイリスタＥＴ、消灯サイリスタＲＴのアノード端子は、Ｖｓｕｂ端子に接続されているので、「Ｈ」（０Ｖ）に設定される。
第１転送信号線７２および第２転送信号線７３は「Ｈ」（０Ｖ）であるので、転送サイリスタＴはオフ状態である。
【０２０４】
許可サイリスタＥＴのゲート端子Ｇｅｔ１および消灯サイリスタＲＴのゲート端子Ｇｒｔ１は、Ｖｓｕｂ端子に接続されているので、「Ｈ」（０Ｖ）に設定される。
また、電流制限抵抗Ｒｅｔの一方の端子は許可サイリスタＥＴのゲート端子Ｇｅｔ２に、電流制限抵抗Ｒｒｔの一方の端子は消灯サイリスタＲＴのゲート端子Ｇｒｔ２、電流制限抵抗Ｒｄｔの一方の端子は駆動サイリスタＤＴのゲート端子Ｇｄｔ２に接続されている。そして、電流制限抵抗Ｒｅｔ、Ｒｒｔ、Ｒｄｔのそれぞれの他方の端子は、「Ｌ」（−３Ｖ）の電源線７１に接続されている。
許可サイリスタＥＴのカソード端子Ｋｅｔは、電流制限抵抗ＲＥを介して、φＥ端子に接続されている。消灯サイリスタＲＴのカソード端子Ｋｒｔは、電流制限抵抗ＲＲを介して、φＲ端子に接続されている。駆動サイリスタＤＴのカソード端子Ｋｄｔは、電流制限抵抗ＲＷを介して、φＷ端子に接続されている。駆動サイリスタＤＴのカソード端子Ｋｄｔは駆動サイリスタＤＴのゲート端子Ｇｄｔ２に接続されている。
【０２０５】
許可サイリスタＥＴは、ゲート端子Ｇｅｔ１（Ｖ１）が「Ｈ」（０Ｖ）、電流制限抵抗Ｒｅｔの他方の端子（Ｖ２）が「Ｌ」（−３Ｖ）、カソード端子Ｋｅｔ（ＩＮ）が「Ｈ」（０Ｖ）であるので、図９（ｃ）における場合３であって、許可サイリスタＥＴはオフ状態で、ゲート端子Ｇｅｔ２（ＯＵＴ）（駆動サイリスタＤＴのゲート端子Ｇｄｔ１）は−２．７Ｖとなる。
すると、駆動サイリスタＤＴのゲート端子Ｇｄｔ１（Ｖ１）は−２．７Ｖ、電流制限抵抗Ｒｄｔの他方の端子（Ｖ２）は「Ｌ」（−３Ｖ）、カソード端子Ｋｄｔ（ＩＮ）は「Ｈ」（０Ｖ）であるので、図９（ｃ）における場合７であって、駆動サイリスタＤＴはオフ状態で、ゲート端子Ｇｄｔ２（ＯＵＴ）（設定サイリスタＳＴのカソード端子Ｋｓｔ）は「Ｌ」（−３Ｖ）となる。
また、消灯サイリスタＲＴのゲート端子Ｇｒｔ１（Ｖ１）は「Ｈ」（０Ｖ）、電流制限抵抗Ｒｒｔの他方の端子（Ｖ２）は「Ｌ」（−３Ｖ）、カソード端子Ｋｒｔ（ＩＮ）は「Ｌ」（−３Ｖ）であるので、図９（ｃ）における場合４であって、消灯サイリスタＲＴはオン状態で、ゲート端子Ｇｒｔ２（ＯＵＴ）（設定サイリスタＳＴのゲート端子Ｇｓｔ１）は「Ｈ」（０Ｖ）となる。
そして、設定サイリスタＳＴのゲート端子Ｇｓｔ１（Ｖ１）は「Ｈ」（０Ｖ）、電流制限抵抗ＲＩの他方の端子（Ｖ２）は「Ｌ」（−３Ｖ）、カソード端子Ｋｓｔ（ＩＮ）は「Ｌ」（−３Ｖ）であるので、図９（ｃ）における場合４であって、設定サイリスタＳＴはオン状態で、ゲート端子Ｇｓｔ２（ＯＵＴ）（点灯信号線７５）は「Ｈ」（０Ｖ）となる。
点灯信号線７５が「Ｈ」（０Ｖ）であるので、発光サイリスタＬはオフ状態である。
【０２０６】
時刻ａの直後においては、消灯サイリスタＲＴ、設定サイリスタＳＴがオン状態にある。
【０２０７】
＜発光チップＣｂ１＞
発光チップＣｂ１においても、初期状態は発光チップＣａ１と同じであるので、説明を省略する。
【０２０８】
以下では、第１の実施の形態と異なる部分を説明する。
（３）時刻ｃ
時刻ｃにおいて、発光チップ群＃ａに送信される消灯信号φＲａが、「Ｌ」（−３Ｖ）から「Ｈ」（０Ｖ）に移行する。これにより、発光チップ群＃ａの期間Ｔａ（１）が開始する。
＜発光チップＣａ１＞
φＲ端子が「Ｌ」（−３Ｖ）から「Ｈ」（０Ｖ）になる。消灯サイリスタＲＴのカソード端子Ｋｒｔが電流制限抵抗ＲＲを介して「Ｌ」（−３Ｖ）から「Ｈ」（０Ｖ）になる。
許可サイリスタＥＴは、ゲート端子Ｇｅｔ１（Ｖ１）が「Ｈ」（０Ｖ）、電流制限抵抗Ｒｅｔの他方の端子（Ｖ２）が「Ｌ」（−３Ｖ）、カソード端子Ｋｅｔ（ＩＮ）が「Ｈ」（０Ｖ）であるので、図９（ｃ）における場合３であって、許可サイリスタＥＴはオフ状態で、ゲート端子Ｇｅｔ２（ＯＵＴ）（駆動サイリスタＤＴのゲート端子Ｇｄｔ１）は−２．７Ｖとなる。
すると、駆動サイリスタＤＴのゲート端子Ｇｄｔ１（Ｖ１）は−２．７Ｖ、電流制限抵抗Ｒｄｔの他方の端子（Ｖ２）は「Ｌ」（−３Ｖ）、カソード端子Ｋｄｔ（ＩＮ）は「Ｈ」（０Ｖ）であるので、図９（ｃ）における場合７であって、駆動サイリスタＤＴはオフ状態で、ゲート端子Ｇｄｔ２（ＯＵＴ）（設定サイリスタＳＴのカソード端子Ｋｓｔ）は「Ｌ」（−３Ｖ）となる。
また、消灯サイリスタＲＴのゲート端子Ｇｒｔ１（Ｖ１）は「Ｈ」（０Ｖ）、電流制限抵抗Ｒｒｔの他方の端子（Ｖ２）は「Ｌ」（−３Ｖ）、カソード端子Ｋｒｔ（ＩＮ）は「Ｌ」（−３Ｖ）から「Ｈ」（０Ｖ）になるので、図９（ｃ）における場合４から場合３になる。消灯サイリスタＲＴはターンオフして、ゲート端子Ｇｒｔ２（ＯＵＴ）（設定サイリスタＳＴのゲート端子Ｇｓｔ１）は「Ｈ」（０Ｖ）から−２．７Ｖになる。
そして、設定サイリスタＳＴのゲート端子Ｇｓｔ１（Ｖ１）は「Ｈ」（０Ｖ）から−２．７Ｖになって、電流制限抵抗ＲＩの他方の端子（Ｖ２）は「Ｌ」（−３Ｖ）、カソード端子Ｋｓｔ（ＩＮ）は「Ｌ」（−３Ｖ）であるので、設定サイリスタＳＴはオン状態を維持する。ゲート端子Ｇｓｔ２（ＯＵＴ）（点灯信号線７５）は「Ｈ」（０Ｖ）を維持する。
点灯信号線７５が「Ｈ」（０Ｖ）であるので、発光サイリスタＬはオフ状態である。
時刻ｃの直後においては、設定サイリスタＳＴがオン状態にある。
【０２０９】
＜発光チップＣｂ１＞
発光チップＣｂ１が属する発光チップ群＃ｂに送信される信号に変化がないので、発光チップＣｂ１は初期状態が維持されている。
【０２１０】
（４）時刻ｄ
時刻ｄにおいて、発光チップ群＃ａに送信される許可信号φＥａが、「Ｈ」（０Ｖ）から「Ｌ」（−３Ｖ）に移行する。
＜発光チップＣａ１＞
φＥ端子が「Ｈ」（０Ｖ）から「Ｌ」（−３Ｖ）になって、許可サイリスタＥＴのカソード端子Ｋｅｔが電流制限抵抗ＲＥを介して「Ｈ」（０Ｖ）から「Ｌ」（−３Ｖ）になる。
許可サイリスタＥＴは、ゲート端子Ｇｅｔ１（Ｖ１）が「Ｈ」（０Ｖ）、電流制限抵抗Ｒｅｔの他方の端子（Ｖ２）が「Ｌ」（−３Ｖ）、カソード端子Ｋｅｔ（ＩＮ）が「Ｈ」（０Ｖ）から「Ｌ」（−３Ｖ）になるので、図９（ｃ）における場合３から場合４になって、許可サイリスタＥＴがターンオンする。ゲート端子Ｇｅｔ２（ＯＵＴ）（駆動サイリスタＤＴのゲート端子Ｇｄｔ）は「Ｈ」（０Ｖ）になる。
すると、駆動サイリスタＤＴは、ゲート端子Ｇｄｔ１（Ｖ１）が−２．７Ｖから「Ｈ」（０Ｖ）になって、電流制限抵抗Ｒｄｔの他方の端子（Ｖ２）が「Ｌ」（−３Ｖ）、カソード端子Ｋｄｔ（ＩＮ）が「Ｈ」（０Ｖ）であるので、図９（ｃ）における場合７から場合３になって、駆動サイリスタＤＴはオフ状態であるが、しきい電圧が−４．５Ｖから−２Ｖになる。ゲート端子Ｇｄｔ２（ＯＵＴ）（設定サイリスタＳＴのカソード端子Ｋｓｔ）は−２．７Ｖになる。
また、消灯サイリスタＲＴは、ゲート端子Ｇｒｔ１（Ｖ１）が「Ｈ」（０Ｖ）、電流制限抵抗Ｒｒｔの他方の端子（Ｖ２）が「Ｌ」（−３Ｖ）、カソード端子Ｋｒｔ（ＩＮ）が「Ｈ」（０Ｖ）であるので、図９（ｃ）における場合３を維持し、消灯サイリスタＲＴはオフ状態を維持する。ゲート端子Ｇｒｔ２（ＯＵＴ）（設定サイリスタＳＴのゲート端子Ｇｓｔ１）は−２．７Ｖを維持する。
そして、設定サイリスタＳＴのゲート端子Ｇｓｔ１（Ｖ１）は−２．７Ｖ、電流制限抵抗ＲＩの他方の端子（Ｖ２）は「Ｌ」（−３Ｖ）、カソード端子Ｋｓｔ（ＩＮ）は「Ｌ」（−３Ｖ）から−２．７Ｖになるが、設定サイリスタＳＴはオン状態を維持する。ゲート端子Ｇｓｔ２（ＯＵＴ）（点灯信号線７５）は「Ｈ」（０Ｖ）を維持する。
点灯信号線７５が「Ｈ」（０Ｖ）であるので、発光サイリスタＬはオフ状態である。
ここでは、消灯サイリスタＲＴはオフ状態を維持する。
時刻ｄの直後においては、許可サイリスタＥＴ、設定サイリスタＳＴがオン状態にある。
【０２１１】
＜発光チップＣｂ１＞
発光チップＣｂ１が属する発光チップ群＃ｂに送信される信号に変化がないので、発光チップＣｂ１は初期状態が維持されている。
【０２１２】
（５）時刻ｅ
時刻ｅにおいて、発光チップ群＃ａの発光チップＣａ１と発光チップ群＃ｂの発光チップＣｂ１とが属する発光チップ組＃１に送信される設定信号φＷ１が、「Ｈ」（０Ｖ）から「Ｌ」（−３Ｖ）に移行する。
＜発光チップＣａ１＞
φＷ端子が「Ｈ」（０Ｖ）から「Ｌ」（−３Ｖ）になって、駆動サイリスタＤＴのカソード端子Ｋｄｔが電流制限抵抗ＲＷを介して「Ｈ」（０Ｖ）から「Ｌ」（−３Ｖ）になる。
許可サイリスタＥＴは、ゲート端子Ｇｅｔ１（Ｖ１）が「Ｈ」（０Ｖ）、電流制限抵抗Ｒｅｔの他方の端子（Ｖ２）が「Ｌ」（−３Ｖ）、カソード端子Ｋｅｔ（ＩＮ）が「Ｌ」（−３Ｖ）であるので、図９（ｃ）における場合４が維持され、許可サイリスタＥＴはオン状態である。ゲート端子Ｇｅｔ２（ＯＵＴ）（駆動サイリスタＤＴのゲート端子Ｇｄｔ１）は「Ｈ」（０Ｖ）を維持する。
すると、駆動サイリスタＤＴは、ゲート端子Ｇｄｔ１（Ｖ１）が「Ｈ」（０Ｖ）、電流制限抵抗Ｒｄｔの他方の端子（Ｖ２）が「Ｌ」（−３Ｖ）、カソード端子Ｋｄｔ（ＩＮ）が「Ｈ」（０Ｖ）から「Ｌ」（−３Ｖ）になるので、図９（ｃ）における場合３から場合４になって、駆動サイリスタＤＴがターンオンする。ゲート端子Ｇｄｔ２（ＯＵＴ）（設定サイリスタＳＴのカソード端子Ｋｓｔ）は−２．７Ｖから「Ｈ」（０Ｖ）になる。
また、消灯サイリスタＲＴは、ゲート端子Ｇｒｔ１（Ｖ１）が「Ｈ」（０Ｖ）、電流制限抵抗Ｒｒｔの他方の端子（Ｖ２）が「Ｌ」（−３Ｖ）、カソード端子Ｋｒｔ（ＩＮ）が「Ｈ」（０Ｖ）であるので、図９（ｃ）における場合３を維持する。消灯サイリスタＲＴはオフ状態を維持する。ゲート端子Ｇｒｔ２（ＯＵＴ）（設定サイリスタＳＴのゲート端子Ｇｓｔ１）は−２．７Ｖを維持する。
設定サイリスタＳＴのゲート端子Ｇｓｔ１（Ｖ１）は−２．７Ｖ、電流制限抵抗ＲＩの他方の端子（Ｖ２）は「Ｌ」（−３Ｖ）、カソード端子Ｋｓｔ（ＩＮ）は−２．７Ｖから「Ｈ」（０Ｖ）になるので、図９（ｃ）における場合７になって、設定サイリスタＳＴがターンオフする。ゲート端子Ｇｓｔ２（ＯＵＴ）（点灯信号線７５）は「Ｌ」（−３Ｖ）になる。
【０２１３】
これにより、時刻ｂにおいて、しきい電圧が−１．５Ｖとなっていた発光サイリスタＬがターンオンして、点灯（発光）する。
時刻ｅの直後においては、転送サイリスタＴ１、許可サイリスタＥＴ、駆動サイリスタＤＴがオン状態にあるとともに、発光サイリスタＬ１がオン状態で点灯（発光）している。
【０２１４】
＜発光チップＣｂ１＞
φＷ端子が「Ｈ」（０Ｖ）から「Ｌ」（−３Ｖ）になって、駆動サイリスタＤＴのカソード端子Ｋｄｔが電流制限抵抗ＲＷを介して「Ｈ」（０Ｖ）から「Ｌ」（−３Ｖ）になる。
許可サイリスタＥＴは、ゲート端子Ｇｅｔ１（Ｖ１）が「Ｈ」（０Ｖ）、電流制限抵抗Ｒｅｔの他方の端子（Ｖ２）が「Ｌ」（−３Ｖ）、カソード端子Ｋｅｔ（ＩＮ）が「Ｈ」（０Ｖ）であるので、図９（ｃ）における場合３が維持され、許可サイリスタＥＴはオフ状態である。ゲート端子Ｇｅｔ２（ＯＵＴ）（駆動サイリスタＤＴのゲート端子Ｇｄｔ１）は−２．７Ｖを維持する。
駆動サイリスタＤＴは、ゲート端子Ｇｄｔ１（Ｖ１）が−２．７Ｖ、電流制限抵抗Ｒｄｔの他方の端子（Ｖ２）が「Ｌ」（−３Ｖ）、カソード端子Ｋｄｔ（ＩＮ）が「Ｈ」（０Ｖ）から「Ｌ」（−３Ｖ）になるので、図９（ｃ）における場合７から場合８になって、駆動サイリスタＤＴはオフ状態を維持する。ゲート端子Ｇｄｔ２（ＯＵＴ）（設定サイリスタＳＴのカソード端子Ｋｓｔ）は「Ｌ」（−３Ｖ）を維持する。
消灯サイリスタＲＴは、ゲート端子Ｇｒｔ１（Ｖ１）が「Ｈ」（０Ｖ）、電流制限抵抗Ｒｒｔの他方の端子（Ｖ２）が「Ｌ」（−３Ｖ）、カソード端子Ｋｒｔ（ＩＮ）が「Ｌ」（−３Ｖ）であるので、図９（ｃ）における場合４であって、消灯サイリスタＲＴはオン状態で、ゲート端子Ｇｒｔ２（ＯＵＴ）（設定サイリスタＳＴのゲート端子Ｇｓｔ１）は「Ｈ」（０Ｖ）である。
設定サイリスタＳＴは、ゲート端子Ｇｓｔ１（Ｖ１）が「Ｈ」（０Ｖ）、電流制限抵抗ＲＩの他方の端子（Ｖ２）が「Ｌ」（−３Ｖ）、カソード端子Ｋｓｔ（ＩＮ）が「Ｌ」（−３Ｖ）であるので、図９（ｃ）における場合４であって、設定サイリスタＳＴはオン状態を維持する。ゲート端子Ｇｓｔ２（ＯＵＴ）（点灯信号線７５）は「Ｈ」（０Ｖ）を維持する。
点灯信号線７５が「Ｈ」（０Ｖ）であるので、発光サイリスタＬはターンオンしない。
時刻ｅの直後においては、消灯サイリスタＲＴ、設定サイリスタＳＴがオン状態にある。
【０２１５】
（６）時刻ｆ
時刻ｆにおいて、発光チップ群＃ａの発光チップＣａ１と発光チップ群＃ｂの発光チップＣｂ１とが属する発光チップ組＃１に送信される設定信号φＷ１が、「Ｌ」（−３Ｖ）から「Ｈ」（０Ｖ）に移行する。
＜発光チップＣａ１＞
φＷ端子が「Ｌ」（−３Ｖ）から「Ｈ」（０Ｖ）になって、駆動サイリスタＤＴのカソード端子Ｋｄｔが電流制限抵抗ＲＷを介して「Ｌ」（−３Ｖ）から「Ｈ」（０Ｖ）になる。
許可サイリスタＥＴは、ゲート端子Ｇｅｔ１（Ｖ１）が「Ｈ」（０Ｖ）、電流制限抵抗Ｒｅｔの他方の端子（Ｖ２）が「Ｌ」（−３Ｖ）、カソード端子Ｋｅｔ（ＩＮ）が「Ｌ」（−３Ｖ）であるので、図９（ｃ）における場合４が維持され、許可サイリスタＥＴはオン状態を維持する。ゲート端子Ｇｅｔ２（ＯＵＴ）（駆動サイリスタＤＴのゲート端子Ｇｄｔ１）は「Ｈ」（０Ｖ）を維持する。
駆動サイリスタＤＴは、ゲート端子Ｇｄｔ１（Ｖ１）が「Ｈ」（０Ｖ）、電流制限抵抗Ｒｄｔの他方の端子（Ｖ２）が「Ｌ」（−３Ｖ）、カソード端子Ｋｄｔ（ＩＮ）が「Ｌ」（−３Ｖ）から「Ｈ」（０Ｖ）になるので、図９（ｃ）における場合４から場合３になって、駆動サイリスタＤＴがターンオフする。ゲート端子Ｇｄｔ２（ＯＵＴ）（設定サイリスタＳＴのカソード端子Ｋｓｔ）は「Ｈ」（０Ｖ）から−２．７Ｖとなる。
消灯サイリスタＲＴは、ゲート端子Ｇｒｔ１（Ｖ１）が「Ｈ」（０Ｖ）、電流制限抵抗Ｒｒｔの他方の端子（Ｖ２）が「Ｌ」（−３Ｖ）、カソード端子Ｋｒｔ（ＩＮ）が「Ｈ」（０Ｖ）であるので、図９（ｃ）における場合３が維持され、消灯サイリスタＲＴはオフ状態である。ゲート端子Ｇｒｔ２（ＯＵＴ）（設定サイリスタＳＴのゲート端子Ｇｓｔ１）は−２．７Ｖを維持する。
設定サイリスタＳＴは、ゲート端子Ｇｓｔ１（Ｖ１）が−２．７Ｖ、電流制限抵抗ＲＩの他方の端子（Ｖ２）が「Ｌ」（−３Ｖ）、カソード端子Ｋｓｔ（ＩＮ）が「Ｈ」（０Ｖ）から−２．７Ｖになるので、図９（ｃ）における場合７から場合８になる。設定サイリスタＳＴはオフ状態を維持する。ゲート端子Ｇｓｔ２（ＯＵＴ）（点灯信号線７５）は「Ｌ」（−３Ｖ）を維持する。
よって、発光サイリスタＬ１はオン状態を維持する。
【０２１６】
時刻ｆの直後においては、転送サイリスタＴ１、許可サイリスタＥＴがオン状態にあるとともに、発光サイリスタＬ１がオン状態で点灯（発光）している。
【０２１７】
＜発光チップＣｂ１＞
φＷ端子が「Ｌ」（−３Ｖ）から「Ｈ」（０Ｖ）になって、駆動サイリスタＤＴのカソード端子Ｋｄｔが電流制限抵抗ＲＷを介して「Ｌ」（−３Ｖ）から「Ｈ」（０Ｖ）になる。
許可サイリスタＥＴは、ゲート端子Ｇｅｔ１（Ｖ１）が「Ｈ」（０Ｖ）、電流制限抵抗Ｒｅｔの他方の端子（Ｖ２）が「Ｌ」（−３Ｖ）、カソード端子Ｋｅｔ（ＩＮ）が「Ｈ」（０Ｖ）であるので、図９（ｃ）における場合３が維持され、オフ状態である。ゲート端子Ｇｅｔ２（ＯＵＴ）（駆動サイリスタＤＴのゲート端子Ｇｄｔ１）は−２．７Ｖを維持する。
駆動サイリスタＤＴは、ゲート端子Ｇｄｔ１（Ｖ１）が−２．７Ｖ、電流制限抵抗Ｒｄｔの他方の端子（Ｖ２）が「Ｌ」（−３Ｖ）、カソード端子Ｋｄｔ（ＩＮ）が「Ｌ」（−３Ｖ）から「Ｈ」（０Ｖ）になって、図９（ｃ）における場合８から場合７になる。駆動サイリスタＤＴはオフ状態を維持する。ゲート端子Ｇｄｔ２（ＯＵＴ）（設定サイリスタＳＴのカソード端子Ｋｓｔ）は「Ｌ」（−３Ｖ）を維持する。
消灯サイリスタＲＴは、ゲート端子Ｇｒｔ１（Ｖ１）が「Ｈ」（０Ｖ）、電流制限抵抗Ｒｒｔの他方の端子（Ｖ２）が「Ｌ」（−３Ｖ）、カソード端子Ｋｒｔ（ＩＮ）が「Ｌ」（−３Ｖ）であるので、図９（ｃ）における場合４が維持され、オン状態を維持する。ゲート端子Ｇｒｔ２（ＯＵＴ）（設定サイリスタＳＴのゲート端子Ｇｓｔ１）は「Ｈ」（０Ｖ）である。
設定サイリスタＳＴは、ゲート端子Ｇｓｔ１（Ｖ１）が「Ｈ」（０Ｖ）、電流制限抵抗ＲＩの他方の端子（Ｖ２）が「Ｌ」（−３Ｖ）、カソード端子Ｋｓｔ（ＩＮ）が「Ｌ」（−３Ｖ）であるので、図９（ｃ）における場合４が維持され、オン状態を維持する。
【０２１８】
時刻ｆの直後においては、消灯サイリスタＲＴ、設定サイリスタＳＴがオン状態にある。
【０２１９】
（７）時刻ｇ
時刻ｇにおいて、発光チップ群＃ａに送信される許可信号φＥａが、「Ｌ」（−３Ｖ）から「Ｈ」（０Ｖ）に移行する。
＜発光チップＣａ１＞
φＥ端子が「Ｌ」（−３Ｖ）から「Ｈ」（０Ｖ）になって、許可サイリスタＥＴのカソード端子Ｋｅｔが電流制限抵抗ＲＥを介して「Ｌ」（−３Ｖ）から「Ｈ」（０Ｖ）になる。
許可サイリスタＥＴは、ゲート端子Ｇｅｔ１（Ｖ１）が「Ｈ」（０Ｖ）、電流制限抵抗Ｒｅｔの他方の端子（Ｖ２）が「Ｌ」（−３Ｖ）、カソード端子Ｋｅｔ（ＩＮ）が「Ｌ」（−３Ｖ）から「Ｈ」（０Ｖ）になって、図９（ｃ）における場合４から場合３になる。許可サイリスタＥＴはターンオフする。ゲート端子Ｇｅｔ２（ＯＵＴ）（駆動サイリスタＤＴのゲート端子Ｇｄｔ１）は「Ｈ」（０Ｖ）から−２．７Ｖになる。
駆動サイリスタＤＴは、ゲート端子Ｇｄｔ１（Ｖ１）が「Ｈ」（０Ｖ）から−２．７Ｖになり、電流制限抵抗Ｒｄｔの他方の端子（Ｖ２）が「Ｌ」（−３Ｖ）、カソード端子Ｋｄｔ（ＩＮ）が「Ｈ」（０Ｖ）であるので、図９（ｃ）における場合３から場合７になる。駆動サイリスタＤＴはオフ状態でしきい電圧が−２Ｖから−４．５Ｖになる。ゲート端子Ｇｄｔ２（ＯＵＴ）（設定サイリスタＳＴのカソード端子Ｋｓｔ）は−２．７Ｖから「Ｌ」（−３Ｖ）になる。
消灯サイリスタＲＴは、ゲート端子Ｇｒｔ１（Ｖ１）が「Ｈ」（０Ｖ）、電流制限抵抗Ｒｒｔの他方の端子（Ｖ２）が「Ｌ」（−３Ｖ）、カソード端子Ｋｒｔ（ＩＮ）が「Ｈ」（０Ｖ）であるので、図９（ｃ）における場合３が維持され、オフ状態を維持する。ゲート端子Ｇｒｔ２（ＯＵＴ）（設定サイリスタＳＴのゲート端子Ｇｓｔ１）は−２．７Ｖが維持されれる。
設定サイリスタＳＴは、ゲート端子Ｇｓｔ１（Ｖ１）が−２．７Ｖ、電流制限抵抗ＲＩの他方の端子（Ｖ２）が「Ｌ」（−３Ｖ）、カソード端子Ｋｓｔ（ＩＮ）が−２．７Ｖから「Ｌ」（−３Ｖ）になるが、図９（ｃ）における場合８が維持され、オフ状態を維持する。ゲート端子Ｇｓｔ２（ＯＵＴ）（点灯信号線７５）は「Ｌ」（−３Ｖ）を維持する。
【０２２０】
時刻ｇの直後においては、転送サイリスタＴ１、許可サイリスタＥＴがオン状態にあるとともに、発光サイリスタＬ１がオン状態で点灯（発光）している。
【０２２１】
＜発光チップＣｂ１＞
発光チップＣｂ１が属する発光チップ群＃ｂに送信される信号に変化がないので、発光チップＣｂ１は時刻ｆの状態が維持されている。
【０２２２】
（９）時刻ｉ
時刻ｉにおいて、発光チップ群＃ｂに送信される消灯信号φＲｂが、「Ｌ」（−３Ｖ）から「Ｈ」（０Ｖ）に移行する。これにより、発光チップ群＃ｂの期間Ｔｂ（１）が開始する。
＜発光チップＣａ１＞
発光チップＣａ１が属する発光チップ群＃ａに送信される信号に変化がないので、時刻ｇの直後の状態が維持される。
【０２２３】
＜発光チップＣｂ１＞
時刻ｃの発光チップＣａ１と同様に、設定サイリスタＳＴはオン状態を維持する。よって、点灯信号線７５は「Ｈ」（０Ｖ）に維持される。
時刻ｉの直後においては、転送サイリスタＴ１、設定サイリスタＳＴがオン状態にある。
【０２２４】
（１１）時刻ｋ
時刻ｋにおいて、発光チップ群＃ａの発光チップＣａ１と発光チップ群＃ｂの発光チップＣｂ１とが属する発光チップ組＃１に送信される設定信号φＷ１が、「Ｈ」（０Ｖ）から「Ｌ」（−３Ｖ）に移行する。
＜発光チップＣａ１＞
φＷ端子が「Ｈ」（０Ｖ）から「Ｌ」（−３Ｖ）になって、駆動サイリスタＤＴのカソード端子Ｋｄｔが電流制限抵抗ＲＷを介して「Ｈ」（０Ｖ）から「Ｌ」（−３Ｖ）になる。
許可サイリスタＥＴは、ゲート端子Ｇｅｔ１（Ｖ１）が「Ｈ」（０Ｖ）、電流制限抵抗Ｒｅｔの他方の端子（Ｖ２）が「Ｌ」（−３Ｖ）、カソード端子Ｋｅｔ（ＩＮ）が「Ｈ」（０Ｖ）であるので、図９（ｃ）における場合３を維持し、許可サイリスタＥＴはオフ状態を維持する。ゲート端子Ｇｅｔ２（ＯＵＴ）（駆動サイリスタＤＴのゲート端子Ｇｄｔ１）は−２．７Ｖを維持する。
駆動サイリスタＤＴは、ゲート端子Ｇｄｔ１（Ｖ１）が−２．７Ｖ、電流制限抵抗Ｒｄｔの他方の端子（Ｖ２）が「Ｌ」（−３Ｖ）、カソード端子Ｋｄｔ（ＩＮ）が「Ｈ」（０Ｖ）から「Ｌ」（−３Ｖ）になるので、図９（ｃ）における場合７から場合８になる。駆動サイリスタＤＴは、オフ状態でしきい電圧が−４．５Ｖである。ゲート端子Ｇｄｔ２（ＯＵＴ）（設定サイリスタＳＴのカソード端子Ｋｓｔ）は「Ｌ」（−３Ｖ）を維持する。
消灯サイリスタＲＴは、ゲート端子Ｇｒｔ１（Ｖ１）が「Ｈ」（０Ｖ）、電流制限抵抗Ｒｒｔの他方の端子（Ｖ２）が「Ｌ」（−３Ｖ）、カソード端子Ｋｒｔ（ＩＮ）が「Ｈ」（０Ｖ）であるので、図９（ｃ）における場合３を維持し、オフ状態を維持する。ゲート端子Ｇｒｔ２（ＯＵＴ）（設定サイリスタＳＴのゲート端子Ｇｓｔ１）は−２．７Ｖを維持する。
設定サイリスタＳＴは、ゲート端子Ｇｓｔ１（Ｖ１）が−２．７Ｖ、電流制限抵抗ＲＩの他方の端子（Ｖ２）が「Ｌ」（−３Ｖ）、カソード端子Ｋｓｔ（ＩＮ）が「Ｌ」（−３Ｖ）であるので、図９（ｃ）における場合８を維持し、設定サイリスタＳＴはオフ状態を維持する。ゲート端子Ｇｓｔ２（ＯＵＴ）（点灯信号線７５）は「Ｌ」（−３Ｖ）を維持する。
よって、発光サイリスタＬ１はオン状態を維持する。
【０２２５】
時刻ｋの直後においては、転送サイリスタＴ１、許可サイリスタＥＴがオン状態にあるとともに、発光サイリスタＬ１がオン状態で点灯（発光）している。
【０２２６】
＜発光チップＣｂ１＞
φＷ端子が「Ｈ」（０Ｖ）から「Ｌ」（−３Ｖ）になって、駆動サイリスタＤＴのカソード端子Ｋｄｔが電流制限抵抗ＲＷを介して「Ｈ」（０Ｖ）から「Ｌ」（−３Ｖ）になる。
時刻ｅにおける発光チップＣａ１と同様に、ゲート端子Ｇｓｔ２（ＯＵＴ）（点灯信号線７５）は「Ｌ」（−３Ｖ）になって、時刻ｈにおいてしきい電圧が−１．５Ｖとなっていた発光サイリスタＬがターンオンして、点灯（発光）する。
時刻ｋの直後においては、転送サイリスタＴ１、許可サイリスタＥＴ、駆動サイリスタＤＴがオン状態にあるとともに、発光サイリスタＬ１がオン状態で点灯（発光）している。
【０２２７】
（１２）時刻ｌ
時刻ｌにおいて、発光チップ群＃ａの発光チップＣａ１と発光チップ群＃ｂの発光チップＣｂ１とが属する発光チップ組＃１に送信される設定信号φＷ１が、「Ｌ」（−３Ｖ）から「Ｈ」（０Ｖ）に移行する。
＜発光チップＣａ１＞
φＷ端子が「Ｌ」（−３Ｖ）から「Ｈ」（０Ｖ）になって、駆動サイリスタＤＴのカソード端子Ｋｄｔが電流制限抵抗ＲＷを介して「Ｌ」（−３Ｖ）から「Ｈ」（０Ｖ）になる。
許可サイリスタＥＴは、ゲート端子Ｇｅｔ１（Ｖ１）が「Ｈ」（０Ｖ）、電流制限抵抗Ｒｅｔの他方の端子（Ｖ２）が「Ｌ」（−３Ｖ）、カソード端子Ｋｅｔ（ＩＮ）が「Ｈ」（０Ｖ）であるので、図９（ｃ）における場合３を維持して、許可サイリスタＥＴはオフ状態を維持する。ゲート端子Ｇｅｔ２（ＯＵＴ）（駆動サイリスタＤＴのゲート端子Ｇｄｔ１）は−２．７Ｖを維持する。
駆動サイリスタＤＴは、ゲート端子Ｇｄｔ１（Ｖ１）が−２．７Ｖ、電流制限抵抗Ｒｄｔの他方の端子（Ｖ２）が「Ｌ」（−３Ｖ）、カソード端子Ｋｄｔ（ＩＮ）が「Ｌ」（−３Ｖ）から「Ｈ」（０Ｖ）になるので、図９（ｃ）における場合８から場合７になる。駆動サイリスタＤＴは、オフ状態でしきい電圧が−４．５Ｖである。ゲート端子Ｇｄｔ２（ＯＵＴ）（設定サイリスタＳＴのカソード端子Ｋｓｔ）は「Ｌ」（−３Ｖ）を維持する。
消灯サイリスタＲＴは、ゲート端子Ｇｒｔ１（Ｖ１）が「Ｈ」（０Ｖ）、電流制限抵抗Ｒｒｔの他方の端子（Ｖ２）が「Ｌ」（−３Ｖ）、カソード端子Ｋｒｔ（ＩＮ）が「Ｈ」（０Ｖ）であるので、図９（ｃ）における場合３を維持し、消灯サイリスタＲＴはオフ状態を維持する。ゲート端子Ｇｒｔ２（ＯＵＴ）（設定サイリスタＳＴのゲート端子Ｇｓｔ１）は−２．７Ｖを維持する。
設定サイリスタＳＴは、ゲート端子Ｇｓｔ１（Ｖ１）が−２．７Ｖ、電流制限抵抗ＲＩの他方の端子（Ｖ２）が「Ｌ」（−３Ｖ）、カソード端子Ｋｓｔ（ＩＮ）が「Ｌ」（−３Ｖ）であるので、図９（ｃ）における場合８を維持し、設定サイリスタＳＴはオフ状態を維持する。ゲート端子Ｇｓｔ２（ＯＵＴ）（点灯信号線７５）は「Ｌ」（−３Ｖ）を維持する。
よって、発光サイリスタＬ１はオン状態を維持する。
【０２２８】
時刻ｌの直後においては、転送サイリスタＴ１、許可サイリスタＥＴがオン状態にあるとともに、発光サイリスタＬ１がオン状態で点灯（発光）している。
【０２２９】
＜発光チップＣｂ１＞
φＷ端子が「Ｌ」（−３Ｖ）から「Ｈ」（０Ｖ）になって、駆動サイリスタＤＴのカソード端子Ｋｄｔが電流制限抵抗ＲＷを介して「Ｌ」（−３Ｖ）から「Ｈ」（０Ｖ）になる。
時刻ｆにおける発光チップＣａ１と同様に、駆動サイリスタＤＴがターンオフするが、設定サイリスタＳＴはオフ状態を維持する。ゲート端子Ｇｓｔ２（ＯＵＴ）（点灯信号線７５）は「Ｌ」（−３Ｖ）を維持する。
よって、発光サイリスタＬ１はオン状態を維持する。
【０２３０】
時刻ｌの直後においては、転送サイリスタＴ１、許可サイリスタＥＴがオン状態にあるとともに、発光サイリスタＬ１がオン状態で点灯（発光）している。
【０２３１】
（１４）時刻ｎ
時刻ｎにおいて、発光チップ群＃ａに送信される消灯信号φＲａが、「Ｈ」（０Ｖ）から「Ｌ」（−３Ｖ）に移行する。
＜発光チップＣａ１＞
φＲ端子が「Ｈ」（０Ｖ）から「Ｌ」（−３Ｖ）になって、消灯サイリスタＲＴのカソード端子Ｋｒｔが電流制限抵抗ＲＲを介して「Ｈ」（０Ｖ）から「Ｌ」（−３Ｖ）になる。
許可サイリスタＥＴは、ゲート端子Ｇｅｔ１（Ｖ１）が「Ｈ」（０Ｖ）、電流制限抵抗Ｒｅｔの他方の端子（Ｖ２）が「Ｌ」（−３Ｖ）、カソード端子Ｋｅｔ（ＩＮ）が「Ｈ」（０Ｖ）であるので、図９（ｃ）における場合３を維持し、許可サイリスタＥＴはオフ状態を維持する。ゲート端子Ｇｅｔ２（ＯＵＴ）（駆動サイリスタＤＴのゲート端子Ｇｄｔ１）は−２．７Ｖを維持する。
駆動サイリスタＤＴは、ゲート端子Ｇｄｔ１（Ｖ１）が−２．７Ｖ、電流制限抵抗Ｒｄｔの他方の端子（Ｖ２）が「Ｌ」（−３Ｖ）、カソード端子Ｋｄｔ（ＩＮ）が「Ｈ」（０Ｖ）であるので、図９（ｃ）における場合７を維持する。駆動サイリスタＤＴはオフ状態を維持し、しきい電圧が−４．５Ｖである。ゲート端子Ｇｄｔ２（ＯＵＴ）（設定サイリスタＳＴのカソード端子Ｋｓｔ）は「Ｌ」（−３Ｖ）を維持する。
消灯サイリスタＲＴは、ゲート端子Ｇｒｔ１（Ｖ１）が「Ｈ」（０Ｖ）、電流制限抵抗Ｒｒｔの他方の端子（Ｖ２）が「Ｌ」（−３Ｖ）、カソード端子Ｋｒｔ（ＩＮ）が「Ｈ」（０Ｖ）から「Ｌ」（−３Ｖ）になるので、図９（ｃ）における場合３から場合４になって、消灯サイリスタＲＴはターンオンする。ゲート端子Ｇｒｔ２（ＯＵＴ）（設定サイリスタＳＴのゲート端子Ｇｓｔ１）は−２．７Ｖから「Ｈ」（０Ｖ）になる。
設定サイリスタＳＴは、ゲート端子Ｇｓｔ１（Ｖ１）が−２．７Ｖから「Ｈ」（０Ｖ）になって、電流制限抵抗ＲＩの他方の端子（Ｖ２）が「Ｌ」（−３Ｖ）、カソード端子Ｋｓｔ（ＩＮ）が「Ｌ」（−３Ｖ）であるので、図９（ｃ）における場合８から場合４になる。すなわち、しきい電圧が−４．５Ｖから−２Ｖになって、設定サイリスタＳＴがターンオンする。ゲート端子Ｇｓｔ２（ＯＵＴ）（点灯信号線７５）は「Ｌ」（−３Ｖ）から「Ｈ」（０Ｖ）になる。
これにより、発光サイリスタＬ１はアノード端子とカソード端子とがともに「Ｈ」（０Ｖ）になって、ターンオフして消灯する。
【０２３２】
時刻ｎの直後においては、転送サイリスタＴ１、消灯サイリスタＲＴ、設定サイリスタＳＴがオン状態にある。
【０２３３】
他の時刻については、第１の実施の形態で説明したと同様である。よって、説明を省略する。
【０２３４】
第２の実施の形態では、許可信号φＥが「Ｌ」（−３Ｖ）である期間に、設定信号φＷ（設定信号φＷ１〜φＷ２０）が「Ｈ」（０Ｖ）から「Ｌ」（−３Ｖ）に移行すると、駆動サイリスタＤＴがターンオンすることにより、設定サイリスタＳＴをターンオフする。これにより、点灯信号線７５の電位が、「Ｈ」（０Ｖ）から「Ｌ」（−３Ｖ）になって、しきい電圧が−１．５Ｖの発光サイリスタＬがターンオンして点灯（発光）する。
【０２３５】
そして、発光サイリスタＬがオン状態のとき、消灯信号φＲを「Ｈ」（０Ｖ）から「Ｌ」（−３Ｖ）に移行すると、設定サイリスタＳＴがターンオンする。これにより、設定サイリスタＳＴのゲート端子Ｇｓｔ２が「Ｌ」（−３Ｖ）から「Ｈ」（０Ｖ）になることで、点灯信号線７５を「Ｌ」（−３Ｖ）から「Ｈ」（０Ｖ）に引き込む。これにより、オン状態にあった発光サイリスタＬがターンオフする。
すなわち、発光サイリスタＬの点灯期間は、設定信号φＷ（設定信号φＷ１〜φＷ２０）が、「Ｈ」（０Ｖ）から「Ｌ」（−３Ｖ）になるタイミング（時刻）から、消灯信号φＲが「Ｈ」（０Ｖ）から「Ｌ」（−３Ｖ）になる時刻まで（例えば、図１５における時刻ｅから時刻ｎ）となる。
【０２３６】
駆動サイリスタＤＴおよび設定サイリスタＳＴの動作は、第１の実施の形態と同様である。すなわち、設定サイリスタＳＴは、図１５の期間Ｔａ（１）において、時刻ｃから時刻ｅまでの期間および時刻ｎから時刻ｑまでの期間、すなわち発光サイリスタＬ１が点灯していない期間は、オン状態にあって、点灯信号線７５を「Ｈ」（０Ｖ）に引き込んでいる。そして、時刻ｅから時刻ｎの発光サイリスタＬ１が点灯している期間は、設定サイリスタＳＴはオフ状態であって、ゲート端子Ｇｓｔ２（点灯信号線７５）が「Ｌ」（−３Ｖ）になっている。
一方、駆動サイリスタＤＴは、許可信号φＥａが「Ｌ」（−３Ｖ）であって、設定信号φＷ１が「Ｌ」（−３Ｖ）である期間である時刻ｅから時刻ｆまでの期間において、オン状態になる。そして、時刻ｅでターンオンすることで、設定サイリスタＳＴをターンオフさせ、これにより、点灯信号線７５を「Ｌ」（−３Ｖ）に設定している。その他の期間においては、駆動サイリスタＤＴはオフ状態である。
【０２３７】
第１の実施の形態では、点灯信号φＩを「Ｌ」（−３Ｖ）から「Ｈ」（０Ｖ）に移行することにより、設定サイリスタＳＴをターンオンさせた。第２の実施の形態では、点灯信号線７５を、電流制限抵抗ＲＩを介して電源線７１に接続している。よって、消灯信号φＲによって、設定サイリスタＳＴをターンオンさせている。
すなわち、時刻ｎにおいて、消灯信号φＲａが「Ｈ」（０Ｖ）から「Ｌ」（−３Ｖ）に移行すると、消灯サイリスタＲＴがターンオンする。これにより、設定サイリスタＳＴは、ゲート端子Ｇｓｔ１が「Ｈ」（０Ｖ）になって、しきい電圧が−４．５Ｖから−２Ｖになることで、ターンオンする。
一方、許可サイリスタＥＴは、許可信号φＥが「Ｈ」（０Ｖ）から「Ｌ」（−３Ｖ）になることでターンオンして、駆動サイリスタＤＴのしきい電圧を−４．５Ｖを−２Ｖに設定する。このことで、設定信号φＷが「Ｈ」（０Ｖ）から「Ｌ」（−３Ｖ）になると、駆動サイリスタＤＴがターンオンするように設定する。
なお、許可信号φＥが「Ｈ」（０Ｖ）であるときに、設定信号φＷが「Ｈ」（０Ｖ）から「Ｌ」（−３Ｖ）になっても、駆動サイリスタＤＴはしきい電圧が−４．５Ｖであるのでターンオンできない。
【０２３８】
第２の実施の形態では、許可信号φＥ（許可信号φＥａ、許可信号φＥｂ）が「Ｌ」（−３Ｖ）の期間に、設定信号φＷ（φＷ１〜φＷ２０）を「Ｈ」（０Ｖ）から「Ｌ」（−３Ｖ）にし、再び「Ｈ」（０Ｖ）にしている。
しかし、第１の実施の形態と同様に、許可信号φＥ（許可信号φＥａ、許可信号φＥｂ）を「Ｌ」（−３Ｖ）から「Ｈ」（０Ｖ）に移行させた後に、設定信号φＷ（φＷ１〜φＷ２０）を「Ｈ」（０Ｖ）から「Ｌ」（−３Ｖ）に移行させてもよい。
これは、許可サイリスタＥＴがオン状態のとき、設定信号φＷ（φＷ１〜φＷ２０）が、「Ｈ」（０Ｖ）から「Ｌ」（−３Ｖ）になると、駆動サイリスタＤＴがターンオンする。よって、許可サイリスタＥＴがターンオフして、駆動サイリスタＤＴのゲート端子Ｇｄｔ１の電位が変化しても、駆動サイリスタＤＴのオン状態を維持するからである。
【０２３９】
以上説明したように、許可信号φＥ（許可信号φＥａ、許可信号φＥｂ）は、「Ｌ」（−３Ｖ）になることで、発光チップＣが点灯することを許可し、「Ｈ」（０Ｖ）になることで、発光チップＣに設定信号φＷの影響が及ばないように阻止する。このことから、許可信号φＥａは、発光チップ群＃ａの発光チップＣの点灯を許可または阻止するイネーブル信号／ディセーブル信号として、許可信号φＥｂは、発光チップ群＃ｂの発光チップＣの点灯を許可または阻止するイネーブル信号／ディセーブル信号として機能する。
また、消灯信号φＲ（消灯信号φＲａ、消灯信号φＲｂ）は、点灯している発光サイリスタＬを消灯させる信号として機能する。
【０２４０】
以上のようにすることで、第２の実施の形態においても、第１の実施の形態と同様に、発光チップＣおよび発光装置６５を制御できる。
【０２４１】
第２の実施の形態においては、点灯信号線７５が電流制限抵抗ＲＩを介して電源線７１に接続され、点灯信号線７５の電位は消灯サイリスタＲＴのオンオフで制御される。すなわち、発光サイリスタＬの点灯のための電流は、電源ライン２００ａ、２００ｂを介して供給される。よって、発光装置６５において、発光サイリスタＬの点灯のための電流を供給する点灯信号ライン２０４ａ、２０４ｂを設ける代わりに、消灯信号ライン２０４ｃ、２０４ｄを設けている。
【０２４２】
発光サイリスタＬを点灯させるための電流は、例えば２０ｍＡと大きい。発光チップ群＃ａ、＃ｂのそれぞれの発光チップＣの数を２０個とすると、発光チップ群＃ａの発光サイリスタＬを点灯させるために供給する電流値は４００ｍＡとなる。このため、回路基板６２に、点灯信号ライン２０４ａ、２０４ｂとして、幅の広い抵抗の小さい配線（ライン）を設けることが必要となる。
これに対して、第２の実施の形態では、消灯サイリスタＲＴをターンオンさせるための消灯信号ライン２０４ｃ、２０４ｄを設けている。消灯サイリスタＲＴに流れる電流は、発光サイリスタＬに流れる電流より小さくてよい。よって、回路基板６２に設ける消灯信号ライン２０４ｃ、２０４ｄは、幅の狭い配線（ライン）でよい。よって、回路基板６２の幅が大きくなることが抑制される。
【０２４３】
［第３の実施の形態］
第３の実施の形態では、第１の実施の形態および第２の実施の形態と発光チップＣの構成が異なっている。他の構成は、第１の実施の形態と同様である。よって、第１の実施の形態と同様な部分の説明を省略し、異なる部分を説明する。
図１６は、第３の実施の形態における発光チップＣの構成、信号発生回路１１０の構成および回路基板６２上の配線構成を示した図である。図１６（ａ）は発光チップＣの構成を示し、図１６（ｂ）は発光装置６５の信号発生回路１１０の構成および回路基板６２上の配線構成を示す。第３の実施の形態でも、発光チップＣは２つの発光チップ群（＃ａおよび＃ｂ）に分けられている。
【０２４４】
はじめに、図１６（ａ）に示す発光チップＣの構成を説明する。
発光チップＣは、第１の実施の形態の発光チップＣと異なって、φＥ端子を備えていない。
次に、図１６（ｂ）により、発光装置６５の信号発生回路１１０の構成および回路基板６２上の配線構成を説明する。
第３の実施の形態の信号発生回路１１０は、許可信号発生部１３０ａおよび許可信号発生部１３０ｂを備えていない。
【０２４５】
信号発生回路１１０と発光チップＣ（発光チップＣａ１〜Ｃａ２０および発光チップＣｂ１〜Ｃｂ２０）とを相互に接続する配線（ライン）について説明する。
回路基板６２には、第１の実施の形態における信号発生回路１１０の許可信号発生部１３０ａから、発光チップ群＃ａの発光チップＣａ１〜Ｃａ２０のφＥ端子に、許可信号φＥａを送信する許可信号ライン２０３ａおよび許可信号発生部１３０ｂから、発光チップ群＃ｂの発光チップＣｂ１〜Ｃｂ２０のφＥ端子に、許可信号φＥｂを送信する許可信号ライン２０３ｂが設けられていない。
【０２４６】
図１７は、第３の実施の形態における発光装置６５の発光チップＣをマトリクスの各要素として配置して示した図である。第３の実施の形態の発光装置６５は、第１の実施の形態における発光装置６５（図５参照）における許可信号φＥａを送信する許可信号発生部１３０ａおよび許可信号φＥｂを送信する許可信号発生部１３０ｂ、許可信号ライン２０３ａ、２０３ｂを備えていない。
第１転送信号φ１ａ、第２転送信号φ２ａ、点灯信号φＩａは、発光チップ群＃ａに対して共通に送信される。そして、第１転送信号φ１ｂ、第２転送信号φ２ｂ、点灯信号φＩｂは、発光チップ群＃ｂに対して共通に送信されることが容易に理解できる。
これに対し、設定信号φＷ１〜φＷ２０は、発光チップ群＃ａに属する一つの発光チップＣと発光チップ群＃ｂに属する一つの発光チップＣとの構成する発光チップ組＃１〜＃２０のそれぞれに対して共通に送信されることが容易に理解できる。
【０２４７】
（発光チップＣ）
図１８は、第３の実施の形態における自己走査型発光素子アレイ（ＳＬＥＤ）である発光チップＣの回路構成を説明するための等価回路図である。ここでは、発光チップＣａ１を例に、発光チップＣを説明する。
第３の実施の形態における点灯制御部１０３は、第１の実施の形態における発光チップＣの回路構成（図６参照）とは、点灯制御部１０３が異なっている。転送部１０１、発光部１０２は第１の実施の形態と同様であるので説明を省略する。
【０２４８】
第３の実施の形態における点灯制御部１０３は、第１の実施の形態における設定サイリスタＳＴ、駆動サイリスタＤＴ、電流制限抵抗ＲＷ、Ｒｄｔに加え、電流制限抵抗ＲＦを備えている。なお、第１の実施の形態における電流制限抵抗ＲＥ１、ＲＥ２を備えていない。
【０２４９】
次に、発光チップＣａ１（Ｃ）における各素子の電気的な接続について説明する。
転送部１０１、発光部１０２は第１の実施の形態と同様であるので、主に点灯制御部１０３について説明する。
点灯信号線７５は、電流制限抵抗ＲＩを介して、φＩ端子に接続されている。φＩ端子には、点灯信号ライン２０４ａが接続され、点灯信号φＩａが送信される。
設定サイリスタＳＴは、ゲート端子Ｇｓｔ１がＶｓｕｂ端子に接続されている。ゲート端子Ｇｓｔ２が点灯信号線７５に接続されている。カソード端子Ｋｓｔが電流制限抵抗Ｒｄｔを介して、電源電位Ｖｇａ（「Ｌ」（−３Ｖ））が供給される電源線７１に接続されている。
駆動サイリスタＤＴは、ゲート端子Ｇｄｔ１が電流制限抵抗ＲＷを介して、φＷ端子に接続されている。φＷ端子には、設定信号ライン２０５が接続され、設定信号φＷ１が送信される。ゲート端子Ｇｄｔ２が電流制限抵抗Ｒｄｔを介して、電源線７１に接続されている。カソード端子Ｋｄｔが電流制限抵抗ＲＦを介して、φＩ端子に接続されている。
ここで、図９において示したサイリスタＳと電流制限抵抗Ｒ２との組み合わせを見ると、設定サイリスタＳＴと電流制限抵抗ＲＩとが、駆動サイリスタＤＴと電流制限抵抗Ｒｄｔとが組み合わせになっている。
【０２５０】
図１９は、第３の実施の形態における発光チップＣの平面レイアウト図である。図１９では、発光サイリスタＬ１〜Ｌ４、転送サイリスタＴ１〜Ｔ４を中心とした部分を示している。
第３の実施の形態においては、第１の実施の形態における第１０アイランド３１０、第１１アイランド３１１（図７参照）を削除し、第１９アイランド３１９を新たに設けている。第１９アイランド３１９には、電流制限抵抗ＲＦが設けられている。
また、電流制限抵抗ＲＷを設けた第１２アイランド３１２および電流制限抵抗Ｒｄｔを設けた第１３アイランド３１３の位置をずらしている。
【０２５１】
第１９アイランド３１９に設けられた電流制限抵抗ＲＦは、第７アイランド３０７に設けられた電流制限抵抗ＲＩなどと同様に、ｐ型の第３半導体層８３上に形成された一組のｐ型オーミック電極（符号なし）間のｐ型の第３半導体層８３を抵抗とするように設けられている。
なお、第３の実施の形態では、第２の実施の形態とは位置がずれているが、基板８０上にｐ型オーミック電極３７４が設けられている。ｐ型オーミック電極３７４は、基準電位Ｖｓｕｂを供給する。
【０２５２】
図１９において、各素子間の接続関係を説明する。ここでも、点灯制御部１０３を中心に説明し、転送部１０１、発光部１０２の説明を省略する。
第８アイランド３０８に設けられた設定サイリスタＳＴのカソード端子Ｋｓｔであるｎ型オーミック電極３４５は、第１３アイランド３１３に設けられた電流制限抵抗Ｒｄｔの一方の端子に接続されている。設定サイリスタＳＴのゲート端子Ｇｓｔ１であるｐ型オーミック電極３６６は、基板８０上に設けられたｐ型オーミック電極３７４に接続されている。設定サイリスタＳＴのゲート端子Ｇｓｔ２であるｐ型オーミック電極３６７は点灯信号線７５に接続されている。
第９アイランド３０９に設けられた駆動サイリスタＤＴのカソード端子Ｋｄｔであるｎ型オーミック電極３４６は、第１９アイランド３１９に設けられた電流制限抵抗ＲＦの一方の端子に接続されている。駆動サイリスタＤＴのゲート端子Ｇｄｔ１であるｐ型オーミック電極３６８は、第１２アイランド３１２に設けられた電流制限抵抗ＲＷを介して、φＷ端子に接続されている。駆動サイリスタＤＴのゲート端子Ｇｄｔ２であるｐ型オーミック電極３６９は、第１３アイランド３１３に設けられた電流制限抵抗Ｒｄｔの一方の端子に接続されている。
そして、第１３アイランド３１３に設けられた電流制限抵抗Ｒｄｔの他方の端子は、電源線７１に接続されている。第１９アイランド３１９に設けられた電流制限抵抗ＲＦの他方の端子は、φＩ端子に接続されている。
【０２５３】
例えば、電流制限抵抗ＲＷ、ＲＦ、Ｒｄｔは、それぞれ２ｋΩである。また、電流制限抵抗ＲＩは５５Ωである。
【０２５４】
（発光装置６５の動作）
ここでも、第１の実施の形態と異なる部分を説明する。
発光チップ群＃ａの発光チップＣａ１〜Ｃａ２０には、前述したように、第１転送信号φ１ａ、第２転送信号φ２ａ、点灯信号φＩａが共通に送信される。よって、発光チップ群＃ａの発光チップＣａ１〜Ｃａ２０は並列に駆動される。
同様に、発光チップ群＃ｂの発光チップＣｂ１〜Ｃｂ２０には、前述したように、第１転送信号φ１ｂ、第２転送信号φ２ｂ、点灯信号φＩｂが共通に送信される。よって、発光チップ群＃ｂの発光チップＣｂ１〜Ｃｂ２０は並列に駆動される。
【０２５５】
一方、設定信号φＷ１〜φＷ２０は、発光チップ群＃ａの一つの発光チップＣと発光チップ群＃ｂの一つの発光チップＣとが構成する発光チップ組＃１〜＃２０のそれぞれに対して送信される。例えば、発光チップ群＃ａの発光チップＣａ１と発光チップ群＃ｂの発光チップＣｂ１とを発光チップ組＃１として、設定信号φＷ１が共通に送信される。また、２０個の設定信号φＷ１〜φＷ２０は、同じタイミングで並列に送信される。よって、発光チップ組＃１〜＃２０は並列に駆動される。
【０２５６】
発光チップ群＃ａの発光チップＣａ２〜Ｃａ２０は発光チップＣａ１と並行して駆動され、発光チップ群＃ｂの発光チップＣｂ２〜Ｃｂ２０は発光チップＣｂ１と並行して駆動されるので、ここでも、発光チップ組＃１に属する発光チップＣａ１およびＣｂ１の動作を説明すれば足りる。
【０２５７】
図２０は、第３の実施の形態における発光装置６５および発光チップＣの動作を説明するためのタイミングチャートである。
図２０では、第１の実施の形態と同様に、発光チップ組＃１（発光チップＣａ１およびＣｂ１）の動作に加えて、発光チップ組＃２（発光チップＣａ２およびＣｂ２）の動作を説明している。そして、図２０では、それぞれの発光チップＣにおいて、発光サイリスタＬ１〜Ｌ４の４個の発光サイリスタＬを点灯制御する部分を示している。
そして、発光チップ組＃１（発光チップＣａ１およびＣｂ１）では、それぞれの発光サイリスタＬ１〜Ｌ４をすべて点灯させるとした。発光チップ組＃２（発光チップＣａ２およびＣｂ２）では、発光チップＣａ２の発光サイリスタＬ２、Ｌ３、Ｌ４を点灯させるとし、発光チップＣｂ２の発光サイリスタＬ１、Ｌ３、Ｌ４を点灯させるとした。そして、発光チップＣａ２の発光サイリスタＬ１および発光チップＣｂ２の発光サイリスタＬ２は点灯させない（非点灯）とした。
【０２５８】
図２０において、時刻ａから時刻ｘへとアルファベット順に時刻が経過するとする。なお、図２０では、時刻を第１の実施の形態のタイミングチャート（図１０参照）と同じとしたため、使用しない時刻を含んでいる。
以下では、第１の実施の形態における図１０と同様な部分の説明を省略し、異なる部分を説明する。
設定信号φＷ１、φＷ２は、第１の実施の形態における設定信号φＷ１、φＷ２において「Ｈ」（０Ｖ）と「Ｌ」（−３Ｖ）とを逆転させたものである。よって、詳細な説明を省略する。
【０２５９】
では、図１６および図１８を参照しつつ、図２０に示したタイミングチャートにしたがって、発光装置６５の動作を説明する。なお、第１の実施の形態と同様な部分は説明を省略する。
（１）時刻ａ
＜発光装置６５＞
図２０に示したタイミングチャートの時刻ａにおいて、第１の実施の形態と異なって、信号発生回路１１０の設定信号発生部１５０は設定信号φＷ１〜φＷ２０を「Ｌ」（−３Ｖ）に設定する。すると、設定信号ライン２０５〜２２４が「Ｌ」（−３Ｖ）になる（図１６参照）。これにより、発光チップＣのφＷ端子が「Ｌ」（−３Ｖ）になる（図１８参照）。
【０２６０】
次に、図９、図１８、図１９を参照しつつ、図２０に示したタイミングチャートにしたがって、発光チップ組＃１に属する発光チップＣａ１とＣｂ１とを中心に説明する。
＜発光チップＣａ１＞
発光サイリスタＬ、転送サイリスタＴ、設定サイリスタＳＴ、駆動サイリスタＤＴのアノード端子は、Ｖｓｕｂ端子に接続されているので、「Ｈ」（０Ｖ）に設定される。
第１転送信号線７２および第２転送信号線７３は「Ｈ」（０Ｖ）であるので、転送サイリスタＴはオフ状態である。
【０２６１】
φＷ端子は、電流制限抵抗ＲＷを介して、駆動サイリスタＤＴのゲート端子Ｇｄｔ１に接続されている。よって、駆動サイリスタＤＴのゲート端子Ｇｄｔ１は「Ｌ」（−３Ｖ）になる。
設定サイリスタＳＴのゲート端子Ｇｓｔ１は、Ｖｓｕｂ端子に接続されているので、「Ｈ」（０Ｖ）に設定される。
また、電流制限抵抗Ｒｄｔの一方の端子は駆動サイリスタＤＴのゲート端子Ｇｄｔ２、設定サイリスタＳＴのカソード端子Ｋｓｔに接続されている。電流制限抵抗Ｒｄｔの他方の端子は、「Ｌ」（−３Ｖ）の電源線７１に接続されている。
【０２６２】
駆動サイリスタＤＴは、ゲート端子Ｇｄｔ１（Ｖ１）が「Ｌ」（−３Ｖ）、電流制限抵抗Ｒｄｔの他方の端子（Ｖ２）が「Ｌ」（−３Ｖ）、φＩ端子に電流制限抵抗ＲＦを介して接続されたカソード端子Ｋｄｔ（ＩＮ）が「Ｈ」（０Ｖ）であるので、図９（ｃ）における場合７であって、駆動サイリスタＤＴはオフ状態である。ゲート端子Ｇｄｔ２（ＯＵＴ）（設定サイリスタＳＴのカソード端子Ｋｓｔ）は「Ｌ」（−３Ｖ）である。
設定サイリスタＳＴは、ゲート端子Ｇｓｔ１（Ｖ１）が「Ｈ」（０Ｖ）、φＩ端子（Ｖ２）が「Ｈ」（０Ｖ）、カソード端子Ｋｓｔが「Ｌ」（−３Ｖ）であるので、図９（ｃ）における場合２であって、設定サイリスタＳＴはオン状態である。ゲート端子Ｇｓｔ２（点灯信号線７５）は「Ｈ」（０Ｖ）である。
点灯信号線７５が「Ｈ」（０Ｖ）であるので、発光サイリスタＬはオフ状態である。
時刻ａの直後においては、設定サイリスタＳＴがオン状態にある。
【０２６３】
＜発光チップＣｂ１＞
発光チップＣｂ１においても、初期状態は発光チップＣａ１と同じであるので、説明を省略する。
【０２６４】
以下では、第１の実施の形態と異なる部分を説明する。
（３）時刻ｃ
時刻ｃにおいて、発光チップ群＃ａに送信される点灯信号φＩａが、「Ｈ」（０Ｖ）から「Ｌ」（−３Ｖ）に移行する。これにより、発光チップ群＃ａの期間Ｔａ（１）が開始する。
＜発光チップＣａ１＞
φＩ端子が「Ｈ」（０Ｖ）から「Ｌ」（−３Ｖ）になる。すると、駆動サイリスタＤＴのカソード端子Ｋｄｔが電流制限抵抗ＲＦを介して、「Ｈ」（０Ｖ）から「Ｌ」（−３Ｖ）になる。
駆動サイリスタＤＴは、ゲート端子Ｇｄｔ１（Ｖ１）が「Ｌ」（−３Ｖ）、電流制限抵抗Ｒｄｔの他方の端子（Ｖ２）が「Ｌ」（−３Ｖ）であって、カソード端子Ｋｄｔ（ＩＮ）が「Ｈ」（０Ｖ）から「Ｌ」（−３Ｖ）になるので、図９（ｃ）における場合７から場合８になる。駆動サイリスタＤＴはオフ状態を維持する。ゲート端子Ｇｄｔ２（ＯＵＴ）（設定サイリスタＳＴのカソード端子Ｋｓｔ）は「Ｌ」（−３Ｖ）である。
設定サイリスタＳＴは、ゲート端子Ｇｓｔ１（Ｖ１）が「Ｈ」（０Ｖ）、φＩ端子（Ｖ２）が「Ｈ」（０Ｖ）から「Ｌ」（−３Ｖ）になり、カソード端子Ｋｓｔが「Ｌ」（−３Ｖ）であるので、図９（ｃ）における場合２から場合４になるが、設定サイリスタＳＴはオン状態を維持する。ゲート端子Ｇｓｔ２（点灯信号線７５）は「Ｈ」（０Ｖ）である。
点灯信号線７５が「Ｈ」（０Ｖ）であるので、発光サイリスタＬはオフ状態である。
時刻ｃの直後においては、設定サイリスタＳＴがオン状態にある。
【０２６５】
＜発光チップＣｂ１＞
発光チップＣｂ１が属する発光チップ群＃ｂに送信される信号に変化がないので、発光チップＣｂ１は初期状態が維持される。
【０２６６】
（５）時刻ｅ
時刻ｅにおいて、発光チップ群＃ａの発光チップＣａ１と発光チップ群＃ｂの発光チップＣｂ１とが属する発光チップ組＃１に送信される設定信号φＷ１が、「Ｌ」（−３Ｖ）から「Ｈ」（０Ｖ）に移行する。
＜発光チップＣａ１＞
φＷ端子が「Ｌ」（−３Ｖ）から「Ｈ」（０Ｖ）になって、駆動サイリスタＤＴのゲート端子Ｇｄｔ１が電流制限抵抗ＲＷを介して「Ｌ」（−３Ｖ）から「Ｈ」（０Ｖ）になる。
駆動サイリスタＤＴは、ゲート端子Ｇｄｔ１（Ｖ１）が「Ｌ」（−３Ｖ）から「Ｈ」（０Ｖ）になり、電流制限抵抗Ｒｄｔの他方の端子（Ｖ２）が「Ｌ」（−３Ｖ）、カソード端子Ｋｄｔ（ＩＮ）が「Ｌ」（−３Ｖ）であるので、図９（ｃ）における場合８から場合４になる。そして、駆動サイリスタＤＴはターンオンする。ゲート端子Ｇｄｔ２（ＯＵＴ）（設定サイリスタＳＴのカソード端子Ｋｓｔ）は「Ｌ」（−３Ｖ）から「Ｈ」（０Ｖ）になる。
設定サイリスタＳＴは、ゲート端子Ｇｓｔ１（Ｖ１）が「Ｈ」（０Ｖ）、φＩ端子（Ｖ２）が「Ｌ」（−３Ｖ）、カソード端子Ｋｓｔが「Ｌ」（−３Ｖ）から「Ｈ」（０Ｖ）になるので、図９（ｃ）における場合４から場合３になって、設定サイリスタＳＴはターンオフする。なお、設定サイリスタＳＴであるので、ＯＵＴ（ゲート端子Ｇｓｔ２）は「Ｌ」（−３Ｖ）である。よって、点灯信号線７５（ゲート端子Ｇｓｔ２）は「Ｌ」（−３Ｖ）になる。
すると、時刻ｂにおいて、しきい電圧が−１．５Ｖとなっていた発光サイリスタＬ１がターンオンして、点灯（発光）する。
時刻ｅの直後においては、転送サイリスタＴ１、駆動サイリスタＤＴがオン状態にあるとともに、発光サイリスタＬ１がオン状態で点灯（発光）している。
【０２６７】
＜発光チップＣｂ１＞
φＷ端子が「Ｌ」（−３Ｖ）から「Ｈ」（０Ｖ）になって、駆動サイリスタＤＴのゲート端子Ｇｄｔ１が電流制限抵抗ＲＷを介して「Ｌ」（−３Ｖ）から「Ｈ」（０Ｖ）になる。
駆動サイリスタＤＴは、ゲート端子Ｇｄｔ１（Ｖ１）が「Ｌ」（−３Ｖ）から「Ｈ」（０Ｖ）になり、電流制限抵抗Ｒｄｔの他方の端子（Ｖ２）が「Ｌ」（−３Ｖ）、φＩ端子に電流制限抵抗ＲＦを介して接続されたカソード端子Ｋｄｔ（ＩＮ）が「Ｈ」（０Ｖ）であるので、図９（ｃ）における場合７から場合３になる。このとき、駆動サイリスタＤＴはオフ状態である。ゲート端子Ｇｄｔ２（ＯＵＴ）（設定サイリスタＳＴのカソード端子Ｋｓｔ）は「Ｌ」（−３Ｖ）から−２．７Ｖになる。
設定サイリスタＳＴは、ゲート端子Ｇｓｔ１（Ｖ１）が「Ｈ」（０Ｖ）、φＩ端子（Ｖ２）が「Ｈ」（０Ｖ）、カソード端子Ｋｓｔが「Ｌ」（−３Ｖ）から−２．７Ｖになるので、図９（ｃ）における場合２を維持する。設定サイリスタＳＴはオン状態である。ゲート端子Ｇｓｔ２（点灯信号線７５）は「Ｈ」（０Ｖ）である。
点灯信号線７５が「Ｈ」（０Ｖ）であるので、発光サイリスタＬはオフ状態を維持する。
時刻ｅの直後においては、設定サイリスタＳＴがオン状態にある。
【０２６８】
（７）時刻ｇ
時刻ｇにおいて、発光チップ群＃ａの発光チップＣａ１と発光チップ群＃ｂの発光チップＣｂ１とが属する発光チップ組＃１に送信される設定信号φＷ１が、「Ｈ」（０Ｖ）から「Ｌ」（−３Ｖ）に移行する。
＜発光チップＣａ１＞
φＷ端子が「Ｈ」（０Ｖ）から「Ｌ」（−３Ｖ）になって、駆動サイリスタＤＴのゲート端子Ｇｄｔ１が電流制限抵抗ＲＷを介して「Ｈ」（０Ｖ）から「Ｌ」（−３Ｖ）になる。
駆動サイリスタＤＴは、ゲート端子Ｇｄｔ１（Ｖ１）が「Ｈ」（０Ｖ）から「Ｌ」（−３Ｖ）になり、電流制限抵抗Ｒｄｔの他方の端子（Ｖ２）が「Ｌ」（−３Ｖ）、カソード端子Ｋｄｔ（ＩＮ）が「Ｌ」（−３Ｖ）であるので、オン状態を維持する。ゲート端子Ｇｄｔ２（ＯＵＴ）（設定サイリスタＳＴのカソード端子Ｋｓｔ）は「Ｈ」（０Ｖ）を維持する。
設定サイリスタＳＴは、ゲート端子Ｇｓｔ１（Ｖ１）が「Ｈ」（０Ｖ）、φＩ端子（Ｖ２）が「Ｌ」（−３Ｖ）、カソード端子Ｋｓｔが「Ｈ」（０Ｖ）であるので、図９（ｃ）における場合３を維持する。そして、設定サイリスタＳＴはオフ状態を維持する。ゲート端子Ｇｓｔ２（点灯信号線７５）は「Ｌ」（−３Ｖ）を維持する。
時刻ｇの直後においては、転送サイリスタＴ１、駆動サイリスタＤＴがオン状態にあるとともに、発光サイリスタＬ１がオン状態で点灯（発光）している。
【０２６９】
＜発光チップＣｂ１＞
φＷ端子が「Ｈ」（０Ｖ）から「Ｌ」（−３Ｖ）になって、駆動サイリスタＤＴのゲート端子Ｇｄｔ１が電流制限抵抗ＲＷを介して「Ｈ」（０Ｖ）から「Ｌ」（−３Ｖ）になる。
駆動サイリスタＤＴは、ゲート端子Ｇｄｔ１（Ｖ１）が「Ｈ」（０Ｖ）から「Ｌ」（−３Ｖ）になり、電流制限抵抗Ｒｄｔの他方の端子（Ｖ２）が「Ｌ」（−３Ｖ）、φＩ端子に電流制限抵抗ＲＦを介して接続されたカソード端子Ｋｄｔ（ＩＮ）が「Ｈ」（０Ｖ）であるので、図９（ｃ）における場合３から場合７になる。駆動サイリスタＤＴはオフ状態を維持する。ゲート端子Ｇｄｔ２（ＯＵＴ）（設定サイリスタＳＴのカソード端子Ｋｓｔ）は−２．７Ｖから「Ｌ」（−３Ｖ）になる。
設定サイリスタＳＴは、ゲート端子Ｇｓｔ１（Ｖ１）が「Ｈ」（０Ｖ）、φＩ端子（Ｖ２）が「Ｈ」（０Ｖ）、カソード端子Ｋｓｔが−２．７Ｖから「Ｌ」（−３Ｖ）になるので、図９（ｃ）における場合２を維持する。設定サイリスタＳＴはオン状態を維持する。ゲート端子Ｇｓｔ２（点灯信号線７５）は「Ｈ」（０Ｖ）である。
点灯信号線７５が「Ｈ」（０Ｖ）であるので、発光サイリスタＬはオフ状態を維持する。
時刻ｇの直後においては、設定サイリスタＳＴがオン状態にある。
【０２７０】
（９）時刻ｉ
時刻ｉにおいて、発光チップ群＃ｂに送信される点灯信号φＩｂが、「Ｈ」（０Ｖ）から「Ｌ」（−３Ｖ）に移行する。これにより、発光チップ群＃ｂの期間Ｔｂ（１）が開始する。
＜発光チップＣａ１＞
発光チップＣａ１が属する発光チップ群＃ａに送信される信号に変化がないので、時刻ｇの直後の状態が維持される。
【０２７１】
＜発光チップＣｂ１＞
時刻ｃの発光チップＣａ１と同様に、設定サイリスタＳＴはオン状態を維持する。よって、点灯信号線７５は「Ｈ」（０Ｖ）を維持する。
時刻ｉの直後においては、転送サイリスタＴ１、設定サイリスタＳＴがオン状態にある。
【０２７２】
（１１）時刻ｋ
時刻ｋにおいて、発光チップ群＃ａの発光チップＣａ１と発光チップ群＃ｂの発光チップＣｂ１とが属する発光チップ組＃１に送信される設定信号φＷ１が、「Ｌ」（−３Ｖ）から「Ｈ」（０Ｖ）に移行する。
＜発光チップＣａ１＞
φＷ端子が「Ｌ」（−３Ｖ）から「Ｈ」（０Ｖ）になって、駆動サイリスタＤＴのゲート端子Ｇｄｔ１が電流制限抵抗ＲＷを介して「Ｌ」（−３Ｖ）から「Ｈ」（０Ｖ）になる。
駆動サイリスタＤＴは、ゲート端子Ｇｄｔ１（Ｖ１）が「Ｌ」（−３Ｖ）から「Ｈ」（０Ｖ）になり、電流制限抵抗Ｒｄｔの他方の端子（Ｖ２）が「Ｌ」（−３Ｖ）、カソード端子Ｋｄｔ（ＩＮ）が「Ｌ」（−３Ｖ）であるので、図９（ｃ）における場合４である。駆動サイリスタＤＴは、オン状態を維持する。ゲート端子Ｇｄｔ２（ＯＵＴ）（設定サイリスタＳＴのカソード端子Ｋｓｔ）は「Ｈ」（０Ｖ）を維持する。
設定サイリスタＳＴは、ゲート端子Ｇｓｔ１（Ｖ１）が「Ｈ」（０Ｖ）、φＩ端子（Ｖ２）が「Ｌ」（−３Ｖ）、カソード端子Ｋｓｔが「Ｈ」（０Ｖ）であるので、図９（ｃ）における場合３を維持する。そして、設定サイリスタＳＴはオフ状態を維持する。ゲート端子Ｇｓｔ２（点灯信号線７５）は「Ｌ」（−３Ｖ）を維持する。
よって、発光サイリスタＬ１はオン状態を維持する。
時刻ｋの直後においては、転送サイリスタＴ１、駆動サイリスタＤＴがオン状態にあるとともに、発光サイリスタＬ１がオン状態で点灯（発光）している。
【０２７３】
＜発光チップＣｂ１＞
φＷ端子が「Ｌ」（−３Ｖ）から「Ｈ」（０Ｖ）になって、駆動サイリスタＤＴのゲート端子Ｇｄｔ１が電流制限抵抗ＲＷを介して「Ｌ」（−３Ｖ）から「Ｈ」（０Ｖ）になる。
時刻ｅにおける発光チップＣａ１と同様に、駆動サイリスタＤＴがターンオンするとともに、設定サイリスタＳＴがターンオフして、点灯信号線７５が「Ｌ」（−３Ｖ）になる。
すると、時刻ｈにおいて、しきい電圧が−１．５Ｖとなっていた発光サイリスタＬ１がターンオンして、点灯（発光）する。
時刻ｋの直後においては、転送サイリスタＴ１、駆動サイリスタＤＴがオン状態にあるとともに、発光サイリスタＬ１がオン状態で点灯（発光）している。
【０２７４】
（１３）時刻ｍ
時刻ｍにおいて、発光チップ群＃ａの発光チップＣａ１と発光チップ群＃ｂの発光チップＣｂ１とが属する発光チップ組＃１に送信される設定信号φＷ１が、「Ｈ」（０Ｖ）から「Ｌ」（−３Ｖ）に移行する。
＜発光チップＣａ１＞
φＷ端子が「Ｈ」（０Ｖ）から「Ｌ」（−３Ｖ）になって、駆動サイリスタＤＴのゲート端子Ｇｄｔ１が電流制限抵抗ＲＷを介して「Ｈ」（０Ｖ）から「Ｌ」（−３Ｖ）になる。
駆動サイリスタＤＴは、ゲート端子Ｇｄｔ１（Ｖ１）が「Ｈ」（０Ｖ）から「Ｌ」（−３Ｖ）になるが、カソード端子Ｋｄｔ（ＩＮ）が「Ｌ」（−３Ｖ）であるので、オン状態を維持する。よって、ゲート端子Ｇｄｔ２（ＯＵＴ）（設定サイリスタＳＴのカソード端子Ｋｓｔ）は「Ｈ」（０Ｖ）を維持する。
設定サイリスタＳＴは、ゲート端子Ｇｓｔ１（Ｖ１）が「Ｈ」（０Ｖ）、φＩ端子（Ｖ２）が「Ｌ」（−３Ｖ）、カソード端子Ｋｓｔが「Ｈ」（０Ｖ）であるので、図９（ｃ）における場合３を維持する。そして、設定サイリスタＳＴはオフ状態を維持する。ゲート端子Ｇｓｔ２（点灯信号線７５）は「Ｌ」（−３Ｖ）を維持する。
よって、発光サイリスタＬ１はオン状態を維持する。
時刻ｍの直後においては、転送サイリスタＴ１、駆動サイリスタＤＴがオン状態にあるとともに、発光サイリスタＬ１がオン状態で点灯（発光）している。
＜発光チップＣｂ１＞
φＷ端子が「Ｈ」（０Ｖ）から「Ｌ」（−３Ｖ）になって、駆動サイリスタＤＴのゲート端子Ｇｄｔ１が電流制限抵抗ＲＷを介して「Ｈ」（０Ｖ）から「Ｌ」（−３Ｖ）になる。
時刻ｇにおける発光チップＣａ１と同様に、駆動サイリスタＤＴがオン状態、設定サイリスタＳＴがオフ状態を維持するので、点灯信号線７５は「Ｌ」（−３Ｖ）を維持する。
時刻ｍの直後においては、転送サイリスタＴ１、駆動サイリスタＤＴがオン状態にあるとともに、発光サイリスタＬ１がオン状態で点灯（発光）している。
【０２７５】
（１４）時刻ｎ
時刻ｎにおいて、発光チップ群＃ａに送信される点灯信号φＩａが、「Ｌ」（−３Ｖ）から「Ｈ」（０Ｖ）に移行する。
＜発光チップＣａ１＞
φＩ端子が「Ｌ」（−３Ｖ）から「Ｈ」（０Ｖ）になる。すると、駆動サイリスタＤＴのカソード端子Ｋｄｔが電流制限抵抗ＲＦを介して、「Ｌ」（−３Ｖ）から「Ｈ」（０Ｖ）になる。
駆動サイリスタＤＴは、ゲート端子Ｇｄｔ１（Ｖ１）が「Ｌ」（−３Ｖ）、電流制限抵抗Ｒｄｔの他方の端子（Ｖ２）が「Ｌ」（−３Ｖ）、カソード端子Ｋｄｔ（ＩＮ）が「Ｌ」（−３Ｖ）から「Ｈ」（０Ｖ）になるので、図９（ｃ）の場合７になり、ターンオフする。ゲート端子Ｇｄｔ２（ＯＵＴ）（設定サイリスタＳＴのカソード端子Ｋｓｔ）は「Ｈ」（０Ｖ）から「Ｌ」（−３Ｖ）になる。
設定サイリスタＳＴは、ゲート端子Ｇｓｔ１（Ｖ１）が「Ｈ」（０Ｖ）、φＩ端子（Ｖ２）が「Ｌ」（−３Ｖ）から「Ｈ」（０Ｖ）になり、カソード端子Ｋｓｔが「Ｈ」（０Ｖ）から「Ｌ」（−３Ｖ）になるので、図９（ｃ）における場合３から場合２になり、ターンオンする。ゲート端子Ｇｓｔ２（点灯信号線７５）は「Ｌ」（−３Ｖ）から「Ｈ」（０Ｖ）になる。
すると、オン状態の発光サイリスタＬ１はアノード端子とカソード端子とがともに「Ｈ」（０Ｖ）になってターンオフして消灯する。
時刻ｎの直後においては、転送サイリスタＴ１、設定サイリスタＳＴがオン状態にある。
＜発光チップＣｂ１＞
発光チップＣｂ１が属する発光チップ群＃ｂに送信される信号に変化がないので、時刻ｍの直後の状態が維持される。
【０２７６】
他の時刻については、第１の実施の形態で説明したと同様である。よって、説明を省略する。
【０２７７】
第３の実施の形態では、設定信号φＷ（設定信号φＷ１〜φＷ２０）が「Ｌ」（−３Ｖ）から「Ｈ」（０Ｖ）に移行すると、駆動サイリスタＤＴがターンオンすることにより、設定サイリスタＳＴをターンオフする。これにより、点灯信号線７５の電位が、「Ｈ」（０Ｖ）から「Ｌ」（−３Ｖ）になって、しきい電圧が−１．５Ｖの発光サイリスタＬがターンオンして点灯（発光）する。
【０２７８】
そして、発光サイリスタＬがオン状態のとき、点灯信号φＩを「Ｌ」（−３Ｖ）から「Ｈ」（０Ｖ）に移行すると、設定サイリスタＳＴがターンオンする。これにより、設定サイリスタＳＴのゲート端子Ｇｓｔ２が「Ｌ」（−３Ｖ）から「Ｈ」（０Ｖ）になって、点灯信号線７５を「Ｌ」（−３Ｖ）から「Ｈ」（０Ｖ）に引き込む。これにより、オン状態にあった発光サイリスタＬがターンオフする。
すなわち、発光サイリスタＬの点灯期間は、設定信号φＷ（設定信号φＷ１〜φＷ２０）が、「Ｈ」（０Ｖ）から「Ｌ」（−３Ｖ）になるタイミング（時刻）から、点灯信号φＩが「Ｌ」（−３Ｖ）から「Ｈ」（０Ｖ）になる時刻まで（例えば、図２０における時刻ｅから時刻ｎ）となる。
【０２７９】
駆動サイリスタＤＴおよび設定サイリスタＳＴの動作は、第１の実施の形態と同様である。すなわち、設定サイリスタＳＴは、図２０の期間Ｔａ（１）において、時刻ｃから時刻ｅまでの期間および時刻ｎから時刻ｑまでの期間、すなわち発光サイリスタＬ１が点灯していない期間は、オン状態にあって、点灯信号線７５を「Ｈ」（０Ｖ）に引き込んでいる。そして、時刻ｅから時刻ｎの発光サイリスタＬ１が点灯している期間は、設定サイリスタＳＴはオフ状態であって、ゲート端子Ｇｓｔ２（点灯信号線７５）が「Ｌ」（−３Ｖ）になっている。
一方、駆動サイリスタＤＴは、設定信号φＷ１が「Ｌ」（−３Ｖ）である期間である時刻ｅから時刻ｇまでの期間において、オン状態になる。そして、時刻ｅでターンオンすることで、設定サイリスタＳＴをターンオフさせ、これにより、点灯信号線７５を「Ｌ」（−３Ｖ）に設定している。その他の期間においては、駆動サイリスタＤＴはオフ状態である。
【０２８０】
第２の実施の形態では、点灯信号φＩを使用しないで、消灯信号φＲを用いた。これに対して、第３の実施の形態では、第１の実施の形態と同様に、点灯信号φＩを用いるが、許可信号φＥを削除した。これにより、回路基板６２上の配線（ライン）の数を抑制している。
【０２８１】
第１の実施の形態では、φＥが「Ｈ」（０Ｖ）であるときに、φＷが「Ｈ」（０Ｖ）から「Ｌ」（−３Ｖ）に移行する（時刻ｅ）ことで、駆動サイリスタＤＴをターンオンさせている。すなわち、駆動サイリスタＤＴのゲート端子Ｇｄｔ１（Ｖ１）が「Ｈ」（０Ｖ）、電流制限抵抗Ｒｄｔ方の端子（Ｖ２）が「Ｌ」（−３Ｖ）、カソード端子Ｋｄｔが「Ｈ」（０Ｖ）から「Ｌ」（−３Ｖ）になる（図９（ｃ）における場合３から場合４になる）ことで、駆動サイリスタＤＴがターンオンする。これにより、オン状態の設定サイリスタＳＴがターンオフする。
これに対し、第３の実施の形態では、φＩが「Ｌ」（−３Ｖ）であるときに、φＷが「Ｌ」（−３Ｖ）から「Ｈ」（０Ｖ）に移行する（時刻ｅ）ことで、駆動サイリスタＤＴをターンオンさせている。すなわち、駆動サイリスタＤＴのゲート端子Ｇｄｔ１（Ｖ１）が「Ｌ」（−３Ｖ）から「Ｈ」（０Ｖ）になり、電流制限抵抗Ｒｄｔ方の端子（Ｖ２）が「Ｌ」（−３Ｖ）、カソード端子Ｋｄｔが「Ｌ」（−３Ｖ）である（場合８から場合４になる）ことで、駆動サイリスタＤＴをターンオンさせている。
すなわち、第１の実施の形態および第３の実施の形態でも、駆動サイリスタＤＴは、場合４になって、ターンオンすればよい。
【０２８２】
また、第１の実施の形態では、許可信号φＥが「Ｌ」（−３Ｖ）であるときに、点灯信号φＩを「Ｌ」（−３Ｖ）から「Ｈ」（０Ｖ）に移行する（時刻ｎ）ことで、設定サイリスタＳＴをターンオンさせている。すなわち、設定サイリスタＳＴのゲート端子Ｇｓｔ１（Ｖ１）が「Ｌ」（−３Ｖ）、φＩ端子（Ｖ２）が「Ｌ」（−３Ｖ）から「Ｈ」（０Ｖ）になって、カソード端子Ｋｄｔ（ＩＮ）が「Ｌ」（−３Ｖ）である（場合８から場合６になる）ことで、設定サイリスタＳＴがターンオンする。これにより、ゲート端子Ｇｓｔ２（ＯＵＴ）（点灯信号線７５）が「Ｌ」（−３Ｖ）から「Ｈ」（０Ｖ）になって、オン状態の設発光サイリスタＬがターンオフする。
これに対し、第３の実施の形態では、設定信号φＷが「Ｌ」（−３Ｖ）であるときに、φＩを「Ｌ」（−３Ｖ）から「Ｈ」（０Ｖ）に移行する（時刻ｎ）ことで、駆動サイリスタＤＴは、ゲート端子Ｇｄｔ１（Ｖ１）が「Ｌ」（−３Ｖ）、電流制限抵抗Ｒｄｔの他方の端子（Ｖ２）が「Ｌ」（−３Ｖ）、カソード端子Ｋｄｔ（ＩＮ）が「Ｌ」（−３Ｖ）から「Ｈ」（０Ｖ）になる（場合７）ので、ターンオフする。そして、ゲート端子Ｇｄｔ２（ＯＵＴ）（設定サイリスタＳＴのカソード端子Ｋｓｔ）が「Ｈ」（０Ｖ）から「Ｌ」（−３Ｖ）になる。すると、設定サイリスタＳＴは、ゲート端子Ｇｓｔ１（Ｖ１）が「Ｈ」（０Ｖ）、φＩ端子（Ｖ２）が「Ｌ」（−３Ｖ）から「Ｈ」（０Ｖ）になり、カソード端子Ｋｓｔ（ＩＮ）が「Ｈ」（０Ｖ）から「Ｌ」（−３Ｖ）になる（場合３から場合２）ので、ターンオフする。これにより、点灯信号線７５は「Ｌ」（−３Ｖ）から「Ｈ」（０Ｖ）になって、オン状態の発光サイリスタＬがターンオフする。
すなわち、第１の実施の形態および第３の実施の形態でも、駆動サイリスタＤＴが、時刻ｎにおいて、ターンオンすればよい。
【０２８３】
以上説明したように、第３の実施の形態では点灯信号φＩ（点灯信号φＩａ、点灯信号φＩｂ）は、「Ｌ」（−３Ｖ）になることで、発光チップＣが点灯することを許可し、「Ｈ」（０Ｖ）になることで、発光チップＣに設定信号φＷの影響が及ばないように阻止する。このことから、点灯信号φＩａは、発光チップ群＃ａの発光チップＣの点灯を許可または阻止するイネーブル信号／ディセーブル信号として、点灯信号φＩｂは、発光チップ群＃ｂの発光チップＣの点灯を許可または阻止するイネーブル信号／ディセーブル信号として機能する。
また、点灯信号φＩ（点灯信号φＩａ、点灯信号φＩｂ）は、「Ｌ」（−３Ｖ）から「Ｈ」（０Ｖ）になることで、点灯している発光サイリスタＬを消灯させる信号として機能する。
【０２８４】
以上のようにすることで、第３の実施の形態においても、第１の実施の形態と同様に、発光チップＣおよび発光装置６５を制御できる。
【０２８５】
第１の実施の形態〜第３の実施の形態において、発光チップＣは、基板８０上に転送部１０１と発光部１０２とを並列させ、点灯制御部１０３を基板８０の端部に設けている（図７、図１４、図１９参照）。これにより、転送部１０１と発光部１０２との間に、点灯の許可または阻止を制御する制御部を設ける場合に比べ、発光チップＣの幅が小さくなる。
また、許可信号φＥ、設定信号φＷ、消灯信号φＲは、発光チップＣの点灯制御部１０３に送信される。よって、これらの信号が転送部１０１と発光部１０２との間に設けられた制御部に送信される場合に比べ、寄生容量が小さいため、遅延時間が短くなり、発光チップＣを高速に駆動できる。
そして、配線（ライン）の数が少ないとともに、幅の広い抵抗の小さい配線（ライン）の数が少ないので、回路基板６２の幅が小さくなる。
これにより、発光装置６５、プリントヘッド１４、画像形成装置１が小型化する。
【０２８６】
電流制限抵抗ＲＥ１、ＲＥ２、ＲＥ、ＲＷ、ＲＦ、ＲＩ、ＲＲ、Ｒｄｔ、Ｒｅｔ、Ｒｒｔの抵抗値を示したが、これらの抵抗値は例であって、他の抵抗値であってもよい。
また、第１アイランド３０１〜第１９アイランド３１９などの形状は、上記で説明した形状以外であってもよい。
【０２８７】
さらに、点灯制御部１０３は、転送部１０１、発光部１０２の構造と同様であるので、点灯制御部１０３を同一の基板８０上に、プロセスを変更することなく形成できる。
【０２８８】
そして、第１の実施の形態〜第３の実施の形態において、発光チップＣは、転送サイリスタＴ、発光サイリスタＬを備え、ゲート端子Ｇｔとゲート端子Ｇｌとが直接接続される構成とした。しかし、ゲート端子Ｇｔとゲート端子Ｇｌとがダイオードまたは抵抗で接続される構成であってもよい。また、転送部１０１、発光部１０２が他の構成であってもよい。
【０２８９】
そして、第１の実施の形態〜第３の実施の形態において、転送サイリスタＴのゲート端子Ｇｔ間を接続する電気的手段として結合ダイオードＤを用いたが、電気的手段は一方の端子の電位の変化が他方の端子の電位の変化を生じるものであればよく、抵抗などであってもよい。
【０２９０】
また、第１の実施の形態〜第３の実施の形態において、転送サイリスタＴを第１転送信号φ１と第２転送信号φ２の２相で駆動したが、転送サイリスタＴを３個置きに３相の転送信号を送信して駆動してもよい。同様にして、４相以上の転送信号を送信しても駆動してもよい。
【０２９１】
そしてまた、第１の実施の形態〜第３の実施の形態において、それぞれの発光チップＣには自己走査型発光素子アレイ（ＳＬＥＤ）が１個搭載されているとしたが、２個以上であってもよい。
【０２９２】
さらに、第１の実施の形態〜第３の実施の形態において、発光チップ群を発光チップ群＃ａと発光チップ群＃ｂの２個としたが、図５、図１２、図１７において、発光チップ群＃ａおよび発光チップ群＃ｂに並列に発光チップ群＃ｃ、…を加えて、３個以上としてもよい。
同様に、発光チップ組を２０個としたが、それ以外であってもよい。
さらにまた、発光チップ群を構成する発光チップＣの数および発光チップ組を構成する発光チップＣの数を同じとしたが、異なってもよい。また、発光チップ組を構成する発光チップＣは、それぞれが異なる発光チップ群に属しているとしたが、同じ発光チップ群に属する発光チップＣを含んでいてもよい。
【０２９３】
第１の実施の形態〜第３の実施の形態において、サイリスタ（転送サイリスタＴ、発光サイリスタＬ、設定サイリスタＳＴ、駆動サイリスタＤＴ、許可サイリスタＥＴ、消灯サイリスタＲＴ）は、アノード端子を共通にしたアノードコモンとして説明した。カソード端子を共通にしたカソードコモンも、回路の極性を変更することによって用いうる。
【符号の説明】
【０２９４】
１…画像形成装置、１０…画像形成プロセス部、１１…画像形成ユニット、１２…感光体ドラム、１４…プリントヘッド、３０…画像出力制御部、４０…画像処理部、６２…回路基板、６３…光源部、６４…ロッドレンズアレイ、６５…発光装置、１０１…転送部、１０２…発光部、１０３…点灯制御部、１１０…信号発生回路、１２０、１２０ａ、１２０ｂ…転送信号発生部、１３０、１３０ａ、１３０ｂ…許可信号発生部、１４０、１４０ａ、１４０ｂ…点灯信号発生部、１５０…設定信号発生部、１６０…基準電位供給部、１７０…電源電位供給部、１８０、１８２ａ、１８０ｂ…消灯信号発生部、φ１（φ１ａ、φ１ｂ）…第１転送信号、φ２（φ２ａ、φ２ｂ）…第２転送信号、φＥ（φＥａ、φＥｂ）…許可信号、φＩ（φＩａ、φＩｂ）…点灯信号、φＲ（φＲａ、φＲｂ）…消灯信号、φＷ（φＷ１〜φＷ２０）…設定信号、Ｃａ１〜Ｃａ２０、Ｃｂ１〜Ｃｂ２０…発光チップ、Ｄ…結合ダイオード、Ｄ０…スタートダイオード、ＤＴ…駆動サイリスタ、ＥＴ…許可サイリスタ、Ｌ…発光サイリスタ、ＲＴ…消灯サイリスタ、Ｒｇ…接続抵抗、ＳＴ…設定サイリスタ、Ｔ…転送サイリスタ、Ｖｇａ…電源電位、Ｖｓｕｂ…基準電位
【図１】
2013151117.tif 000003
【図２】
2013151117.tif 000004
【図３】
2013151117.tif 000005
【図４】
2013151117.tif 000006
【図５】
2013151117.tif 000007
【図６】
2013151117.tif 000008
【図７】
2013151117.tif 000009
【図８】
2013151117.tif 000010
【図９】
2013151117.tif 000011
【図１０】
2013151117.tif 000012
【図１１】
2013151117.tif 000013
【図１２】
2013151117.tif 000014
【図１３】
2013151117.tif 000015
【図１４】
2013151117.tif 000016
【図１５】
2013151117.tif 000017
【図１６】
2013151117.tif 000018
【図１７】
2013151117.tif 000019
【図１８】
2013151117.tif 000020
【図１９】
2013151117.tif 000021
【図２０】
2013151117.tif 000022